(57)【要約】      （修正有）【課題】様々な形状や材質に応じての組合せが可能であり、また印材として、特にその形状において、従来にないデザイン性を持たせること、さらに使用者の創造性を喚起したり、消費者の購買意欲を刺激するような、印章や印璽を提供する。【解決手段】印章体ＳｔＭは印章体押印部ＳｔＭ１０と印章体本体ＳｔＭ２０で構成され、印章体押印部ＳｔＭ１０は印面部ＳｔＭ１１と着脱可能部ＳｔＭ１２と着脱可能手段ＳｔＭ１３で形成され、印章体本体ＳｔＭ２０は把持部ＳｔＭ２１と着脱可能部ＳｔＭ２２で形成され、把持部ＳｔＭ２１には着脱可能部ＳｔＭ２２と着脱可能手段ＳｔＭ２３が形成されることで、印章体押印部ＳｔＭ１０と印章体本体ＳｔＭ２０は着脱可能になり、分割及び組合せ可能な印章体として提供できる。【選択図】図４
2014094551.tif 000002
【特許請求の範囲】
【請求項１】
一般的に印章として用いられる印章体が押印部と本体から成る場合に、前記印章体押印部は印面部と着脱可能手段で形成され、前記印面部の任意の部位に着脱可能手段は少なくとも一つ形成され、前記印章体本体は把持部と着脱可能手段で形成され、前記印章体把持部の任意の部位に着脱可能手段が少なくとも一つ形成されることで、前記印章体押印部の任意部位と前記印章体本体の任意部位とは前記着脱可能手段を介しての着脱の組合せが任意件数になることを特徴とする、分割及び組合せ可能な印章体。
【請求項２】
一般的に手紙の封に印璽として用いられる印璽体が押型部と本体から成る場合に、前記印璽体押型部は型部と着脱可能手段で形成され、前記型部の任意の部位に着脱可能手段は少なくとも一つ形成され、前記印璽体本体は把持部と着脱可能手段で形成され、前記印璽体把持部の任意の部位に着脱可能手段が少なくとも一つ形成されることで、前記印璽体押型部の任意部位と前記印璽体本体の任意部位とは前記本体の任意部位との着脱が可能になり、前記着脱可能手段を介しての着脱の組合せが任意件数になることを特徴とする、分割及び組合せ可能な印璽体。
【請求項３】
前記印章体押印部及び前記印章体本体の形状が、チェス駒、人、人形、動物、植物、幾何形状、勝利記念品、飛翔体、建築物、家具部位、脚付飲用容器形状、などから選択される少なくとも一つに類似するように形成させることを特徴とする、請求項１に記載の分割及び組合せ可能な印章体。
【請求項４】
前記印璽体押型部及び前記印璽体本体の形状が、チェス駒、人、人形、動物、植物、幾何形状、勝利記念品、飛翔体、建築物、家具部位、脚付飲用容器形状、などから選択される少なくとも一つに類似するように形成させることを特徴とする、請求項２に記載の分割及び組合せ可能な印璽体。
【請求項５】
前記印章体押印部及び前記印章体本体を構成する部材が、木質、金属、セラミックス、動物体、鉱物、宝石、模造石、高分子化合物、などから選択される少なくとも一つから形成させることを特徴とする、請求項１または請求項３に記載の分割及び組合せ可能な印章体。
【請求項６】
前記印璽体押型部及び前記印璽体本体を構成する部材が、木質、金属、セラミックス、動物体、鉱物、宝石、模造石、高分子化合物、などから選択される少なくとも一つから形成させることを特徴とする、請求項２または請求項４に記載の分割及び組合せ可能な印璽体。
【発明の詳細な説明】
【技術分野】
【０００１】  本発明は、一般的に印章として用いられる印章体が押印部と本体から成る場合に、押印部と本体が、夫々の任意部位で着脱が可能になりかつ任意の組合せが可能になる印章体に関し、また、一般的に手紙の封に印璽として用いられる印璽体が押型部と本体から成る場合に、押型部と本体が、夫々の任意部位で着脱が可能になりかつ任意の組合せが可能になる印璽体に関するものである。
【背景技術】
【０００２】  従来から印章（英：Ｓｔａｍｐ）は、木、竹、石、角、象牙、金属、合成樹脂などを素材として、その一面に文字やシンボルを彫刻し、個人・官職・団体のしるしとして公私の文書に押して特有の痕跡（印影・印痕）を残すことにより、その責任や権威を証明するもの。印、判、印判、印形、印顆、印信、判子ともいい、紙などに印章を押したあとを印影という。また、印章を押すことを押印、捺印、押捺という。であることが一般的に知られている。（フリー百科事典『ウィキペディア（Ｗｉｋｉｐｅｄｉａ）より引用する』
ところが、従来からの印章（Ｓｔａｍｐ）は、西暦５７年ごろに古代中国から日本に送られたとされ、１７８４年に発見された「漢委奴国王」の金印が最古のものとして有名であり、８世紀の大化の改新の後頃から、律令の制定とともに印章が使用されるようになり、明治時代になってから一般的な国民に使用されるようになって、現在に至るまでの約二千年間、使用目的や使用方法に関しては、それほど目新しい進化が成されてこなかった。また近年では、文書の電子化やＩＴ化に伴って電子印鑑も登場し、従来の“印章”としての役割が減少傾向にあることが業界で問題になり、印章の新しい用途開発やユニークな形態の開発が課題とされるようになってきた。【０００３】  そこで、本願発明者は、平成２３年１月３１日に、印面が形成された印部と持ち手が形成された把持部からなる印章において、請求項１として前記印章把持部をチェス駒の把持部に類似するように形成させること、または前記印章がチェス駒として用いることが可能になるように形成させること、を特徴とする印章、請求項２として手紙の封に用いられる封蝋に押し付ける押型部と持ち手が形成された把持部からなる印璽において、前記印璽把持部をチェス駒の把持部に類似するように形成させること、または前記印璽がチェスの駒として用いることが可能になるように形成させること、を特徴とする印璽、請求項３としてチェス盤に接地する接地部と持ち手が形成された把持部からなるチェス駒において、前記チェス駒接地部に印章の印面を形成させること、または前記チェス駒が印章として用いることが可能になるように形成させること、を特徴とするチェス駒、請求項４としてチェス盤に接地する接地部と持ち手が形成された把持部からなるチェス駒において、前記チェス駒接地部に印璽の押型部を形成させること、または前記チェス駒が印璽として用いることが可能になるように形成させること、を特徴とするチェス駒の実用新案を出願し、後に登録された。（特許文献１を参照する）【０００４】  また、印章のユニークな形態の開発例としては、例えば、印鑑の構造、特に文字、模様等の各種印影を組み合わせて押印できる複合式印鑑であり、スライドして変わる主印鑑と従印鑑との相互位置関係によって、主印鑑の印影だけ、又は従印鑑の印影だけ、あるいは主印鑑の印影と従印鑑の印影を同時に押印できるようにする所定位置固定機構、及び従印鑑が主印鑑胴部の周囲に回転するのを防止する機構を備えてなることを特徴とする複合式印鑑の開発例が知られている。（特許文献２を参照する）
また例えば、胴体の内部に収納庫を形成し、蓋の内部に空洞部を形成したことを特徴とした収納庫付き印鑑であり、また収納庫の上部には、胴体と蓋とを合体する為の雌ねじを形成し、蓋の内部に空洞部を形成し、更に蓋の下部には、蓋と胴体とを合体する為の雄ネジを形成することで、印鑑の内部に空間が形成され、印鑑の使用履歴などを記録するための、記録体を収納する事ができることを特徴とする収納庫付き印鑑の開発例が知られている。（特許文献３を参照する）
また例えば、下面に凸印部を有し上面に十字形に直交する縦向突条及び横向突条を突設したゴム印盤と、把手部の下端口に左右に対向離間する一対の固定枠を設け、固定枠には印盤横向突条の両端部が嵌入される半割り部品接合構造の中空押印体を設け、この押印体の下端口内には、押印体の左右固定枠間に退入して固定枠下面と面一になり且つ固定枠の前後方向に一部突出して押出把持部を形成する可動枠の左右板中央部に押印体固定枠と合致し印盤横向突条が嵌入される切欠溝を設けた可動印台とを具備することで、ゴム印盤の取替を容易にした印盤着脱式の押印の開発例が知られている。（特許文献４を参照する）
また例えば、印面部分とその他の印材部分とを異なる材料を用い、両者を長さ方向に突き合わせて接着し、この接着部分の周囲に周溝を形成し、この周溝に貴金属製リングをはめ込んだことを特徴とする印材によって、例えば、連結部分に微妙な食い違いが出ても貴金属製リングで隠されるため、商品価値が損なわれることがなく、製造に際しても貴金属製リング内で接着するので製造も簡単になる効果や、印材の中程に装着される貴金属製リングに彫刻等を施しておくことで、より装飾性に富む印材の開発例が知られている。（特許文献５を参照する）
また例えば、再生樹脂により柱体の把持体を成形し、法人名や個人名が刻印されたつげ材からなる立方体形状の印面材を作製し、把持体に複数の突起を形成し、把持体の突起が挿入される位置決め穴を印面材に掘穿し、把持体の軸線に沿って、把持体及び印面材の締結手段としての皿ねじの挿通穴を把持体に形成し、把持体の突起を印面材の位置決め穴に挿入し、皿ねじを把持体の挿通穴に挿通し、把持体及び印面材を締結することで、簡単な加工で安価に作製できることを特徴とする複合材質の印鑑の開発例が知られている。（特許文献６を参照する）
また例えば、本体と押印部とを分離構成し、本体内に空間部を形成し、押印部の背面には彫刻像を形成し、本体と押印部とを分離可能に結合することによって、使用者が必要な時には彫刻像を取出して見たり、また多くの彫刻像を交替して使用でき、本体と押印部とを分離可能に結合する手段が螺旋部と螺旋部で形成され、突出峰を穴に強制挿入して彫刻像を押印部に結合することにより、必要時に押印部と彫刻像を分離可能となしたことを特徴とする、本体内に彫刻像を収納した印鑑の開発例が知られている。（特許文献７を参照する）
また例えば、ホルダとスタンプ本体とに二分割して形成されたスタンプにおいて、ホルダは、スタンプ本体を着脱自在に嵌入しうる凹部と挾持部を有し、かつ把持部の両側面を押圧と押圧解除をすることで、凹部を拡縮させる弾性部材を有し、スタンプ本体は、凹部に嵌入される挿入部と彫刻部を有して、凹部を拡大させたときに凹部から脱落すること、を特徴とするスタンプの開発例が知られている。（特許文献８を参照する）
また例えば、印章を、刻字したスタンプ部分と取手部分に分割し、それぞれ複数の形状内容にデザインしたものを用意し、スタンプ部分と取手部分を使用者の用途目的に合わせて選択させたうえ、両者を結合させて使用する印章であることを特徴とする、セパレート印章の開発例が知られている。（特許文献９を参照する）【０００５】  また従来から印璽は、シーリングスタンプ（英：Ｓｅａｌｉｎｇ  ｓｔａｍｐ）とも呼ばれ、蝋（一般的には着色され棒状のものが多い）を蝋燭などの火で炙って溶かし、封筒や手紙の蓋の上に垂らし、蝋が固まる前に素早く押し付けて封蝋（シーリングワックス、英：Ｓｅａｌｉｎｇ  ｗａｘ）されるのに用いられる印章のような形状の型のことを示している。欧米では、この印璽に差出人個人やその人物の家系のシンボルを刻み、手紙の差出人を証明する証として用いられてきた。また印璽は、例えば封筒や手紙や文書の場合は、この上に印璽（この場合は「シール」（英：Ｓｅａｌ）とも表現される）で刻印することで、中身が手つかずである証明を兼ねる場合がある。ということが一般的に知られている。（フリー百科事典『ウィキペディア（Ｗｉｋｉｐｅｄｉａ）より引用する』
また、従来からの印璽（Ｓｅａｌｉｎｇ  ｓｔａｍｐ）は、中世ヨーロッパにおいて、使用されるようになったと言われ、例えば封筒や手紙の封蝋（Ｓｅａｌｉｎｇ  ｗａｘ）に用いられる場合は封筒や手紙の差出人を証明する証として用いられたり、また例えば封筒や手紙や文書の上に印璽（Ｓｅａｌ）で刻印する場合は中身が手つかずである証明として用いられたり、また例えば欧米ではウイスキーやブランデーなどの高級酒の封にも手紙と同様の封蝋を手作業で施すこと用いられたり、また例えば封蝋を模した印刷物や樹脂製のパッチでリボンを留めるのに用いて製造者の証明とともに高級感の演出として用いられることがあった。ところが我が国では、これらの使用例は一部のマニアの間には知られているが、一般的な消費者にまで知られているレベルではないことが報告されている。また、電子メールというインターネットを介したデジタル文化の普及により、我が国を始め世界的な傾向として、手作業を伴う封筒や手紙や文章によるメッセージの提供や交換というアナログ文化の減少傾向が見られるという報告もされている。したがって、上述したアナログ文化の減少に比例して封蝋と印璽を用いるというニーズの減少傾向に対する開発が課題となっている。
【先行技術文献】
【特許文献】
【０００６】
【特許文献１】実用新案登録第３１６７４９３号公報
【特許文献２】特許第３９０１５６４号特許公報
【特許文献３】特開２００１−８８４１４号公報
【特許文献４】実公平７−１７５００号公報
【特許文献５】実公平６−４２８６４号公報
【特許文献６】実用新案登録第３０９３１１３号公報
【特許文献７】登録実用新案第３００１０６１号公報
【特許文献８】実用新案登録第２５１０４４６号公報
【特許文献９】実開昭６２−１７８１６９号公報
【発明の開示】
【発明が解決しようとする課題】
【０００７】  ところが本願発明者が特許文献１の印章や印璽を製品化し、販売を始めたところ、消費者の一部から、チェス駒形状の印章や印璽を全体的および部分的に色々な色や、色々な材質や、色々な仕上げ方法で作れないものか求められ、更に、印章や印璽の形状がチェス駒だけでなく、もっと色々な形状や、色々な材質など、印材としてデザイン性に特徴を持たせ、使用者に、精神的な豊かさである所有する喜びや充足感、および創造性の喚起といった、消費者の購買意欲を刺激するような、印章や印璽ができないものか、という依頼が寄せられた。
そこで、本願発明者は、これら消費者のニーズを解決できないものかと開発に着手したところ、印章や印璽が夫々一体化したままの形態では上述したニーズを解決する開発案は難しいとの考えに至り、例えば一般的に印章として用いられる印章体が押印部と本体から成る場合に、押印部と本体が、夫々の任意部位で着脱が可能になりかつ任意の組合せが可能になる印章体に関する発明が必要であり、また、例えば一般的に手紙の封に印璽として用いられる印璽体が押型部と本体から成る場合に、押型部と本体が、夫々の任意部位で着脱が可能になりかつ任意の組合せが可能になる印璽体に関する発明が必要である、と判断し、類似案件の調査を実施したところ、特許文献２から特許文献９の開発案件を発見し、夫々の応用の可能性や問題点を検討した。【０００８】  例えば、特許文献２の複合式印鑑の開発例では、主印鑑の印影と従印鑑の印影とが別異の印色で構成されるようにしたことは、主印鑑と従印鑑が自在に組み合わせ可能であるが、この印鑑の構造上、文字や模様等の印影の組み合わせができるだけの印鑑であり、主印鑑と従印鑑を、色々な形状にしたり、印材としてデザイン性に特徴を持たせたりして、使用者の創造性を喚起するような印鑑への応用開発は難しいと判断するに至った。
また例えば、特許文献３の収納庫付き印鑑の開発例では、胴体と蓋とを合体する為の雌ねじを形成し、蓋の下部には、蓋と胴体とを合体する為の雄ネジを形成することで、胴体と蓋とは組合せが自在になるが、胴体と蓋を、色々な形状にしたり、色々な材質にしたり、印材としてデザイン性に特徴を持たせたりして、使用者の創造性を喚起したり消費者の購買意欲を刺激するような印鑑への応用開発は難しいと判断するに至った。
また例えば、特許文献４の印盤着脱式の押印の開発例では、ゴム印盤と押印体が着脱することで、ゴム印盤と押印体の組合せが比較的可能になるが、ゴム印盤と押印体を、色々な形状にしたり、色々な材質にしたり、印材としてデザイン性に特徴を持たせたりして、使用者の創造性を喚起したり消費者の購買意欲を刺激するような印鑑への応用開発は難しいと判断するに至った。
また例えば、特許文献５の印材の開発例では、印面部分とその他の印材部分とを異なる材料を用いることや、印材の中程に装着される貴金属製リングに彫刻等を施しておくことは、印面部分とその他の印材部分と貴金属製リングは夫々交換可能であり、組合せが自在である可能性があるが、印面部分とその他の印材部分が色々な形状であったり、印面部分とその他の印材部分のデザイン性に特徴を持たせたり、貴金属製リングが色々な形状であったり、貴金属製リングに設ける彫刻等に革新姓を持たせることが容易ではないので、この開発例では使用者の創造性を喚起したり消費者の購買意欲を刺激するような印鑑への応用開発は難しいと判断するに至った。
また例えば、特許文献６の複合材質の印鑑の開発例では、把持体と印面材の構造により、把持体と印面材の材質が異なる場合の組合せが可能であり、簡単な加工で安価に作製できる複合材質の印鑑であることを特徴とするが、把持体と印面材を夫々色々な形状やデザイン性に特徴を持たせることは難しいので、使用者の創造性を喚起したり消費者の購買意欲を刺激するような印鑑への応用開発は難しいと思われる。
また例えば、特許文献７の本体内に彫刻像を収納した印鑑の開発例では、本体と押印部とが分離可能に結合されていることと、本体内に収納する彫刻像を交替して使用できることを特徴とすることで、本体と押印部と本体内に収納する彫刻像を、夫々色々な材質やデザイン性に特徴を持たせることは可能であるが、本体と押印部をその構造上色々な形状に形成することは難しく、また本体内に収納する物体を彫刻像に特化していることで使用者の創造性を喚起することは難しく、したがって彫刻像に興味や関心のある消費者には支持される可能性はあるが、比較的平均的・一般的な消費者の購買意欲を刺激するような、印鑑への応用開発は難しいと思われる。
また例えば、特許文献８のスタンプの開発例では、ホルダとスタンプ本体とに分割形成され、凹部と挿入部によって、ホルダとスタンプ本体は嵌入したり脱落したりすることを特徴とするが、ホルダとスタンプ本体は夫々その構造上、形状や材質は制限され、デザイン性の範囲にも限度があるので、使用者の創造性を喚起したり、一般的な消費者の購買意欲を刺激するような、スタンプへの応用開発は難しいという報告が業界の関係者からなされた。
また例えば、特許文献９のセパレート印章の開発例では、刻字したスタンプ部分と取手部分に分割し、それぞれ複数の形状内容にデザインしたものを用意し、スタンプ部分と取手部分を使用者の用途目的に合わせて選択させたうえ、両者を結合させて使用させたり、デザイン性にこだわっているので、消費者の購買意欲を刺激する印章の開発例であると思われるが、スタンプ部分と取手部分を分割したり結合させるための構造が、両者の形状の範囲や材質を制限しているので、両者の印材としてデザイン性に特徴を持たせることにも範囲が限られ、さらに使用者の創造性を喚起する点も弱いという報告が業界の関係者からなされた。【０００９】  本発明は、上記の印章（Ｓｔａｍｐ）や印璽（Ｓｅａｌｉｎｇ  ｓｔａｍｐ）に関する課題を解決するために成されたものであり、色々な形状や色々な材質に応じての組合せが可能であり、また印材としてデザイン性に特徴を持たせ、使用者に、精神的な豊かさである所有する喜びや充足感、および創造性の喚起といった、消費者の購買意欲を刺激するような、印章や印璽の提供を目的とする。
【課題を解決するための手段】
【００１０】  課題を解決するための第一の手段（本願請求項１に該当）は、一般的に印章として用いられる印章体が押印部と本体から成る場合に、前記印章体押印部は印面部と着脱可能手段で形成され、前記印面部の任意の部位に着脱可能手段は少なくとも一つ形成され、前記印章体本体は把持部と着脱可能手段で形成され、前記印章体把持部の任意の部位に着脱可能手段が少なくとも一つ形成されることで、前記印章体押印部の任意部位と前記印章体本体の任意部位とは前記着脱可能手段を介しての着脱の組合せが任意件数になることを特徴とする、分割及び組合せ可能な印章体を提供することである。【００１１】  課題を解決するための第一の手段で記載した印章（Ｓｔａｍｐ）に関しては、印面に文字や記号や図形やこれらの組み合わせを刻設し、個人・官職・団体のしるしとして公私の文書に押して特有の痕跡（印影・印痕）を残すことにより、その責任や権威を証明するものであり、印、判、印判、印形、印顆、印信、判子、印鑑ともいい、紙などに印章を押したあとを印影という。また、印章を押すことを押印、捺印、押捺という。
課題を解決するための第一の手段で記載した印章体に関しては、本明細書で記載した印章に関しての説明内容に順ずるが、該印章体は、一見すると該印章に類似するような形状の物体も包含する形体であったりする場合や、一見すると該印章に類似しない形状の物体も包含する形体であったりする場合も含むものとする。また印章体が押印部と本体から成る場合には、該押印部が本明細書で記載した印章に関しての説明内容に順ずるが、該押印部は、一見すると該印章に類似するような形状の物体も包含する形体であったりする場合や、一見すると該印章に類似しない形状の物体も包含する形体であったりする場合も含むものとする。また該本体が本明細書で記載した印章に関しての説明内容に順ずるが、該本体は、一見すると該印章に類似するような形状の物体も包含する形体であったりする場合や、一見すると該印章に類似しない形状の物体も包含する形体であったりする場合も含むものとする。【００１２】  課題を解決するための第一の手段で記載した、印章体が押印部と本体から成る場合に、に関しては、本明細書で記した印章体の目的は、紙などのシート体に印章体を押して印影を生じさせることにあり、該印章体に紙などのシート体に当接または圧接させ印影を生じさせる部位として押印部を設ける場合には、該印章体の任意の部位に形成させることが可能であるが、紙などのシート体に印影を生じさせる以外の作業を担当させる場合に必要な部位を本体とする。
したがって、前記本体に求められる機能としては、押印部を、保持したり、固着したり、圧着したり、嵌着したり、吸着したり、挟着したり、係着したり、軸着したり、枢着したり、接着したり、挿着したり、蝶着したり、締着したり、鋲着したり、螺着したり、する機能の中から選択して、単独もしくは組合わせたものである。
また前記本体に求められる機能としては、押印部を、保護したり、移動させたり、使用者が押印作業を効率的に実施するための機能、使用者が押印作業を正確に実施させるための機能、消費者が本願印章体を所有したくなる機能、使用者が本願印章体を所有した後に所有し続けることの欲求を生じさせる機能、使用者が本願印章体を所有した後に使用者の創造性を喚起する機能、使用者が本願印章体を所有した後に使用者の美意識を刺激する機能、の中から選択して、単独もしくは組合わせたものである。
したがって、前記本体機能を一つの印章体で実現したい場合は、例えば本願印章体の製造者が製造時または製造後または任意のタイミングで、例えば本願印章体の販売者が仕入れ時または販売時または任意のタイミングで、例えば本願印章体の購買者が購買時または購買後または任意のタイミングで、前記本体を前記本体機能に対応させて、分離したり、組み立てたり、できるような状態に分割しても構わない。この場合、例えば前記本体を２分割する場合は分割体１と分割体２で形成し、例えば前記本体を３分割する場合は分割体１と分割体２と分割体３で形成し、例えば前記本体を４分割する場合は分割体１と分割体２と分割体３と分割体４で形成し、例えば前記本体をＮ＋１（Ｎ＝４以上の自然数）分割する場合は分割体１と分割体２と分割体３と分割体４と分割体（Ｎ＋１（Ｎ＝４以上の自然数））で形成すればよいことになる。【００１３】  課題を解決するための第一の手段で記載した、前記印章体押印部は印面部と着脱可能手段で形成され、ることに関しては、前記印章体押印部は前記印章体に形成した押印部であり、押印部が印面部と着脱可能手段で形成されることで、押印部と前記本体が着脱可能手段で形成されることは、本明細書で示した前記本体の色々な機能を交換したり組合わせたり選択したりすることが可能になるのであれば、着脱可能手段に関しては、一般的に知られた手段の中から選択して用いればよいが、下記の中から選択して、単独で用いたり組合わせて用いればよい。
ところで、本明細書で用いる着脱可能手段に関しては、「着」可能手段と「脱」可能手段の組み合わせであり、「着」可能手段に関しては、圧着手段（押し付けた状態で着ける技術的手段）、嵌着手段（関係物同士を嵌めて着ける技術的手段、例えば凸状部を凹状部に嵌めて着ける手段）、吸着手段（減圧、磁力、など吸引力で着ける技術的手段）、挟着手段（関係物同士を挟んで着ける技術的手段）、係着手段（関係物同士を関係させて着ける技術的手段）、固着手段（関係物同士を固定させて着ける技術的手段）、持着手段（関係物同士を保持して着ける技術的手段）、軸着手段（軸体を介して回転自在に着ける技術的手段）、枢着手段（凹部分と凸部分をもって回動自在に着ける技術的手段）、接着手段（接触した状態に着ける技術的手段）、挿着手段（挿し込んで着ける技術的手段、例えば凸状体を凹状体に挿し込んで着ける手段）、蝶着手段（蝶番のように回動自在に着ける技術的手段）、締着手段（締め付けて着ける技術的手段）、鋲着手段（リベット、鋲で着ける技術的手段）、螺着手段（ねじ込んで着ける技術的手段、例えば雄ネジ部と雌ネジ部の組合せ）、などを用いればよいし、「脱」可能手段に関しては、圧脱手段（圧着状態から外す手段）、嵌脱手段（嵌着状態から外す手段、着脱部が凹凸で一体の状態から凹と凸を分離する手段）、吸脱手段（吸着状態から外す手段）、挟脱手段（挟着状態から外す手段）、係脱手段（係着状態から外す手段）、固脱手段（固着状態から外す手段）、持脱手段（持着状態から外す手段）、軸脱手段（軸着状態から外す手段）、枢脱手段（枢着状態から外す手段）、接脱手段（接着状態から外す手段）、挿脱手段（挿着状態から外す手段）、蝶脱手段（蝶着状態から外す手段）、締脱手段（締着状態から外す手段）、鋲脱手段（鋲着状態から外す手段）、螺脱手段（螺着状態から外す手段、例えば雄ネジと雌ネジの関係）、などを用いればよい。【００１４】  課題を解決するための第一の手段で記載した前記印面部の任意の部位に着脱可能手段は少なくとも一つ形成され、ることに関しては、前記印面部の任意の部位に本明細書で記した着脱可能手段の中から選択した一つ以上の着脱可能手段を設けることが可能であり、この手段を用いることで、前記本体分割体から選択されたタイプを一つ以上着脱可能手段を介して着脱可能に設けることが可能になる、ことを説明するものである。
課題を解決するための第一の手段で記載した前記印章体本体は把持部と着脱可能手段で形成され、ることに関しては、前記印章体本体は把持部と着脱可能手段に分割され、把持部には本明細書で記した着脱可能手段の中から選択した一つ以上の着脱可能手段を設けることか可能であり、かつ把持部に設けられた着脱可能手段がさらに本明細書で記した着脱可能手段の中から選択した一つ以上の着脱可能手段を設けることか可能であることを示している。
また、前記把持部に関しては、把持部の機能として、本明細書で示した押印部を、保護したり、移動させたり、使用者が押印作業を効率的に実施するための機能、使用者が押印作業を正確に実施させるための機能、消費者が本願印章体を所有したくなる機能、使用者が本願印章体を所有した後に所有し続けることの欲求を生じさせる機能、使用者が本願印章体を所有した後に使用者の創造性を喚起する機能、使用者が本願印章体を所有した後に使用者の美意識を刺激する機能、の単独または組合わせた機能を実施できるように形成してもよい。また、その形成手段に関しては特に制限はなく、すなわち物体を加工する技術で一般的に知られた加工技術であれば概ね利用できるものとする。
さらに、本明細書で示した着脱可能手段に関しても、本明細書で示した押印部を、保護したり、移動させたり、使用者が押印作業を効率的に実施するための機能、使用者が押印作業を正確に実施させるための機能、消費者が本願印章体を所有したくなる機能、使用者が本願印章体を所有した後に所有し続けることの欲求を生じさせる機能、使用者が本願印章体を所有した後に使用者の創造性を喚起する機能、使用者が本願印章体を所有した後に使用者の美意識を刺激する機能、の単独または組合わせた機能を実施できるように形成してもよい。また、その形成手段に関しては特に制限はなく、すなわち物体を加工する技術で一般的に知られた加工技術であれば概ね利用できるものとする。【００１５】  課題を解決するための第一の手段で記載した前記印章体把持部の任意の部位に着脱可能手段が少なくとも一つ形成されること、に関しては、前記印章体把持部の任意の部位に本明細書で記した着脱可能手段の中から選択した一つ以上の着脱可能手段を設けることが可能であり、この手段を用いることで、前記印章体把持部を前記本体分割体の一部として選択することで、前記本体分割体から選択されたタイプを一つ以上着脱可能手段を介して着脱可能に設けることが可能になる、ことを説明するものである。
課題を解決するための第一の手段で記載した前記印章体押印部の任意部位と前記印章体本体の任意部位とは前記着脱可能手段を介しての着脱の組合せが任意件数になること、に関しては、前記印章体本体は上述したように、複数以上に分割する場合が可能になるので、例えば前記本体を２分割する場合は分割体１と分割体２で形成した場合は、分割体１の任意部位に一つ以上の前記着脱可能手段を設けることができ、分割体２の任意部位に一つ以上の前記着脱可能手段を設けることができるので、分割体１と分割体２の着脱の組合せが任意件数になることになり、さらに、前記印章体押印部の任意部位と分割体１の任意部位とは前記着脱可能手段を介しての着脱の組合せが任意件数になり、かつ前記印章体押印部の任意部位と分割体２の任意部位とは前記着脱可能手段を介しての着脱の組合せが任意件数になることになる。
例えば前記本体を３分割する場合は分割体１と分割体２と分割体３で形成した場合は、分割体１の任意部位に一つ以上の前記着脱可能手段を設けることができ、分割体２の任意部位に一つ以上の前記着脱可能手段を設けることができ、分割体３の任意部位に一つ以上の前記着脱可能手段を設けることができるので、分割体１と分割体２と分割体３の着脱の組合せが任意件数になることになり、さらに、前記印章体押印部の任意部位と分割体１の任意部位とは前記着脱可能手段を介しての着脱の組合せが任意件数になり、かつ前記印章体押印部の任意部位と分割体２の任意部位とは前記着脱可能手段を介しての着脱の組合せが任意件数になり、かつ前記印章体押印部の任意部位と分割体３の任意部位とは前記着脱可能手段を介しての着脱の組合せが任意件数になることになる。
また例えば前記本体を４分割する場合は分割体１と分割体２と分割体３と分割体４で形成した場合は、分割体１の任意部位に一つ以上の前記着脱可能手段を設けることができ、分割体２の任意部位に一つ以上の前記着脱可能手段を設けることができ、分割体３の任意部位に一つ以上の前記着脱可能手段を設けることができ、分割体４の任意部位に一つ以上の前記着脱可能手段を設けることができるので、分割体１と分割体２と分割体３と分割体４の着脱の組合せが任意件数になることになり、さらに、前記印章体押印部の任意部位と分割体１の任意部位とは前記着脱可能手段を介しての着脱の組合せが任意件数になり、かつ前記印章体押印部の任意部位と分割体２の任意部位とは前記着脱可能手段を介しての着脱の組合せが任意件数になり、かつ前記印章体押印部の任意部位と分割体３の任意部位とは前記着脱可能手段を介しての着脱の組合せが任意件数になることになり、かつ前記印章体押印部の任意部位と分割体４の任意部位とは前記着脱可能手段を介しての着脱の組合せが任意件数になることになる。
また例えば前記本体をＮ＋１（Ｎ＝４以上の自然数）分割する場合は分割体１と分割体２と分割体３と分割体４と分割体（Ｎ＋１（Ｎ＝４以上の自然数））で形成した場合も、上述した内容に順ずるものである。【００１６】  課題を解決するための第二の手段（本願請求項２に該当）は、一般的に手紙の封に印璽として用いられる印璽体が押型部と本体から成る場合に、前記印璽体押型部は型部と着脱可能手段で形成され、前記型部の任意の部位に着脱可能手段は少なくとも一つ形成され、前記印璽体本体は把持部と着脱可能手段で形成され、前記印璽体把持部の任意の部位に着脱可能手段が少なくとも一つ形成されることで、前記印璽体押型部の任意部位と前記印璽体本体の任意部位とは前記本体の任意部位との着脱が可能になり、前記着脱可能手段を介しての着脱の組合せが任意件数になることを特徴とする、分割及び組合せ可能な印璽体を提供することである。【００１７】  課題を解決するための第二の手段で記載した印璽（Ｓｅａｌｉｎｇ  ｓｔａｍｐ）に関しては、例えば欧米における公証人（Ｎｏｔａｒｙ  ｐｕｂｌｉｃ）が署名とともに用いるものもノータリーシール（Ｎｏｔａｒｙ  Ｓｅａｌ）と呼ばれ、封蝋の印璽に似たシンボルのエンボス印を押す場合が知られているが、本考案ではこのノータリーシールも印璽の範疇に入れるものとする。次に前記印璽の材質としては、硬質体であれば何を用いても構わないが、例えば、木（木質系であれば何を用いても構わない）、竹（竹類であれば何を用いても構わない）、宝石（宝石類であれば何を用いても構わない）、鉱物（石英や水晶など、鉱物類であれば何を用いても構わない）、セラミックス系（無機化合物の焼結体であれば何を用いても構わない）、動物の角、動物の牙、金属（金属類であれば何を用いても構わない）、合成樹脂（合成樹脂類であれば何を用いても構わない）などを素材として、単独で用いても組合わせて用いても構わないものとする。【００１８】  課題を解決するための第二の手段で記載した、印璽体が押型部と本体から成る場合に、に関しては、本明細書で記した印璽体の目的は、例えば封筒や手紙の封蝋に用いられる場合は封筒や手紙や文書の上に溶けた蝋を設け、その蝋に印璽で刻印を生じさせることにあり、該印璽体に封筒や手紙や文書の上に当接または圧接させ刻印を生じさせる部位として押型部を設ける場合には、該印璽体の任意の部位に形成させることが可能であるが、封筒や手紙や文書の上に刻印を生じさせる以外の作業を担当させる場合に必要な部位を本体とする。
したがって、前記本体に求められる機能としては、押型部を、保持したり、固着したり、圧着したり、嵌着したり、吸着したり、挟着したり、係着したり、軸着したり、枢着したり、接着したり、挿着したり、蝶着したり、締着したり、鋲着したり、螺着したり、する機能の中から選択して、単独もしくは組合わせたものである。
また前記本体に求められる機能としては、押型部を、保護したり、移動させたり、使用者が押型作業を効率的に実施するための機能、使用者が押型作業を正確に実施させるための機能、消費者が本願印璽体を所有したくなる機能、使用者が本願印璽体を所有した後に所有し続けることの欲求を生じさせる機能、使用者が本願印璽体を所有した後に使用者の創造性を喚起する機能、使用者が本願印璽体を所有した後に使用者の美意識を刺激する機能、の中から選択して、単独もしくは組合わせたものである。
したがって、前記本体機能を一つの印璽体で実現したい場合は、例えば本願印璽体の製造者が製造時または製造後または任意のタイミングで、例えば本願印璽体の販売者が仕入れ時または販売時または任意のタイミングで、例えば本願印璽体の購買者が購買時または購買後または任意のタイミングで、前記本体を前記本体機能に対応させて、分離したり、組み立てたり、できるような状態に分割しても構わない。この場合、例えば前記本体を２分割する場合は分割体１と分割体２で形成し、例えば前記本体を３分割する場合は分割体１と分割体２と分割体３で形成し、例えば前記本体を４分割する場合は分割体１と分割体２と分割体３と分割体４で形成し、例えば前記本体をＮ＋１（Ｎ＝４以上の自然数）分割する場合は分割体１と分割体２と分割体３と分割体４と分割体（Ｎ＋１（Ｎ＝４以上の自然数））で形成すればよいことになる。【００１９】  課題を解決するための第二の手段で記載した、前記印璽体押型部は型部と着脱可能手段で形成され、ることに関しては、前記印璽体押型部は前記印璽体に形成した押型部であり、押型部が型部と着脱可能手段で形成されることで、押型部と前記本体が着脱可能手段で形成されることは、本明細書で示した前記本体の色々な機能を交換したり組合わせたり選択したりすることが可能になるのであれば、着脱可能手段に関しては、一般的に知られた手段の中から選択して用いればよいが、下記の中から選択して、単独で用いたり組合わせて用いればよい。
ところで、本明細書で用いる着脱可能手段に関しては、「着」可能手段と「脱」可能手段の組合わせであり、「着」可能手段に関しては、圧着手段（押し付けた状態で着ける技術的手段）、嵌着手段（関係物同士を嵌めて着ける技術的手段、例えば凸状部を凹状部に嵌めて着ける手段）、吸着手段（減圧、磁力、など吸引力で着ける技術的手段）、挟着手段（関係物同士を挟んで着ける技術的手段）、係着手段（関係物同士を関係させて着ける技術的手段）、固着手段（関係物同士を固定させて着ける技術的手段）、持着手段（関係物同士を保持して着ける技術的手段）、軸着手段（軸体を介して回転自在に着ける技術的手段）、枢着手段（凹部分と凸部分をもって回動自在に着ける技術的手段）、接着手段（接触した状態に着ける技術的手段）、挿着手段（挿し込んで着ける技術的手段、例えば凸状体を凹状体に挿し込んで着ける手段）、蝶着手段（蝶番のように回動自在に着ける技術的手段）、締着手段（締め付けて着ける技術的手段）、鋲着手段（リベット、鋲で着ける技術的手段）、螺着手段（ねじ込んで着ける技術的手段）、などを用いればよいし、「脱」可能手段に関しては、圧脱手段（圧着状態から外す手段）、嵌脱手段（嵌着状態から外す手段、着脱部が凹凸で一体の状態から凹と凸を分離する手段）、吸脱手段（吸着状態から外す手段）、挟脱手段（挟着状態から外す手段）、係脱手段（係着状態から外す手段）、固脱手段（固着状態から外す手段）、持脱手段（持着状態から外す手段）、軸脱手段（軸着状態から外す手段）、枢脱手段（枢着状態から外す手段）、接脱手段（接着状態から外す手段）、挿脱手段（挿着状態から外す手段）、蝶脱手段（蝶着状態から外す手段）、締脱手段（締着状態から外す手段）、鋲脱手段（鋲着状態から外す手段）、螺脱手段（螺着状態から外す手段）、などを用いればよい。【００２０】  課題を解決するための第二の手段で記載した、前記型部の任意の部位に着脱可能手段は少なくとも一つ形成され、ることに関しては、前記型部の任意の部位に本明細書で記した着脱可能手段の中から選択した一つ以上の着脱可能手段を設けることが可能であり、この手段を用いることで、前記本体分割体から選択されたタイプを一つ以上着脱可能手段を介して着脱可能に設けることが可能になる、ことを説明するものである。
課題を解決するための第二の手段で記載した、前記印璽体本体は把持部と着脱可能手段で形成され、ることに関しては、前記印璽体本体は把持部と着脱可能手段に分割され、把持部には本明細書で記した着脱可能手段の中から選択した一つ以上の着脱可能手段を設けることか可能であり、かつ把持部に設けられた着脱可能手段がさらに本明細書で記した着脱可能手段の中から選択した一つ以上の着脱可能手段を設けることか可能であることを示している。
また、前記把持部に関しては、把持部の機能として、本明細書で示した押型部を、保護したり、移動させたり、使用者が押型作業を効率的に実施するための機能、使用者が押型作業を正確に実施させるための機能、消費者が本願印璽体を所有したくなる機能、使用者が本願印璽体を所有した後に所有し続けることの欲求を生じさせる機能、使用者が本願印璽体を所有した後に使用者の創造性を喚起する機能、使用者が本願印璽体を所有した後に使用者の美意識を刺激する機能、の単独または組合わせた機能を実施できるように形成してもよい。また、その形成手段に関しては特に制限はなく、すなわち物体を加工する技術で一般的に知られた加工技術であれば概ね利用できるものとする。
さらに、本明細書で示した着脱可能手段に関しても、本明細書で示した押型部を、保護したり、移動させたり、使用者が押型作業を効率的に実施するための機能、使用者が押型作業を正確に実施させるための機能、消費者が本願印璽体を所有したくなる機能、使用者が本願印璽体を所有した後に所有し続けることの欲求を生じさせる機能、使用者が本願印璽体を所有した後に使用者の創造性を喚起する機能、使用者が本願印璽体を所有した後に使用者の美意識を刺激する機能、の単独または組合わせた機能を実施できるように形成してもよい。また、その形成手段に関しては特に制限はなく、すなわち物体を加工する技術で一般的に知られた加工技術であれば概ね利用できるものとする。【００２１】  課題を解決するための第二の手段で記載した、前記印璽体把持部の任意の部位に着脱可能手段が少なくとも一つ形成されること、に関しては、前記印璽体把持部の任意の部位に本明細書で記した着脱可能手段の中から選択した一つ以上の着脱可能手段を設けることが可能であり、この手段を用いることで、前記印璽体把持部を前記本体分割体の一部として選択することで、前記本体分割体から選択されたタイプを一つ以上着脱可能手段を介して着脱可能に設けることが可能になる、ことを説明するものである。
課題を解決するための第二の手段で記載した、前記印璽体押型部の任意部位と前記印璽体本体の任意部位とは前記本体の任意部位との着脱が可能になること、に関しては、前記印璽体本体は上述したように、複数以上に分割する場合が可能になるので、例えば前記本体を２分割する場合は分割体１と分割体２で形成した場合は、分割体１の任意部位に一つ以上の前記着脱可能手段を設けることができ、分割体２の任意部位に一つ以上の前記着脱可能手段を設けることができるので、分割体１と分割体２の着脱の組合せが任意件数になることになり、さらに、前記印章体押印部の任意部位と分割体１の任意部位とは前記着脱可能手段を介しての着脱の組合せが任意件数になり、かつ前記印璽体押型部の任意部位と分割体２の任意部位とは前記着脱可能手段を介しての着脱の組合せが任意件数になることになる。
例えば前記本体を３分割する場合は分割体１と分割体２と分割体３で形成した場合は、分割体１の任意部位に一つ以上の前記着脱可能手段を設けることができ、分割体２の任意部位に一つ以上の前記着脱可能手段を設けることができ、分割体３の任意部位に一つ以上の前記着脱可能手段を設けることができるので、分割体１と分割体２と分割体３の着脱の組合せが任意件数になることになり、さらに、前記印璽体押型部の任意部位と分割体１の任意部位とは前記着脱可能手段を介しての着脱の組合せが任意件数になり、かつ前記印璽体押型部の任意部位と分割体２の任意部位とは前記着脱可能手段を介しての着脱の組合せが任意件数になり、かつ前記印璽体押型部の任意部位と分割体３の任意部位とは前記着脱可能手段を介しての着脱の組合せが任意件数になることになる。
また例えば前記本体を４分割する場合は分割体１と分割体２と分割体３と分割体４で形成した場合は、分割体１の任意部位に一つ以上の前記着脱可能手段を設けることができ、分割体２の任意部位に一つ以上の前記着脱可能手段を設けることができ、分割体３の任意部位に一つ以上の前記着脱可能手段を設けることができ、分割体４の任意部位に一つ以上の前記着脱可能手段を設けることができるので、分割体１と分割体２と分割体３と分割体４の着脱の組合せが任意件数になることになり、さらに、前記印璽体押型部の任意部位と分割体１の任意部位とは前記着脱可能手段を介しての着脱の組合せが任意件数になり、かつ前記印璽体押型部の任意部位と分割体２の任意部位とは前記着脱可能手段を介しての着脱の組合せが任意件数になり、かつ前記印璽体押型部の任意部位と分割体３の任意部位とは前記着脱可能手段を介しての着脱の組合せが任意件数になることになり、かつ前記印璽体押型部の任意部位と分割体４の任意部位とは前記着脱可能手段を介しての着脱の組合せが任意件数になることになる。
また例えば前記本体をＮ＋１（Ｎ＝４以上の自然数）分割する場合は分割体１と分割体２と分割体３と分割体４と分割体（Ｎ＋１（Ｎ＝４以上の自然数）で形成した場合も、上述した内容に順ずるものである。【００２２】  課題を解決するための第三の手段（本願請求項３に該当）は、前記印章体押印部及び前記印章体本体の形状が、チェス駒、人、人形、動物、植物、幾何形状、勝利記念品、飛翔体、建築物、家具部位、脚付飲用容器形状、などから選択される少なくとも一つに類似するように形成させることを特徴とする、課題を解決するための第一の手段及び請求項１に記載の分割及び組合せ可能な印章体を提供することである。【００２３】  課題を解決するための第三の手段で記載した、前記印章体押印部に関しては、課題を解決するための第一の手段に記載した内容に順ずるものとする。
課題を解決するための第三の手段で記載した、前記印章体本体に関しては、課題を解決するための第一の手段に記載した内容に順ずるものとする。
課題を解決するための第三の手段で記載した、前記印章体押印部及び前記印章体本体の形状が、チェス駒、人、人形、動物、植物、幾何形状、勝利記念品、飛翔体、建築物、家具部位、脚付飲用容器形状、であることに関しては、例えば「チェス駒、という形状」に関しては、キングの形状、クイーンの形状、ルークの形状、ビショップの形状、ナイトの形状、ポーンの形状、などで構成され、競技に使用されるレベルのチェス駒やチェス駒に類似する物品または一見するとチェス駒に見えてしまう形状も含み、またチェス駒の誇張された表現や省略された表現や忠実に再現された表現を含み、またキング形状の一部、クイーン形状の一部、ルーク形状の一部、ビショップ形状の一部、ナイト形状の一部、ポーン形状の一部、なども含むものとする。またチェス駒に関しては、全体の立体形状、全体の平面形状、全体の側面形状、全体の正面形状、全体の底面形状、またチェス駒と認識可能な一部位の、立体形状、平面形状、側面形状、正面形状、底面形状、をも含むものと考える。
また、例えば「人、という形状」に関しては、この場合の「人」は、一般的には、人類（ホモ・サピエンス）や人間を示し、前記「人」形状は本発明では人体を示すものとする。また、前記人体には、それに類似する形状または一見すると人体に見えてしまう形状を含み、誇張された表現、省略された表現、忠実に再現された表現、を含むものとする。また前記人体に関しては、全体の立体形状、全体の平面形状、全体の側面形状、全体の正面形状、全体の底面形状、また前記人体形状と認識可能な一部位の、立体形状、平面形状、側面形状、正面形状、底面形状、も含むものとする。また、前記人体認識可能一部位に関しては、頭部、顔、手、腕、指、胴体、足、を示すものとする。【００２４】  また、例えば「人形、という形状」に関しては、一般的には、人形（にんぎょう、ひとがた）は、狭義には人間の姿を、広義には人間以外の動物や架空の生物も含めて、それらの姿に似せて作られた物を示す。また、前記人形形状には、それに類似する形状または一見すると前記人形に見えてしまう形状を含み、誇張された表現、省略された表現、忠実に再現された表現、を含むものとする。また前記人形に関しては、全体の立体形状、全体の平面形状、全体の側面形状、全体の正面形状、全体の底面形状、また前記人形形状と認識可能な一部位の、立体形状、平面形状、側面形状、正面形状、底面形状、も含むものとする。また、前記人形認識可能一部位に関しては、頭部、顔、手、腕、指、胴体、足、を示すものとする。また前記人形の主な用途は、祭礼などの宗教行事や伝統行事、文楽などの人形劇で使われる他、玩具、土産物、芸術作品など、さまざまな分野がある。
また、例えば「動物、という形状」に関しては、一般的には、哺乳類、鳥類、魚貝類、昆虫、爬虫類、両生類、などの形状を示すものとする。また、前記動物形状には、それに類似する形状または一見すると前記動物に見えてしまう形状を含み、誇張された表現、省略された表現、忠実に再現された表現、を含むものとする。また前記動物に関しては、全体の立体形状、全体の平面形状、全体の側面形状、全体の正面形状、全体の底面形状、また前記動物形状と認識可能な一部位の、立体形状、平面形状、側面形状、正面形状、底面形状、も含むものとする。また、前記動物認識可能一部位に関しては、頭部、顔、手（鳥類や魚貝類や昆虫類は除く）、腕（鳥類や魚貝類や昆虫類は除く）、指（鳥類や魚貝類や昆虫類は除く）、胴体、足、を示すものとする。
また、例えば「植物、という形状」に関しては、本発明では、樹木、花卉、草本、キノコ類、などの形状を示すものとする。また、前記植物形状には、それに類似する形状または一見すると前記植物に見えてしまう形状を含み、誇張された表現、省略された表現、忠実に再現された表現、を含むものとする。また前記植物に関しては、全体の立体形状、全体の平面形状、全体の側面形状、全体の正面形状、全体の底面形状、また前記植物形状と認識可能な一部位の、立体形状、平面形状、側面形状、正面形状、底面形状、も含むものとする。また、前記植物認識可能一部位に関しては、花、果実、葉、を示すものとする。【００２５】  また、例えば「幾何形状、という形状」に関しては、一般的には、２次元図形と３次元図形として知られており、例えば、２次元図形としては、正三角形、正方形、正五角形、正多角形、多角形、円、楕円、などが知られている。また、一般的なの多角形として、三角形、二等辺三角形、直角三角形、直角二等辺三角形、四角形、長方形、菱形、平行四辺形、台形、等脚台形、凧形、などが知られている。また例えば、３次元図形としては、正多面体、錐体、錐台、柱体、円体、として知られており、例えば正多面体としては、正四面体、正六面体、正八面体、正十二面体、正二十面体、などがあり、例えば錐体としては、円錐、角錐、三角錐、四角錐、五角錐、双錐体、双円錐、双角錐、などがあり、例えば錐台としては、円錐台、角錐台、などがあり、例えば柱体としては、円柱、角柱、などがあり、例えば円体としては、体楕円体、球、などが知られている。本発明では、前記幾何形状を、夫々単独で用いたり、夫々任意に組合わせて用いることができるものとする。
また、例えば「勝利記念品、という形状」に関しては、スポーツやゲームや競技などで、勝利者に対して提供される記念品またはそれに類似する物品または一見するとその物品に見えてしまう物品の形状を示し、誇張された表現、省略された表現、忠実に再現された表現、を含むものとする。例えば、前記勝利記念品形状としては、トロフィー、カップ、メダル等、が知られている。また前記勝利記念品形状に関しては、全体の立体形状、全体の平面形状、全体の側面形状、全体の正面形状、全体の底面形状、また前記勝利記念品形状と認識可能な一部位の、立体形状、平面形状、側面形状、正面形状、底面形状、も含むものとする。
また、例えば「飛翔体、という形状」に関しては、空中や水中や宇宙空間を一定時間飛翔する紡錘形状の物体の形状を示し、一般的な飛翔体としては、銃弾、砲弾、ミサイル、ロケット等の形状が知られている。また、前記飛翔体形状には、それに類似する物品または一見するとその物品に見えてしまう形状を示し、誇張された表現、省略された表現、忠実に再現された表現、を含むものとする。また前記飛翔体形状に関しては、全体の立体形状、全体の平面形状、全体の側面形状、全体の正面形状、全体の底面形状、また前記飛翔体形状と認識可能な一部位の、立体形状、平面形状、側面形状、正面形状、底面形状、も含むものとする。【００２６】  また、例えば「建築物、という形状」に関しては、洋の東西、建築された時期に関係なく、建築された構造物、を示しており、建築物としては、一般的には、寺院、神社、教会、神殿、宮殿、競技場、城、塔、門、橋、劇場、ホテル（宿泊施設）、駅（駅舎）、官公庁舎、学校、博物館、美術館、図書館、などが知られている。また、本発明では、前記建築物の部位も前記建築物として含むものとし、例えば一般的な建築物部位としては、屋根、柱、梁、壁、床、階段、基礎、天井、採光設備、などを含むものとし、本発明では、前記建築物部位を、夫々単独で用いたり、夫々任意に組合わせて用いることができるものとする。
また、例えば「家具部位、という形状」に関しては、一般的に知られている家具の部位を示しており、例えば、取手、つまみ、支柱、脚部等の形状を示しており、また前記家具部位形状には、それに類似する物品または一見するとその物品に見えてしまう形状も示し、誇張された表現、省略された表現、忠実に再現された表現、を含むものとする。また前記家具部位形状に関しては、全体の立体形状、全体の平面形状、全体の側面形状、全体の正面形状、全体の底面形状、また前記家具部位形状と認識可能な一部位の、立体形状、平面形状、側面形状、正面形状、底面形状、も含むものとする。
また、例えば「脚付飲用容器形状、という形状」に関しては、例えば一般的に知られているワイングラスのように、容器部と脚部で構成されている場合に、脚部の特徴的な様々な形状によって、容器全体に装飾性を付与する作用に、本発明者が着目して本発明の形状に利用したものである。また前記脚付飲用容器形状には、それに類似する物品または一見するとその物品に見えてしまう形状も示し、誇張された表現、省略された表現、忠実に再現された表現、を含むものとする。【００２７】  課題を解決するための第四の手段（本願請求項４に該当）は、前記印璽体押型部及び前記印璽体本体の形状が、チェス駒、人、人形、動物、植物、幾何形状、勝利記念品、飛翔体、建築物、家具部位、脚付飲用容器形状、などから選択される少なくとも一つに類似するように形成させることを特徴とする、課題を解決するための第二の手段及び請求項２に記載の分割及び組合せ可能な印璽体を提供することである。【００２８】  課題を解決するための第四の手段で記載した、前記印璽体押型部に関しては、課題を解決するための第二の手段に記載した内容に順ずるものとする。
課題を解決するための第四の手段で記載した、前記印璽体本体に関しては、課題を解決するための第二の手段に記載した内容に順ずるものとする。
課題を解決するための第四の手段で記載した、前記印璽体押型部及び前記印璽体本体の形状が、チェス駒、人、人形、動物、植物、幾何形状、勝利記念品、飛翔体、建築物、家具部位、脚付飲用容器形状、であることに関しては、例えば「チェス駒、という形状」に関しては、キングの形状、クイーンの形状、ルークの形状、ビショップの形状、ナイトの形状、ポーンの形状、などで構成され、競技に使用されるレベルのチェス駒やチェス駒に類似する物品または一見するとチェス駒に見えてしまう形状も含み、またチェス駒の誇張された表現や省略された表現や忠実に再現された表現を含み、またキング形状の一部、クイーン形状の一部、ルーク形状の一部、ビショップ形状の一部、ナイト形状の一部、ポーン形状の一部、なども含むものとする。またチェス駒に関しては、全体の立体形状、全体の平面形状、全体の側面形状、全体の正面形状、全体の底面形状、またチェス駒と認識可能な一部位の、立体形状、平面形状、側面形状、正面形状、底面形状、をも含むものと考える。
また、例えば「人、という形状」に関しては、この場合の「人」は、一般的には、人類（ホモ・サピエンス）や人間を示し、前記「人」形状は本発明では人体を示すものとする。また、前記人体には、それに類似する形状または一見すると人体に見えてしまう形状を含み、誇張された表現、省略された表現、忠実に再現された表現、を含むものとする。また前記人体に関しては、全体の立体形状、全体の平面形状、全体の側面形状、全体の正面形状、全体の底面形状、また前記人体形状と認識可能な一部位の、立体形状、平面形状、側面形状、正面形状、底面形状、も含むものとする。また、前記人体認識可能一部位に関しては、頭部、顔、手、腕、指、胴体、足、を示すものとする。【００２９】  また、例えば「人形、という形状」に関しては、一般的には、人形（にんぎょう、ひとがた）は、狭義には人間の姿を、広義には人間以外の動物や架空の生物も含めて、それらの姿に似せて作られた物を示す。また、前記人形形状には、それに類似する形状または一見すると前記人形に見えてしまう形状を含み、誇張された表現、省略された表現、忠実に再現された表現、を含むものとする。また前記人形に関しては、全体の立体形状、全体の平面形状、全体の側面形状、全体の正面形状、全体の底面形状、また前記人形形状と認識可能な一部位の、立体形状、平面形状、側面形状、正面形状、底面形状、も含むものとする。また、前記人形認識可能一部位に関しては、頭部、顔、手、腕、指、胴体、足、を示すものとする。また前記人形の主な用途は、祭礼などの宗教行事や伝統行事、文楽などの人形劇で使われる他、玩具、土産物、芸術作品など、さまざまな分野がある。
また、例えば「動物、という形状」に関しては、一般的には、哺乳類、鳥類、魚貝類、昆虫、爬虫類、両生類、などの形状を示すものとする。また、前記動物形状には、それに類似する形状または一見すると前記動物に見えてしまう形状を含み、誇張された表現、省略された表現、忠実に再現された表現、を含むものとする。また前記動物に関しては、全体の立体形状、全体の平面形状、全体の側面形状、全体の正面形状、全体の底面形状、また前記動物形状と認識可能な一部位の、立体形状、平面形状、側面形状、正面形状、底面形状、も含むものとする。また、前記動物認識可能一部位に関しては、頭部、顔、手（鳥類や魚貝類や昆虫類は除く）、腕（鳥類や魚貝類や昆虫類は除く）、指（鳥類や魚貝類や昆虫類は除く）、胴体、足、を示すものとする。
また、例えば「植物、という形状」に関しては、本発明では、樹木、花卉、草本、キノコ類、などの形状を示すものとする。また、前記植物形状には、それに類似する形状または一見すると前記植物に見えてしまう形状を含み、誇張された表現、省略された表現、忠実に再現された表現、を含むものとする。また前記植物に関しては、全体の立体形状、全体の平面形状、全体の側面形状、全体の正面形状、全体の底面形状、また前記植物形状と認識可能な一部位の、立体形状、平面形状、側面形状、正面形状、底面形状、も含むものとする。また、前記植物認識可能一部位に関しては、花、果実、葉、を示すものとする。【００３０】  また、例えば「幾何形状、という形状」に関しては、一般的には、２次元図形と３次元図形として知られており、例えば、２次元図形としては、正三角形、正方形、正五角形、正多角形、多角形、円、楕円、などが知られている。また、一般的なの多角形として、三角形、二等辺三角形、直角三角形、直角二等辺三角形、四角形、長方形、菱形、平行四辺形、台形、等脚台形、凧形、などが知られている。また例えば、３次元図形としては、正多面体、錐体、錐台、柱体、円体、として知られており、例えば正多面体としては、正四面体、正六面体、正八面体、正十二面体、正二十面体、などがあり、例えば錐体としては、円錐、角錐、三角錐、四角錐、五角錐、双錐体、双円錐、双角錐、などがあり、例えば錐台としては、円錐台、角錐台、などがあり、例えば柱体としては、円柱、角柱、などがあり、例えば円体としては、体楕円体、球、などが知られている。本発明では、前記幾何形状を、夫々単独で用いたり、夫々任意に組合わせて用いることができるものとする。
また、例えば「勝利記念品、という形状」に関しては、スポーツやゲームや競技などで、勝利者に対して提供される記念品またはそれに類似する物品または一見するとその物品に見えてしまう物品の形状を示し、誇張された表現、省略された表現、忠実に再現された表現、を含むものとする。例えば、前記勝利記念品形状としては、トロフィー、カップ、メダル等、が知られている。また前記勝利記念品形状に関しては、全体の立体形状、全体の平面形状、全体の側面形状、全体の正面形状、全体の底面形状、また前記勝利記念品形状と認識可能な一部位の、立体形状、平面形状、側面形状、正面形状、底面形状、も含むものとする。
また、例えば「飛翔体、という形状」に関しては、空中や水中や宇宙空間を一定時間飛翔する紡錘形状の物体の形状を示し、一般的な飛翔体としては、銃弾、砲弾、ミサイル、ロケット等の形状が知られている。また、前記飛翔体形状には、それに類似する物品または一見するとその物品に見えてしまう形状を示し、誇張された表現、省略された表現、忠実に再現された表現、を含むものとする。また前記飛翔体形状に関しては、全体の立体形状、全体の平面形状、全体の側面形状、全体の正面形状、全体の底面形状、また前記飛翔体形状と認識可能な一部位の、立体形状、平面形状、側面形状、正面形状、底面形状、も含むものとする。【００３１】  また、例えば「建築物、という形状」に関しては、洋の東西、建築された時期に関係なく、建築された構造物、を示しており、建築物としては、一般的には、寺院、神社、教会、神殿、宮殿、競技場、城、塔、門、橋、劇場、ホテル（宿泊施設）、駅（駅舎）、官公庁舎、学校、博物館、美術館、図書館、などが知られている。また、本発明では、前記建築物の部位も前記建築物として含むものとし、例えば一般的な建築物部位としては、屋根、柱、梁、壁、床、階段、基礎、天井、採光設備、などを含むものとし、本発明では、前記建築物部位を、夫々単独で用いたり、夫々任意に組合わせて用いることができるものとする。
また、例えば「家具部位、という形状」に関しては、一般的に知られている家具の部位を示しており、例えば、取手、つまみ、支柱、脚部等の形状を示しており、また前記家具部位形状には、それに類似する物品または一見するとその物品に見えてしまう形状も示し、誇張された表現、省略された表現、忠実に再現された表現、を含むものとする。また前記家具部位形状に関しては、全体の立体形状、全体の平面形状、全体の側面形状、全体の正面形状、全体の底面形状、また前記家具部位形状と認識可能な一部位の、立体形状、平面形状、側面形状、正面形状、底面形状、も含むものとする。
また、例えば「脚付飲用容器形状、という形状」に関しては、例えば一般的に知られているワイングラスのように、容器部と脚部で構成されている場合に、脚部の特徴的な様々な形状によって、容器全体に装飾性を付与する作用に、本発明者が着目して本発明の形状に利用したものである。また前記脚付飲用容器形状には、それに類似する物品または一見するとその物品に見えてしまう形状も示し、誇張された表現、省略された表現、忠実に再現された表現、を含むものとする。
また、課題を解決するための第四の手段で記載した夫々の形状に関しては、本発明では、夫々単独で用いたり、夫々任意に組合わせて用いることができるものとする。【００３２】  課題を解決するための第五の手段（本願請求項５に該当）は、前記印章体押印部及び前記印章体本体を構成する部材が、木質、金属、セラミックス、動物体、鉱物、宝石、模造石、高分子化合物、などから選択される少なくとも一つから形成させることを特徴とする、課題を解決するための第一の手段及び請求項１または課題を解決するための第三の手段及び請求項３に記載の分割及び組合せ可能な印章体を提供することである。【００３３】  課題を解決するための第五の手段で記載した前記印章体押印部及び前記印章体本体を構成する部材が、木質、などから選択される少なくとも一つから形成させることに関しては、例えば硬質な木質系であれば何を用いても構わないが、印材としては、一般的には、柘植、黒檀、紫檀、竹、などから選択された木質系材料が用いられているようである。
また、前記印章体押印部と前記印章体本体を異なる前記木質系材料、または本願明細書で記載された材料の中から選択された素材と組み合わせて構成してもよい。また、前記印章体本体を分割して用いる場合は夫々分割数に応じて異なる木質系材料、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素付着手段、電着手段、薬品による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。
課題を解決するための第五の手段で記載した前記印章体押印部及び前記印章体本体を構成する部材が、金属、などから選択される少なくとも一つから形成させることに関しては、金属類であれば何を用いても構わないが、一般的には、金や銀やプラチナ等の貴金属やこれらの合金、チタンやチタン合金、などが用いられている。また、銅及び銅合金、銅−錫合金である青銅、ステンレス系金属、アモルファス金属（鉄系、アルミニウム系、コバルト系、ニッケル系、マグネシウム系などが知られている）、形状記憶合金（ニッケル−チタンや鉄−マンガン−チタン合金、などが知られている）、超弾性合金、超塑性合金（金−銅−ジルコイル合金などが知られている）、結晶境界のずれを利用する制振合金、鉄系合金（鉄鋼、炭素鋼、クロム鋼、ニッケル鋼、ステンレス鋼、高速度鋼、工具鋼、鋳鉄、可鍛鋳鉄、球状黒鉛鋳鉄、ダクタイル鋳鉄）などから選択して単独で用いても組合わせて用いても構わない。
また、前記印章体押印部と前記印章体本体を異なる前記金属材料、または本願明細書で記載された材料の中から選択された素材と組み合わせて構成してもよい。また、前記印章体本体を分割して用いる場合は夫々分割数に応じて異なる前記金属材料、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素混合手段、色素付着手段、電着手段、鍍金手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。
課題を解決するための第五の手段で記載した前記印章体押印部及び前記印章体本体を構成する部材が、セラミックス、などから選択される少なくとも一つから形成させることに関しては、例えば前記セラミックスであれば何を用いても構わないが、例えば以下に示すセラミックス材料の中から単独で用いても組合わせて用いても構わない。例えばセラミックス材料に関しては、一般的に広義には陶磁器全般であるが、一般的に狭義では、基本成分が金属酸化物（例えば、アルミナ、ジルコニア、フェライト、酸化亜鉛、ステアタイト、など）で、高温での熱処理によって焼き固めた焼結体を示しているが、本発明では、シリコンのような半導体や、炭化物（例えば炭化ケイ素など）、窒化物（例えば窒化ケイ素や窒化ホウ素など）、水酸化物系（例えばハイドロキシアパタイトなど）、ホウ化物などの無機化合物、も含むものとする。
また、前記印章体押印部と前記印章体本体を異なる前記セラミックス材料、または本願明細書で記載された材料の中から選択された素材と組み合わせて構成してもよい。また、前記印章体本体を分割して用いる場合は夫々分割数に応じて異なるセラミックス材料、または本願明細書で記載された材料の中から選択された素材と組み合わせて構成してもよい。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品や電気による表面処理手段、の他、特に制限はなく、すなわち物体を着色加工する技術で一般的に知られた加工技術であれば概ね利用できるものとする。【００３４】  課題を解決するための第五の手段で記載した前記印章体押印部及び前記印章体本体を構成する部材が、動物体、などから選択される少なくとも一つから形成させることに関しては、例えば前記動物体であれば何を用いても構わないが、例えば以下に示す動物体の中から単独で用いても組合わせて用いても構わない。例えば動物体に関しては、珊瑚、貝殻（螺鈿、青貝、紫貝、シェル、真珠、など）、動物の牙（例えば、象牙、マンモス牙、など）、動物の角（例えば、水牛の角、鹿の角、など）、亀の甲羅（例えば鼈甲など）、動物の骨（例えば鯨骨など）、などを用いればよい。
また、前記印章体押印部と前記印章体本体を異なる前記動物体、または本願明細書で記載された材料の中から選択された素材と組み合わせて構成してもよい。また、前記印章体本体を分割して用いる場合は夫々分割数に応じて異なる前記動物体、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。
課題を解決するための第五の手段で記載した前記印章体押印部及び前記印章体本体を構成する部材が、鉱物、などから選択される少なくとも一つから形成させることに関しては、例えば前記鉱物に関しては何を用いても構わないが、例えば以下に示す鉱物類の中から単独で用いても組合わせて用いても構わない。例えば鉱物に関しては、一般的には、地質学的作用により形成される、天然に産する一定の化学組成を有した無機質結晶質物質のことを指すが、化石や琥珀やオパールやハイドロキシアパタイトや石墨（グラファイト）やダイヤモンドなどの例外もある。また鉱物学の文献等では、「天然に産出する無機質で一定の化学組成と結晶構造を有する固体物質」のことを鉱物と定義する場合が多い。例えば前記鉱物に関しては、元素鉱物（単独の元素からなる鉱物であり、自然金、自然銀、自然銅、自然蒼鉛、自然テルル、石墨、ダイヤモンド、など）硫化鉱物（黄鉄鉱、黄銅鉱、方鉛鉱、など）、酸化鉱物（石英、水晶、赤鉄鉱、磁鉄鉱、チタン鉄鉱、スピネル、コランダム、など）、ハロゲン化鉱物（岩塩、蛍石、など）、炭酸塩鉱物（方解石、苦灰石、など）、硫酸塩鉱物（明礬石、石膏、天青石、重晶石、など）、リン酸塩鉱物（燐灰石、など）、タングステン酸塩鉱物（灰重石、など）、ケイ酸塩鉱物（カンラン石、輝石、角閃石、雲母、長石、沸石、など）、造岩鉱物（石英、長石、雲母、角閃石、輝石、カンラン石、など）、ペグマタイト鉱物（石英、水晶、長石、雲母、電気石、緑柱石、蛍石、など）、スカルン鉱物（柘榴石、輝石、ベスブ石、珪灰石、など）、物理的に特異性を備えた鉱物（例えば、特定波長の吸収により、太陽下では緑、灯下では紫に見える金緑石や、光学的異方性により、ある方向からは青く、ある方向からは無色透明に見える菫青石や、複屈折により、結晶を通してみると物が二重に見える方解石や、物理的異方性により、結晶面によって硬さが異なる藍晶石や、ルミネセンスにより、熱や紫外線をあてると光る蛍石、などが知られている）、などを用いればよい。
また、前記鉱物の一つ以上で構成される集合体である形成物に、岩石があり、例えば、火成岩（マグマが冷え固まったり、火山活動で他の岩石などと混ざって固まったもの）、堆積岩（水底や陸上に堆積したものが固結したもの）、変成岩（いったんできた岩石が熱や圧力をうけて構成鉱物や内部構造が変化したもの）、花崗岩類（一般的には、石英、長石、雲母などの鉱物の集合体として知られている）、蛇紋岩類、安山岩類、凝灰岩類、石灰岩、結晶質石灰岩（例えば大理石は、方解石の結晶により構成される）、結晶片岩、黒曜岩、などが知られているが、岩石には他に、鉱物や岩石の破片の集合体（混合物）、ガラス（結晶でないもの）、化石、生物由来の有機物などの集合体（混合物）、などのタイプが知られている。
また、上述した、鉱物類、岩石類、の中では、青田石、寿山石、巴林石、昌化石、瑪瑙、水晶、翡翠、などが印材として知られている。
また、前記印章体押印部と前記印章体本体を異なる前記鉱物類や前記岩石類、または本願明細書で記載された材料の中から選択された素材と組み合わせて構成してもよい。また、前記印章体本体を分割して用いる場合は夫々分割数に応じて異なる前記鉱物類や前記岩石類、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素付着手段、電着手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。【００３５】  課題を解決するための第五の手段で記載した前記印章体押印部及び前記印章体本体を構成する部材が、宝石、などから選択される少なくとも一つから形成させることに関しては、例えば前記宝石に関しては何を用いても構わないが、例えば以下に示す宝石類の中から単独で用いても組合わせて用いても構わない。例えば宝石に関しては、一般的には、希少性が高く美しい外観を有する固形物を示し、一般的に外観が美しく、アクセサリーや美術や工芸などに使用される鉱物の結晶のことを示すが、化石由来の美しい外観の固形物、動物体由来の美しい外観の固形物、キュービックジルコニア、隕石などもカテゴリーに入る。例えば、前記鉱物結晶としては、元素鉱物（例えばダイヤモンド）、酸化鉱物（例えば、石英、スピネル、コランダムなど）、ケイ酸塩鉱物（例えば、ガーネット、ペリドット、緑柱石、ジルコン、など）、ケイ酸塩及びホウ酸塩鉱物（例えば、エルバイト、トルマリン、など）、ケイ酸塩及びフッ化鉱物（例えば、トパーズなど）、ハロゲン化鉱物（蛍石、ヴィヨーマイト、など）、炭酸塩鉱物（方解石、白鉛鉱、など）、リン酸塩鉱物（トルコ石、バリサイト、など）、単結晶体（例えば、ダイヤモンド、サファイアなど）、微晶質集合体（例えば、アヴェンチュリン、クォーザイトなど）、潜晶質集合体（例えば、カルセドニー（玉髄）、ターコイズ（トルコ石）など）、混晶体���例えば、ペリドット、ガーネット、アルマンディン、パイロープ、スペッサルティン、アンドラダイト、グロッシュラー、ウヴァロヴァイト、ラピスラズリ、など）、非晶質体（例えば、オパール、黒曜石（オプシディアン）、モルダバイト、テクタイトなど）、などが知られている。また前記化石由来固形物に関しては、黒玉、アンモライト、琥珀などが知られている。また前記動物体由来固形物に関しては、サンゴ（主成分は炭酸カルシウム）、真珠（主成分は炭酸カルシウム）、螺鈿（主成分は炭酸カルシウム）、青貝（主成分は炭酸カルシウム）、シェル（主成分は炭酸カルシウム）、象牙（主成分はハイドロキシアパタイト）、鼈甲（主成分はタンパク質）、などが知られている。また前記キュービックジルコニアのように、二酸化ジルコニウムと安定化剤の混合物である人工合成物質が知られている。
また例えば宝石に関しては、天然宝石、処理宝石、合成宝石（人工宝石）、人造宝石、模造宝石、など生成要因による分類方法も知られており、例えば処理宝石に関しては、天然宝石に外観の改良（エンハンスメント）・改変（トリートメント）処理が加えられた宝石で、天然宝石に含められることが多い。また例えば合成宝石に関しては、天然宝石と同一の成分から科学的に作り出された宝石で、天然宝石と化学成分・物理特性・内部構造が同じである。また例えば人造宝石に関しては、天然宝石とは異なる物質を使用して作り出された、天然宝石様の宝石である。また例えば模造宝石に関しては、ガラス・プラスチック・陶器類（セラミックス）・動物体（骨）・植物などを使用して天然宝石を模したもので、ラインストーンやタチウオの皮を貼った模造真珠、プラスチックパールなどが知られている。
また、前記印章体押印部と前記印章体本体を異なる前記宝石類、または本願明細書で記載された材料の中から選択された素材と組み合わせて構成してもよい。また、前記印章体本体を分割して用いる場合は夫々分割数に応じて異なる前記宝石類、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素付着手段、電着手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。【００３６】  課題を解決するための第五の手段で記載した前記印章体押印部及び前記印章体本体を構成する部材が、模造石、などから選択される少なくとも一つから形成させることに関しては、例えば前記模造石に関しては何を用いても構わないが、例えば以下に示す模造石類の中から単独で用いても組合わせて用いても構わない。例えば模造石に関しては、一般的には、人造石や擬石とも言われ、天然、あるいは合成の色、外見を模し、構造や特性が異なる石のことで、ガラス製やプラスチック製であったり、張り合わせやコーティングなどの方法が用いられたりする。また例えば、物質の構成まで似せたものは合成石といわれる。前記模造石の中には、例えば人造大理石は、樹脂でつくられた大理石風の人工的な素材で、合成樹脂に無機物を混ぜ、加熱・成型してつくられる。素材の種類によって「ポリエステル樹脂系」と「アクリル樹脂系」に分けられる。石目調やマーブル調と言った大理石に近いものや無地タイプなど、模様や色柄も大理石に忠実に再現されている場合には、一見すると天然物と区別がつかない場合がある。また例えば人造石として、大理石や花崗岩などの砕石を、セメントや砂および顔料と混合して水で練り、成形・研磨した材料や宝石に模して人工的につくったものが知られている。
また例えば、前記模造石がガラス製である場合は、例えば、可視光線に対して透明であり、硬くて薬品にも侵されにくく、表面が滑らかで汚れを落としやすい、という特性を利用して、窓ガラスや鏡、レンズ、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また金属類の表面にガラス質の膜を形成させることで得られる、金属とガラス質の複合材料として、食器（琺瑯）、装飾品（例えば、ビーズ、ボタン、とんぼ玉、など）や工芸品や美術品などの一例として七宝焼き、などが利用されている。またガラスの表面に細かな凹凸を付けたすりガラスや内部に細かな多数の空孔を持つ多孔質ガラスは、散乱のために不透明である性質を利用して、窓ガラス、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また遷移金属や重金属の不純物を含有させることで得られる着色ガラスは、希望する色に着色させ、窓ガラス、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また前記ガラスの材質に関しては、天然ガラス（例えば、黒曜石、ゴールドストーン、茶金石、砂金石、紫金石、など）、ソーダ石灰ガラス、カリガラス、クリスタルガラス、石英ガラス、偏光ガラス、強化ガラス、耐熱ガラス（例えば、硼珪酸ガラス、など）、ウランガラス（例えば、蛍光ガラス、など）、アクリルガラス、有機ガラス（透明なプラスチック）、などが知られている。
また、前記印章体押印部と前記印章体本体を異なる前記模造石、または本願明細書で記載された材料の中から選択された素材と組み合わせて構成してもよい。また、前記印章体本体を分割して用いる場合は夫々分割数に応じて異なる前記模造石、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。【００３７】  課題を解決するための第五の手段で記載した前記印章体押印部及び前記印章体本体を構成する部材が、高分子化合物、などから選択される少なくとも一つから形成させることに関しては、例えば前記高分子化合物に関しては何を用いても構わないが、例えば以下に示す高分子化合物類の中から単独で用いても組合わせて用いても構わない。例えば高分子化合物に関しては、一般的には、非常に多数の原子が共有結合してできる巨大分子のことであり、重合体（ポリマー、ｐｏｌｙｍｅｒ）は巨大分子の一種であるが、一般に高分子と言われたときは重合体（ｐｏｌｙｍｅｒ）のことを指し、明確な定義はないが、一般に巨大分子は「大きな分子、あるいはその集合体」を指す広範な概念であり、重合体（ｐｏｌｙｍｅｒ）は「単量体（ｍｏｎｏｍｅｒ）の繰り返し構造を持つ大きな分子」を意味する物質であれば何を用いても構わないものとする。
また、高分子の分類としては、有機高分子（主に炭素を骨格とする）、天然高分子（生体高分子）、合成高分子又は合成樹脂（プラスチック）（ｐｌａｓｔｉｃ）、合成ゴム、無機高分子、などが知られているが、例えば有機高分子に関しては、主に炭素を骨格とし、一例としてカゼインが知られており、カゼインプラスチックとして象牙の代替として用いられている。また例えば、天然高分子（生体高分子）の一例としては、天然ゴムが知られていて、硫黄や炭素を目的に応じて適宜混合することで、印材や印面に用いられている。また例えば、合成ゴムの一例としては、ウレタンゴム系、ポリブタジエン系、ニトリル系、クロロプレン系、シリコーンゴム系、フッ素ゴム系、などがあり、いずれも付加重合または共重合によって得られ、これらを適宜調製することで、印材や印面に用いられている。また例えば、無機高分子の一例としては、主にケイ素などを骨格とするシリコン樹脂（シリコンゴム）などがあり、印材や印面に用いられている。
また例えば、合成高分子又は合成樹脂（プラスチック）（ｐｌａｓｔｉｃ）に関しては、熱硬化性樹脂、熱可塑性樹脂、エンジニアリング・プラスチック、スーパーエンジニアリングプラスチック、などが知られていて、例えば熱硬化性樹脂に関しては、フェノール樹脂、エポキシ樹脂、メラミン樹脂、尿素樹脂（ユリア樹脂）、不飽和ポリエステル樹脂、アルキド樹脂、ポリウレタン、熱硬化性ポリイミド、などが知られている。また例えば熱可塑性樹脂に関しては、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、テフロン、ＡＢＳ樹脂（アクリロニトリルブタジエンスチレン樹脂）、ＡＳ樹脂、アクリル樹脂、などが知られている。また例えばエンジニアリング・プラスチックに関しては、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、などが知られている。また例えばスーパーエンジニアリングプラスチックに関しては、ポリフェニレンスルファイド、ポリサルフォン、ポリエーテルサルフォン、ポリエーテルエーテルケトン、熱可塑性ポリイミド、ポリアミドイミド、などが知られている。
また、前記印章体押印部と前記印章体本体を異なる前記高分子化合物で構成、または本願明細書で記載された材料の中から選択された素材と組み合わせて構成してもよい。また、前記印章体本体を分割して用いる場合は夫々分割数に応じて異なる前記高分子化合物で構成、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品や電気による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。【００３８】  課題を解決するための第六の手段（本願請求項６に該当）は、前記印璽体押型部及び前記印璽体本体を構成する部材が、木質、金属、セラミックス、動物体、鉱物、宝石、模造石、高分子化合物、などから選択される少なくとも一つから形成させることを特徴とする、課題を解決するための第二の手段及び請求項２または課題を解決するための第四の手段及び請求項４に記載の分割及び組合せ可能な印璽体を提供することである。【００３９】  課題を解決するための第六の手段で記載した前記印璽体押型部及び前記印璽体本体を構成する部材が、木質、などから選択される少なくとも一つから形成させることに関しては、例えば硬質な木質系であれば何を用いても構わないが、印材としては、一般的には、柘植、黒檀、紫檀、竹、などから選択された木質系材料が用いられているようである。
また、前記印璽体押型部と前記印璽体本体を異なる前記木質系材料、または本願明細書で記載された材料の中から選択された素材と組み合わせて構成してもよい。また、前記印璽体本体を分割して用いる場合は夫々分割数に応じて異なる木質系材料、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素付着手段、電着手段、薬品による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。
課題を解決するための第六の手段で記載した前記印璽体押型部及び前記印璽体本体を構成する部材が、金属、などから選択される少なくとも一つから形成させることに関しては、金属類であれば何を用いても構わないが、一般的には、金や銀やプラチナ等の貴金属やこれらの合金、チタンやチタン合金、などが用いられている。また、銅及び銅合金、銅−錫合金である青銅、ステンレス系金属、アモルファス金属（鉄系、アルミニウム系、コバルト系、ニッケル系、マグネシウム系などが知られている）、形状記憶合金（ニッケル−チタンや鉄−マンガン−チタン合金、などが知られている）、超弾性合金、超塑性合金（金−銅−ジルコイル合金などが知られている）、結晶境界のずれを利用する制振合金、鉄系合金（鉄鋼、炭素鋼、クロム鋼、ニッケル鋼、ステンレス鋼、高速度鋼、工具鋼、鋳鉄、可鍛鋳鉄、球状黒鉛鋳鉄、ダクタイル鋳鉄）などから選択して単独で用いても組合わせて用いても構わない。
また、前記印璽体押型部と前記印璽体本体を異なる前記金属材料、または本願明細書で記載された材料の中から選択された素材と組み合わせて構成してもよい。また、前記印璽体本体を分割して用いる場合は夫々分割数に応じて異なる前記金属材料、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素混合手段、色素付着手段、電着手段、鍍金手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。
課題を解決するための第六の手段で記載した前記印璽体押型部及び前記印璽体本体を構成する部材が、セラミックス、などから選択される少なくとも一つから形成させることに関しては、例えば前記セラミックスであれば何を用いても構わないが、例えば以下に示すセラミックス材料の中から単独で用いても組合わせて用いても構わない。例えばセラミックス材料に関しては、一般的に広義には陶磁器全般であるが、一般的に狭義では、基本成分が金属酸化物（例えば、アルミナ、ジルコニア、フェライト、酸化亜鉛、ステアタイト、など）で、高温での熱処理によって焼き固めた焼結体を示しているが、本発明では、シリコンのような半導体や、炭化物（例えば炭化ケイ素など）、窒化物（例えば窒化ケイ素や窒化ホウ素など）、水酸化物系（例えばハイドロキシアパタイトなど）、ホウ化物などの無機化合物、も含むものとする。
また、前記印璽体押型部と前記印璽体本体を異なる前記セラミックス材料、または本願明細書で記載された材料の中から選択された素材と組み合わせて構成してもよい。また、前記印璽体本体を分割して用いる場合は夫々分割数に応じて異なるセラミックス材料、または本願明細書で記載された材料の中から選択された素材と組み合わせて構成してもよい。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品や電気による表面処理手段、の他、特に制限はなく、すなわち物体を着色加工する技術で一般的に知られた加工技術であれば概ね利用できるものとする。【００４０】  課題を解決するための第六の手段で記載した前記印璽体押型部及び前記印璽体本体を構成する部材が、動物体、などから選択される少なくとも一つから形成させることに関しては、例えば前記動物体であれば何を用いても構わないが、例えば以下に示す動物体の中から単独で用いても組合わせて用いても構わない。例えば動物体に関しては、珊瑚、貝殻（螺鈿、青貝、紫貝、シェル、真珠、など）、動物の牙（例えば、象牙、マンモス牙、など）、動物の角（例えば、水牛の角、鹿の角、など）、亀の甲羅（例えば鼈甲など）、動物の骨（例えば鯨骨など）、などを用いればよい。
また、前記印璽体押型部と前記印璽体本体を異なる前記動物体、または本願明細書で記載された材料の中から選択された素材と組み合わせて構成してもよい。また、前記印章体本体を分割して用いる場合は夫々分割数に応じて異なる前記動物体、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。
課題を解決するための第六の手段で記載した前記印璽体押型部及び前記印璽体本体を構成する部材が、鉱物、などから選択される少なくとも一つから形成させることに関しては、例えば前記鉱物に関しては何を用いても構わないが、例えば以下に示す鉱物類の中から単独で用いても組合わせて用いても構わない。例えば鉱物に関しては、一般的には、地質学的作用により形成される、天然に産する一定の化学組成を有した無機質結晶質物質のことを指すが、化石や琥珀やオパールやハイドロキシアパタイトや石墨（グラファイト）やダイヤモンドなどの例外もある。また鉱物学の文献等では、「天然に産出する無機質で一定の化学組成と結晶構造を有する固体物質」のことを鉱物と定義する場合が多い。例えば前記鉱物に関しては、元素鉱物（単独の元素からなる鉱物であり、自然金、自然銀、自然銅、自然蒼鉛、自然テルル、石墨、ダイヤモンド、など）硫化鉱物（黄鉄鉱、黄銅鉱、方鉛鉱、など）、酸化鉱物（石英、水晶、赤鉄鉱、磁鉄鉱、チタン鉄鉱、スピネル、コランダム、など）、ハロゲン化鉱物（岩塩、蛍石、など）、炭酸塩鉱物（方解石、苦灰石、など）、硫酸塩鉱物（明礬石、石膏、天青石、重晶石、など）、リン酸塩鉱物（燐灰石、など）、タングステン酸塩鉱物（灰重石、など）、ケイ酸塩鉱物（カンラン石、輝石、角閃石、雲母、長石、沸石、など）、造岩鉱物（石英、長石、雲母、角閃石、輝石、カンラン石、など）、ペグマタイト鉱物（石英、水晶、長石、雲母、電気石、緑柱石、蛍石、など）、スカルン鉱物（柘榴石、輝石、ベスブ石、珪灰石、など）、物理的に特異性を備えた鉱物（例えば、特定波長の吸収により、太陽下では緑、灯下では紫に見える金緑石や、光学的異方性により、ある方向からは青く、ある方向からは無色透明に見える菫青石や、複屈折により、結晶を通してみると物が二重に見える方解石や、物理的異方性により、結晶面によって硬さが異なる藍晶石や、ルミネセンスにより、熱や紫外線をあてると光る蛍石、などが知られている）、などを用いればよい。
また、前記鉱物の一つ以上で構成される集合体である形成物に、岩石があり、例えば、火成岩（マグマが冷え固まったり、火山活動で他の岩石などと混ざって固まったもの）、堆積岩（水底や陸上に堆積したものが固結したもの）、変成岩（いったんできた岩石が熱や圧力をうけて構成鉱物や内部構造が変化したもの）、花崗岩類（一般的には、石英、長石、雲母などの鉱物の集合体として知られている）、蛇紋岩類、安山岩類、凝灰岩類、石灰岩、結晶質石灰岩（例えば大理石は、方解石の結晶により構成される）、結晶片岩、黒曜岩、などが知られているが、岩石には他に、鉱物や岩石の破片の集合体（混合物）、ガラス（結晶でないもの）、化石、生物由来の有機物などの集合体（混合物）、などのタイプが知られている。
また、上述した、鉱物類、岩石類、の中では、青田石、寿山石、巴林石、昌化石、瑪瑙、水晶、翡翠、などが印材として知られている。
また、前記印璽体押型部と前記印璽体本体を異なる前記鉱物類や前記岩石類、または本願明細書で記載された材料の中から選択された素材と組み合わせて構成してもよい。また、前記印章体本体を分割して用いる場合は夫々分割数に応じて異なる前記鉱物類や前記岩石類、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素付着手段、電着手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。【００４１】    課題を解決するための第六の手段で記載した前記印璽体押型部及び前記印璽体本体を構成する部材が、宝石、などから選択される少なくとも一つから形成させることに関しては、例えば前記宝石に関しては何を用いても構わないが、例えば以下に示す宝石類の中から単独で用いても組合わせて用いても構わない。例えば宝石に関しては、一般的には、希少性が高く美しい外観を有する固形物を示し、一般的に外観が美しく、アクセサリーや美術や工芸などに使用される鉱物の結晶のことを示すが、化石由来の美しい外観の固形物、動物体由来の美しい外観の固形物、キュービックジルコニア、隕石などもカテゴリーに入る。例えば、前記鉱物結晶としては、元素鉱物（例えばダイヤモンド）、酸化鉱物（例えば、石英、スピネル、コランダムなど）、ケイ酸塩鉱物（例えば、ガーネット、ペリドット、緑柱石、ジルコン、など）、ケイ酸塩及びホウ酸塩鉱物（例えば、エルバイト、トルマリン、など）、ケイ酸塩及びフッ化鉱物（例えば、トパーズなど）、ハロゲン化鉱物（蛍石、ヴィヨーマイト、など）、炭酸塩鉱物（方解石、白鉛鉱、など）、リン酸塩鉱物（トルコ石、バリサイト、など）、単結晶体（例えば、ダイヤモンド、サファイアなど）、微晶質集合体（例えば、アヴェンチュリン、クォーザイトなど）、潜晶質集合体（例えば、カルセドニー（玉髄）、ターコイズ（トルコ石）など）、混晶��（例えば、ペリドット、ガーネット、アルマンディン、パイロープ、スペッサルティン、アンドラダイト、グロッシュラー、ウヴァロヴァイト、ラピスラズリ、など）、非晶質体（例えば、オパール、黒曜石（オプシディアン）、モルダバイト、テクタイトなど）、などが知られている。また前記化石由来固形物に関しては、黒玉、アンモライト、琥珀などが知られている。また前記動物体由来固形物に関しては、サンゴ（主成分は炭酸カルシウム）、真珠（主成分は炭酸カルシウム）、螺鈿（主成分は炭酸カルシウム）、青貝（主成分は炭酸カルシウム）、シェル（主成分は炭酸カルシウム）、象牙（主成分はハイドロキシアパタイト）、鼈甲（主成分はタンパク質）、などが知られている。また前記キュービックジルコニアのように、二酸化ジルコニウムと安定化剤の混合物である人工合成物質が知られている。
また例えば宝石に関しては、天然宝石、処理宝石、合成宝石（人工宝石）、人造宝石、模造宝石、など生成要因による分類方法も知られており、例えば処理宝石に関しては、天然宝石に外観の改良（エンハンスメント）・改変（トリートメント）処理が加えられた宝石で、天然宝石に含められることが多い。また例えば合成宝石に関しては、天然宝石と同一の成分から科学的に作り出された宝石で、天然宝石と化学成分・物理特性・内部構造が同じである。また例えば人造宝石に関しては、天然宝石とは異なる物質を使用して作り出された、天然宝石様の宝石である。また例えば模造宝石に関しては、ガラス・プラスチック・陶器類（セラミックス）・動物体（骨）・植物などを使用して天然宝石を模したもので、ラインストーンやタチウオの皮を貼った模造真珠、プラスチックパールなどが知られている。
また、前記印璽体押型部と前記印璽体本体を異なる前記宝石類、または本願明細書で記載された材料の中から選択された素材と組み合わせて構成してもよい。また、前記印章体本体を分割して用いる場合は夫々分割数に応じて異なる前記宝石類、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色／発色手段は、素材の地色を活かす以外は、各素材の特性に合わせた着色／発色手段から選択し、単独で用いても組合わせて用いてもよい。着色／発色手段に関しては、色素付着手段、電着手段、薬品や電気による表面処理手段、の他、特に制限はなく、すなわち物体を着色／発色加工する技術で一般的に知られた加工技術であれば概ね利用できるものとする。また、更に、ここで用いる分割体は、それぞれ希求する商品効果を得るために、個々別々に，前記研磨／研削手段と，前記着色／発色手段を、それぞれ任意で選択し組み合わせて形成してもよい。【００４２】  課題を解決するための第六の手段で記載した前記印璽体押型部及び前記印璽体本体を構成する部材が、模造石、などから選択される少なくとも一つから形成させることに関しては、例えば前記模造石に関しては何を用いても構わないが、例えば以下に示す模造石類の中から単独で用いても組合わせて用いても構わない。例えば模造石に関しては、一般的には、人造石や擬石とも言われ、天然、あるいは合成の色、外見を模し、構造や特性が異なる石のことで、ガラス製やプラスチック製であったり、張り合わせやコーティングなどの方法が用いられたりする。また例えば、物質の構成まで似せたものは合成石といわれる。前記模造石の中には、例えば人造大理石は、樹脂でつくられた大理石風の人工的な素材で、合成樹脂に無機物を混ぜ、加熱・成型してつくられる。素材の種類によって「ポリエステル樹脂系」と「アクリル樹脂系」に分けられる。石目調やマーブル調と言った大理石に近いものや無地タイプなど、模様や色柄も大理石に忠実に再現されている場合には、一見すると天然物と区別がつかない場合がある。また例えば人造石として、大理石や花崗岩などの砕石を、セメントや砂および顔料と混合して水で練り、成形・研磨した材料や宝石に模して人工的につくったものが知られている。
また例えば、前記模造石がガラス製である場合は、例えば、可視光線に対して透明であり、硬くて薬品にも侵されにくく、表面が滑らかで汚れを落としやすい、という特性を利用して、窓ガラスや鏡、レンズ、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また金属類の表面にガラス質の膜を形成させることで得られる、金属とガラス質の複合材料として、食器（琺瑯）、装飾品（例えば、ビーズ、ボタン、とんぼ玉、など）や工芸品や美術品などの一例として七宝焼き、などが利用されている。またガラスの表面に細かな凹凸を付けたすりガラスや内部に細かな多数の空孔を持つ多孔質ガラスは、散乱のために不透明である性質を利用して、窓ガラス、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また遷移金属や重金属の不純物を含有させることで得られる着色ガラスは、希望する色に着色させ、窓ガラス、日用品（例えば、食器、グラス、ガラス棒、など）、玩具（例えば、ビー玉、など）、装飾品（例えば、ビーズ、ボタン、とんぼ玉、など）、工芸品、美術品、に広く利用されている。また前記ガラスの材質に関しては、天然ガラス（例えば、黒曜石、ゴールドストーン、茶金石、砂金石、紫金石、など）、ソーダ石灰ガラス、カリガラス、クリスタルガラス、石英ガラス、偏光ガラス、強化ガラス、耐熱ガラス（例えば、硼珪酸ガラス、など）、ウランガラス（例えば、蛍光ガラス、など）、アクリルガラス、有機ガラス（透明なプラスチック）、などが知られている。
また、前記印璽体押型部と前記印璽体本体を異なる前記模造石、または本願明細書で記載された材料の中から選択された素材と組み合わせて構成してもよい。また、前記印章体本体を分割して用いる場合は夫々分割数に応じて異なる前記模造石、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。【００４３】  課題を解決するための第六の手段で記載した前記印璽体押型部及び前記印璽体本体を構成する部材が、高分子化合物、などから選択される少なくとも一つから形成させることに関しては、例えば前記高分子化合物に関しては何を用いても構わないが、例えば以下に示す高分子化合物類の中から単独で用いても組合わせて用いても構わない。例えば高分子化合物に関しては、一般的には、非常に多数の原子が共有結合してできる巨大分子のことであり、重合体（ポリマー、ｐｏｌｙｍｅｒ）は巨大分子の一種であるが、一般に高分子と言われたときは重合体（ｐｏｌｙｍｅｒ）のことを指し、明確な定義はないが、一般に巨大分子は「大きな分子、あるいはその集合体」を指す広範な概念であり、重合体（ｐｏｌｙｍｅｒ）は「単量体（ｍｏｎｏｍｅｒ）の繰り返し構造を持つ大きな分子」を意味する物質であれば何を用いても構わないものとする。
また、高分子の分類としては、有機高分子（主に炭素を骨格とする）、天然高分子（生体高分子）、合成高分子又は合成樹脂（プラスチック）（ｐｌａｓｔｉｃ）、合成ゴム、無機高分子、などが知られているが、例えば有機高分子に関しては、主に炭素を骨格とし、一例としてカゼインが知られており、カゼインプラスチックとして象牙の代替として用いられている。また例えば、天然高分子（生体高分子）の一例としては、天然ゴムが知られていて、硫黄や炭素を目的に応じて適宜混合することで、印材や印面に用いられている。また例えば、合成ゴムの一例としては、ウレタンゴム系、ポリブタジエン系、ニトリル系、クロロプレン系、シリコーンゴム系、フッ素ゴム系、などがあり、いずれも付加重合または共重合によって得られ、これらを適宜調製することで、印材や印面に用いられている。また例えば、無機高分子の一例としては、主にケイ素などを骨格とするシリコン樹脂（シリコンゴム）などがあり、印材や印面に用いられている。
また例えば、合成高分子又は合成樹脂（プラスチック）（ｐｌａｓｔｉｃ）に関しては、熱硬化性樹脂、熱可塑性樹脂、エンジニアリング・プラスチック、スーパーエンジニアリングプラスチック、などが知られていて、例えば熱硬化性樹脂に関しては、フェノール樹脂、エポキシ樹脂、メラミン樹脂、尿素樹脂（ユリア樹脂）、不飽和ポリエステル樹脂、アルキド樹脂、ポリウレタン、熱硬化性ポリイミド、などが知られている。また例えば熱可塑性樹脂に関しては、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、テフロン、ＡＢＳ樹脂（アクリロニトリルブタジエンスチレン樹脂）、ＡＳ樹脂、アクリル樹脂、などが知られている。また例えばエンジニアリング・プラスチックに関しては、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、などが知られている。また例えばスーパーエンジニアリングプラスチックに関しては、ポリフェニレンスルファイド、ポリサルフォン、ポリエーテルサルフォン、ポリエーテルエーテルケトン、熱可塑性ポリイミド、ポリアミドイミド、などが知られている。
また、前記印璽体押型部と前記印璽体本体を異なる前記高分子化合物、または本願明細書で記載された材料の中から選択された素材と組み合わせて構成してもよい。また、前記印章体本体を分割して用いる場合は夫々分割数に応じて異なる前記高分子化合物、または本願明細書で記載された材料の中から選択された素材と組み合わせて構成してもよい。また、ここで用いる分割体は夫々同一の研磨／研削手段による表面仕上げで形成してもよいし、個々別々の表面仕上げで形成してもよい。また、この場合の研磨／研削手段は、研磨／研削する事によって、鏡面からつや消し等、素材表面にあたる光の屈折率による見え方の違いを形成するために、各素材の特性に合わせた研磨／研削手段から選択し、単独で用いても組合わせて用いてもよい。研磨／研削手段に関しては、バレル式研磨手段、バフ式研磨手段、サンドブラスト式研削手段、サンドペーパーや研磨／研削剤による研磨／研削手段、の他、特に制限はなく、すなわち物体を研磨／研削加工する技術で一般的に知られた加工技術であれば概ね利用できるものとする。また、ここで用いる分割体は夫々同一色で形成してもよいし、個々別々の色で形成してもよい。また、この場合の着色手段は、素材の地色を活かす以外は、各素材の特性に合わせた着色手段から選択し、単独で用いても組合わせて用いてもよい。着色手段に関しては、色素混合手段、色素付着手段、電着手段、鍍金手段、薬品や電気による表面処理手段、の他、特に制限はなく、すなわち物体を着色加工する技術で一般的に知られた加工技術であれば概ね利用できるものとする。また、更に、ここで用いる分割体は、それぞれ希求する商品効果を得るために、個々別々に，前記研磨／研削手段と，前記着色手段を、それぞれ任意で選択し組み合わせて形成してもよい。【００４４】
【発明の効果】
【００４５】  本発明の分割及び組合せ可能な印章体は、本願明細書で記した、「課題を解決するための手段」や「発明を実施するための最良の形態」で示した形態で実施されることで、以下に記載されるような効果が期待できる。
請求項１（課題を解決するための第一の手段）及び／又は請求項３（課題を解決するための第三の手段）及び／又は請求項５（課題を解決するための第五の手段）の発明による印章体によって、従来の印章のイメージが創造的に破壊され、印章が任意数に分割されたり、と同時に任意の組合せで、製造者が製造時に組み立てたり分解したりすることや、製造者が製造後に組み立てたり分解したりすることや、販売者が販売時に組み立てたり分解したりすることや、消費者が購入時に組み立てたり分解したりすることや、消費者が購入後に組み立てたり分解したりすることなどが可能になることで、製造者や販売者や消費者の想像力や創造性を喚起したり向上したりすることができる印章を提供することができる。【００４６】  また、請求項１（課題を解決するための第一の手段）及び／又は請求項３（課題を解決するための第三の手段）及び／又は請求項５（課題を解決するための第五の手段）の発明による印章体によって、上述した発明の効果に加えて、本来であれば、本願は「印章」の発明であるにも係わらず、印面部が見えない状態や、印面部に文字や記号や図形やこれらの組み合わせを刻設しない状態である場合には、一見すると「印章」であることが認識できない状態が可能であり、その場合例えば、玩具、遊具、教材、リハビリ具、美術品、工芸品、装身具、などと区別ができない状態の印章材料、また本願明細書で記した、チェス駒、人、人形、動物、植物、幾何形状、勝利記念品、飛翔体、建築物、家具部位、脚付飲用容器形状、などで表現された形状と比較的類似した印章材料を、製造者や販売者や消費者に提供できる。【００４７】  また、本発明の印章体や印章材料を採用した製造業者は、上述した発明の効果によって、「印章」や「印材」の新商品の開発費をそれほどかけなくとも市場に投入できることで業績向上に貢献できる。
また、本発明の印章体や印章材料の取扱いを始めた販売業者は、上述した発明の効果によって、販売専門の業者でありながら、「印章」や「印材」の新商品の企画立案が可能になり、かつその結果としての「印章」や「印材」の新商品の提供が可能になり、すなわち前記販売業者のオリジナル商品としての「印章」や「印材」が提供できることになり、販売向上に貢献できる。
また、本発明の印章体の購入者は、上述した発明の効果によって、購入時の印章体にマンネリを感じた場合は、いつでも、どこでも、想像力や創造性を発揮して、印章の改変が可能になる。【００４８】  また、本発明の印章体や印章材料を採用した製造業者は、上述した発明の効果に加えて、希望とする印章材料のアイテムを適宜増やすことで、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品を市場に投入できることで業績向上に貢献できる。
また、本発明の印章体や印章材料の取扱いを始めた販売業者は、上述した発明の効果に加えて、希望とする印章材料のアイテムを適宜増やすことで、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品の数だけ取扱い商品を増やすことができるので、販売向上に貢献できる。
また、本発明の印章体の購入者は、上述した発明の効果によって、購入時の印章体にマンネリを感じた場合は、いつでも、どこでも、想像力や創造性を発揮して、印章を、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品に改変することが可能になる。【００４９】  本発明の分割及び組合せ可能な印璽体は、本願明細書で記した、「課題を解決するための手段」や「発明を実施するための最良の形態」で示した形態で実施されることで、以下に記載されるような効果が期待できる。
請求項２（課題を解決するための第二の手段）及び／又は請求項４（課題を解決するための第四の手段）及び／又は請求項６（課題を解決するための第六の手段）の発明による印璽体によって、従来の印璽のイメージが創造的に破壊され、印璽が任意数に分割されたり、と同時に任意の組合せで、製造者が製造時に組み立てたり分解したりすることや、製造者が製造後に組み立てたり分解したりすることや、販売者が販売時に組み立てたり分解したりすることや、消費者が購入時に組み立てたり分解したりすることや、消費者が購入後に組み立てたり分解したりすることなどが可能になることで、製造者や販売者や消費者の想像力や創造性を喚起したり向上したりすることができる印璽を提供することができる。【００５０】  また、請求項２（課題を解決するための第二の手段）及び／又は請求項４（課題を解決するための第四の手段）及び／又は請求項６（課題を解決するための第六の手段）の発明による印璽体によって、上述した発明の効果に加えて、本来であれば、本願は「印璽」の発明であるにも係わらず、押型部が見えない状態や、押型部に文字や記号や図形やこれらの組み合わせを刻設しない状態である場合には、一見すると「印璽」であることが認識できない状態が可能であり、その場合例えば、玩具、遊具、教材、リハビリ具、美術品、工芸品、装身具、などと区別ができない状態の印璽材料、また本願明細書で記した、チェス駒、人、人形、動物、植物、幾何形状、勝利記念品、飛翔体、建築物、家具部位、脚付飲用容器形状、などで表現された形状と比較的類似した印璽材料を、製造者や販売者や消費者に提供できる。【００５１】  また、本発明の印璽体や印璽材料を採用した製造業者は、上述した発明の効果によって、「印璽」や「印璽材料」の新商品の開発費をそれほどかけなくとも市場に投入できることで業績向上に貢献できる。
また、本発明の印璽体や印璽材料の取扱いを始めた販売業者は、上述した発明の効果によって、販売専門の業者でありながら、「印璽」や「印璽材料」の新商品の企画立案が可能になり、かつその結果としての「印璽」や「印璽材料」の新商品の提供が可能になり、すなわち前記販売業者のオリジナル商品としての「印璽」や「印璽材料」が提供できることになり、販売向上に貢献できる。
また、本発明の印璽体の購入者は、上述した発明の効果によって、購入時の印璽体にマンネリを感じた場合は、いつでも、どこでも、想像力や創造性を発揮して、印璽の改変が可能になる。【００５２】  また、本発明の印璽体や印璽材料を採用した製造業者は、上述した発明の効果に加えて、希望とする印璽材料のアイテムを適宜増やすことで、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品を市場に投入できることで業績向上に貢献できる。
また、本発明の印璽体や印璽材料の取扱いを始めた販売業者は、上述した発明の効果に加えて、希望とする印璽材料のアイテムを適宜増やすことで、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品の数だけ取扱い商品を増やすことができるので、販売向上に貢献できる。
また、本発明の印璽体や印璽材料の購入者は、上述した発明の効果によって、購入時の印璽体にマンネリを感じた場合は、いつでも、どこでも、想像力や創造性を発揮して、印璽を、玩具、遊具、教材、リハビリ具、美術品、工芸品、装身具、また本願明細書で記した、チェス駒、人、人形、動物、植物、幾何形状、勝利記念品、飛翔体、建築物、家具部位、脚付飲用容器形状、などで表現された形状と比較的類似した物品に改変することが可能になる。【００５３】
【発明を実施するための最良の形態】
【００５４】  以下、図面に従って、実施例と共に本発明を実施するための形態について説明する。図１は、本発明の分割及び組合せ可能な印章体の分割体が５個の場合の実施例を示す分解斜視図であり、また本発明の分割及び組合せ可能な印璽体の分割体が５個の場合の実施例を示す分解斜視図である。図２は、図１の組立て状態を説明する正面図である。図３は、図１の組合せ状態を説明する正面図である。図４は、本発明の分割及び組合せ可能な印章体の分割体が２個の場合の実施例を示す分解斜視図であり、また本発明の分割及び組合せ可能な印璽体の分割体が２個の場合の実施例を示す分解斜視図である。図５は、本発明の分割及び組合せ可能な印章体の分割体が３個の場合の実施例を示す分解斜視図であり、また本発明の分割及び組合せ可能な印璽体の分割体が３個の場合の実施例を示す分解斜視図である。図６は、本発明の分割及び組合せ可能な印章体の分割体が４個の場合の実施例を示す分解斜視図であり、また本発明の分割及び組合せ可能な印璽体の分割体が４個の場合の実施例を示す分解斜視図である。図７は、本発明の分割及び組合せ可能な印章体の分割体が５個の場合の実施例を示す分解斜視図であり、また本発明の分割及び組合せ可能な印璽体の分割体が５個の場合の実施例を示す分解斜視図である。図８は、図７の組立て状態を説明する正面図である。図９は、本発明の分割及び組合せ可能な印章体の分割体が５個の場合の実施例を示す分解斜視図であり、また本発明の分割及び組合せ可能な印璽体の分割体が５個の場合の実施例を示す分解斜視図である。図１０は、図９の組立て状態を説明する正面図である。
【実施例１】
【００５５】  まず、図４と図８を用いて、請求項１（課題を解決するための第一の手段）と請求項３（課題を解決するための第三の手段）と請求項５（課題を解決するための第五の手段）の一実施例を説明すると、ＳｔＭは押印部と本体から成る一般的に印章として用いられる印章体であり、印章体ＳｔＭの形状は本明細書で記載した「チェス駒」の形状の中から選択した形状を用いてもよいし、また、前記チェス駒形状を用いなくとも、例えば、印章体押印部の形状、印章体本体の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｔＭ１０は印章体ＳｔＭの押印部であり、印章体押印部ＳｔＭ１０の形状は前記チェス駒形状を任意に分割したような形状に形成させ、印章体押印部ＳｔＭ１０の一端には印面部ＳｔＭ１１を形成させ、印章体押印部ＳｔＭ１０の他端には着脱可能部ＳｔＭ１２を設け、着脱可能部ＳｔＭ１２の近傍には着脱可能手段ＳｔＭ１３が少なくとも一つ形成される。ＳｔＭ２０は印章体ＳｔＭの本体であり、印章体本体ＳｔＭ２０の形状は前記チェス駒形状を任意に分割したような形状に形成させ、印章体本体ＳｔＭ２０は把持部ＳｔＭ２１と着脱可能部ＳｔＭ２２で形成され、把持部ＳｔＭ２１の一端には着脱可能部ＳｔＭ２２が形成され、把持部ＳｔＭ２１の他端には前記チェス駒形状を任意に分割したような形状に形成させ、着脱可能部ＳｔＭ２２の近傍には着脱可能手段ＳｔＭ２３が少なくとも一つ形成される。したがって、印章体押印部ＳｔＭ１０と印章体本体ＳｔＭ２０は、着脱可能部ＳｔＭ１２と着脱可能手段ＳｔＭ１３、着脱可能部ＳｔＭ２２と着脱可能手段ＳｔＭ２３、を介して着脱が可能になることで、図４で２分割されていた印章体ＳｔＭは、図８に示すとおり組立てた状態の印章体ＳｔＭになり、本発明の分割及び組合せ可能な印章体として提供できる。
また、印章体押印部ＳｔＭ１０と印章体本体ＳｔＭ２０の材質は、本明細書で記載した「木質」、「金属」、「セラミックス」、「動物体」、「鉱物」、「宝石」、「模造石」、「高分子化合物」、などの中から選択して用いるものとする。また、印章体押印部ＳｔＭ１０と印章体本体ＳｔＭ２０の形成手段は、夫々前記材質が決定した後に夫々の材質の特性に合わせて企画すればよく一般的に知られた技術的手段で構わない。また、着脱可能手段ＳｔＭ１３と着脱可能手段ＳｔＭ２３は、印章体押印部ＳｔＭ１０の材質や印章体本体ＳｔＭ２０の材質が決定した後に夫々の材質の特性に合わせて企画すればよく、本明細書の中で記載された着脱可能手段の中から選択して用いればよい。
【実施例２】
【００５６】  次に、図１と図２と図３を用いて、請求項１（課題を解決するための第一の手段）と請求項３（課題を解決するための第三の手段）と請求項５（課題を解決するための第五の手段）の一実施例を説明する。まず図１より、ＳｔＩは押印部と本体から成る一般的に印章として用いられる印章体であり、印章体ＳｔＩの形状は本明細書で記載した「チェス駒」の形状の中から選択した形状を用いてもよいし、また、前記チェス駒形状を用いなくとも、例えば、印章体押印部の形状、印章体本体の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。
ＳｔＩ１０は印章体ＳｔＩの押印部であり、印章体押印部ＳｔＩ１０の形状は、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印章体押印部ＳｔＩ１０の一端には印面部ＳｔＩ１１を設け任意の文字や記号や図形やこれらの組合せが印影になるように形成され、印章体押印部ＳｔＩ１０の他端には着脱可能部ＳｔＩ１２を設け、着脱可能部ＳｔＩ１２の近傍には着脱可能手段ＳｔＩ１３が少なくとも一つ形成される。
ＳｔＩ２０は印章体ＳｔＩの本体の分割体であり、印章体分割体ＳｔＩ２０の機能は印章体ＳｔＩの押印作業のために利用者が把持できるように把持機能を持たせるようにし、ＳｔＩ２１は印章体分割体ＳｔＩ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＩ２２は印章体分割体ＳｔＩ２０の一端に設けた着脱可能部であり、着脱可能部ＳｔＩ２２の近傍には着脱可能手段ＳｔＩ２３が少なくとも一つ形成され、ＳｔＩ２４は印章体分割体ＳｔＩ２０の他端に設けた着脱可能部であり、着脱可能部ＳｔＩ２４の近傍には着脱可能手段ＳｔＩ２５が少なくとも一つ形成される。
ＳｔＩ３０は印章体ＳｔＩの本体の分割体であり、印章体分割体ＳｔＩ３０の機能は印章体ＳｔＩの押印作業や利用者の生活に変化を与え創造性を刺激するような創造性刺激作用を持たせたものであり、ＳｔＩ３１は印章体分割体ＳｔＩ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＩ３２は印章体分割体ＳｔＩ３０の一端に設けた着脱可能部であり、着脱可能部ＳｔＩ３２の近傍には着脱可能手段ＳｔＩ３３が少なくとも一つ形成され、ＳｔＩ３４は印章体分割体ＳｔＩ３０の他端に設けた着脱可能部であり、着脱可能部ＳｔＩ３４の近傍には着脱可能手段ＳｔＩ３５が少なくとも一つ形成される。
ＳｔＩ４０は印章体ＳｔＩの本体の分割体であり、印章体分割体ＳｔＩ４０の機能は印章体ＳｔＩの押印作業や利用者の生活に変化を与え創造性を刺激するような創造性刺激作用を持たせたものであり、ＳｔＩ４１は印章体分割体ＳｔＩ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＩ４２は印章体分割体ＳｔＩ４０の一端に設けた着脱可能部であり、着脱可能部ＳｔＩ４２の近傍には着脱可能手段ＳｔＩ４３が少なくとも一つ形成され、ＳｔＩ４４は印章体分割体ＳｔＩ４０の他端に設けた着脱可能部であり、着脱可能部ＳｔＩ４４の近傍には着脱可能手段ＳｔＩ４５が少なくとも一つ形成される。
ＳｔＩ５０は印章体ＳｔＩの本体の分割体であり、印章体分割体ＳｔＩ５０の機能は印章体ＳｔＩの押印作業や利用者の生活に変化を与え創造性を刺激するような作用を持たせたものであり、ＳｔＩ５１は印章体分割体ＳｔＩ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＩ５２は印章体分割体ＳｔＩ５０の一端に設けた着脱可能部であり、着脱可能部ＳｔＩ５２の近傍には着脱可能手段ＳｔＩ５３が少なくとも一つ形成され、着脱可能手段ＳｔＩ５３は印章体押印部ＳｔＩ１０や印章体分割体ＳｔＩ２０や印章体分割体ＳｔＩ３０や印章体分割体ＳｔＩ４０などが着脱可能になるように形成される。
例えば、着脱可能手段ＳｔＩ５３が棒状体であれば、着脱可能部ＳｔＩ１２、着脱可能部ＳｔＩ２２、着脱可能部ＳｔＩ２４、着脱可能部ＳｔＩ３２、着脱可能部ＳｔＩ３４、着脱可能部ＳｔＩ４２、着脱可能部ＳｔＩ４４、に連通する孔部を設け、前記棒状体の先端部には雄ネジ状に形成させた着脱可能手段ＳｔＩ５４を設けることで、着脱可能手段ＳｔＩ４５と着脱可能手段ＳｔＩ４３は印章体分割体ＳｔＩ４０の貫通孔として、着脱可能手段ＳｔＩ３５と着脱可能手段ＳｔＩ３３は印章体分割体ＳｔＩ３０の貫通孔として、着脱可能手段ＳｔＩ２５と着脱可能手段ＳｔＩ２３は印章体分割体ＳｔＩ２０の貫通孔として、着脱可能手段ＳｔＩ５３を着脱可能にし、着脱可能部ＳｔＩ１２には印章体押印部ＳｔＩ１０を貫通しない穴部を設け、この穴部に着脱可能手段ＳｔＩ５４と一対になるように形成した雌ネジを設けることで形成した着脱可能手段ＳｔＩ１３によって、印章体押印部ＳｔＩ１０と印章体分割体ＳｔＩ２０と印章体分割体ＳｔＩ３０と印章体分割体ＳｔＩ４０と印章体分割体ＳｔＩ５０が着脱可能な関係になるものである。
【実施例３】
【００５７】  したがって、図１と図２より、まず、印章体分割体ＳｔＩ５０に、着脱可能手段ＳｔＩ５３を着脱可能部ＳｔＩ５２に形成させるか、着脱可能手段ＳｔＩ５３を着脱可能部ＳｔＩ５２に固着させるか、着脱可能手段ＳｔＩ５３を着脱可能部ＳｔＩ５２に着脱可能に係着させるか、した後に、着脱可能手段ＳｔＩ５４を着脱可能手段ＳｔＩ４５に挿通し、着脱可能手段ＳｔＩ４３から貫通させ、次に着脱可能手段ＳｔＩ５４を着脱可能手段ＳｔＩ３５に挿通し、着脱可能手段ＳｔＩ３３から貫通させ、次に着脱可能手段ＳｔＩ５４を着脱可能手段ＳｔＩ２５に挿通し、着脱可能手段ＳｔＩ２３から貫通させ、次に着脱可能手段ＳｔＩ５４を着脱可能手段ＳｔＩ１３に挿通した後に着脱可能手段ＳｔＩ５４の雄ネジ部と着脱可能手段ＳｔＩ１３の雌ネジ部とで螺着又は締着又は締結させることで、図２に示すとおり、図１で分割されていた印章体ＳｔＩは組立てた状態の印章体ＳｔＩになり、本発明の分割及び組合せ可能な印章体として提供できる。
また、図２の印章体ＳｔＩの形状は本明細書で記載した「チェス駒」の形状の中から選択した「クイーンの形状」として表現することも可能であり、また、前記チェス駒形状を用いなくとも、例えば、印章体押印部ＳｔＩ１０の形状、分割体形状ＳｔＩ２１の形状、分割体形状ＳｔＩ３１の形状、分割体形状ＳｔＩ４１の形状、分割体形状ＳｔＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「クイーンの形状」に見えるように表現することも可能である。ちなみに、図２の印章体ＳｔＩの形状は、チェスゲームの経験者５人に対してアンケートを実施したところ全員が「クイーンの形状」に見えると判断した。
また、印章体押印部ＳｔＩ１０の材質、印章体分割体ＳｔＩ２０の材質、印章体分割体ＳｔＩ３０の材質、印章体分割体ＳｔＩ４０の材質、印章体分割体ＳｔＩ５０の材質、に関しては本明細書で記載した、「木質」、「金属」、「セラミックス」、「動物体」、「鉱物」、「宝石」、「模造石」、「高分子化合物」、などの中から選択して用いるものとする。
また、印章体押印部ＳｔＩ１０の形成手段、印章体分割体ＳｔＩ２０の形成手段、印章体分割体ＳｔＩ３０の形成手段、印章体分割体ＳｔＩ４０の形成手段、印章体分割体ＳｔＩ５０の形成手段、に関しては、夫々前記材質が決定した後に夫々の材質の特性に合わせて企画すればよく、これらの形成手段は一般的に知られた技術的手段を用いればよい。
【実施例４】
【００５８】  また、図３は、図１と図２で説明した印章体ＳｔＩの形状の色々な組合わせ方法を示したものであり、例えば、印章体分割体ＳｔＩ２０と、印章体分割体ＳｔＩ３０と、印章体分割体ＳｔＩ４０を、色々と組合わせることで、図２の印章体ＳｔＩの形状は、図１と図２の印章体ＳｔＩの形状で説明した以外の形状に形成させることが可能であり、例えば、図３に示すとおり、ＳｔＩ［Ｎ］は、まず、印章体分割体ＳｔＩ５０に、着脱可能手段ＳｔＩ５３を着脱可能部ＳｔＩ５２に形成させるか、着脱可能手段ＳｔＩ５３を着脱可能部ＳｔＩ５２に固着させるか、着脱可能手段ＳｔＩ５３を着脱可能部ＳｔＩ５２に着脱可能に係着させるか、した後に、着脱可能手段ＳｔＩ５４を着脱可能手段ＳｔＩ２３から挿通し、着脱可能手段ＳｔＩ２５から貫通させ、次に着脱可能手段ＳｔＩ５４を着脱可能手段ＳｔＩ３５に挿通し、着脱可能手段ＳｔＩ３３から貫通させ、次に着脱可能手段ＳｔＩ５４を着脱可能手段ＳｔＩ４５に挿通し、着脱可能手段ＳｔＩ４３から貫通させ、次に着脱可能手段ＳｔＩ５４を着脱可能手段ＳｔＩ１３に挿通した後に着脱可能手段ＳｔＩ５４の雄ネジ部と着脱可能手段ＳｔＩ１３の雌ネジ部とで螺着又は締着又は締結させることで得られる形状の印章体であり、したがって「ナイトの形状」として表現可能な印章体ＳｔＩ［Ｎ］は、図３に示すとおり、図１で分割されていた印章体ＳｔＩを組立てた状態の印章体ということであり、本発明の分割及び組合せ可能な印章体として提供できる。また「ナイトの形状」として表現可能な印章体ＳｔＩ［Ｎ］の形状は、本明細書で記載した「チェス駒」の形状の中から選択した「ナイトの形状」として表現することも可能であり、また、前記チェス駒形状を用いなくとも、例えば、印章体押印部ＳｔＩ１０の形状、分割体形状ＳｔＩ２１の形状、分割体形状ＳｔＩ３１の形状、分割体形状ＳｔＩ４１の形状、分割体形状ＳｔＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「ナイトの形状」に見えるように表現することも可能である。ちなみに、図３の「ナイトの形状」として表現可能な印章体ＳｔＩ［Ｎ］の形状は、チェスゲームの経験者５人に対してアンケートを実施したところ全員が「ナイトの形状」に見えると判断した。
また例えば、図３に示すとおり、ＳｔＩ［Ｂ］は、まず、印章体分割体ＳｔＩ５０に、着脱可能手段ＳｔＩ５３を着脱可能部ＳｔＩ５２に形成させるか、着脱可能手段ＳｔＩ５３を着脱可能部ＳｔＩ５２に固着させるか、着脱可能手段ＳｔＩ５３を着脱可能部ＳｔＩ５２に着脱可能に係着させるか、した後に、着脱可能手段ＳｔＩ５４を着脱可能手段ＳｔＩ３３から挿通し、
着脱可能手段ＳｔＩ３５から貫通させ、次に着脱可能手段ＳｔＩ５４を着脱可能手段ＳｔＩ２５に挿通し、着脱可能手段ＳｔＩ２３から貫通させ、次に着脱可能手段ＳｔＩ５４を着脱可能手段ＳｔＩ４５に挿通し、着脱可能手段ＳｔＩ４３から貫通させ、次に着脱可能手段ＳｔＩ５４を着脱可能手段ＳｔＩ１３に挿通した後に着脱可能手段ＳｔＩ５４の雄ネジ部と着脱可能手段ＳｔＩ１３の雌ネジ部とで螺着又は締着又は締結させることで得られる形状の印章体であり、したがって「ビショップの形状」として表現可能な印章体ＳｔＩ［Ｂ］は、図３に示すとおり、図１で分割されていた印章体ＳｔＩを組立てた状態の印章体ということであり、本発明の分割及び組合せ可能な印章体として提供できる。また「ビショップの形状」として表現可能な印章体ＳｔＩ［Ｂ］の形状は、本明細書で記載した「チェス駒」の形状の中から選択した「ビショップの形状」として表現することも可能であり、また、前記チェス駒形状を用いなくとも、例えば、印章体押印部ＳｔＩ１０の形状、分割体形状ＳｔＩ２１の形状、分割体形状ＳｔＩ３１の形状、分割体形状ＳｔＩ４１の形状、分割体形状ＳｔＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「ビショップの形状」に見えるように表現することも可能である。ちなみに、図３の「ビショップの形状」として表現可能な印章体ＳｔＩ［Ｂ］の形状は、チェスゲームの経験者５人に対してアンケートを実施したところ全員が「ビショップの形状」に見えると判断した。
また例えば、図３に示すとおり、ＳｔＩ［Ｋ］は、まず、印章体分割体ＳｔＩ５０に、着脱可能手段ＳｔＩ５３を着脱可能部ＳｔＩ５２に形成させるか、着脱可能手段ＳｔＩ５３を着脱可能部ＳｔＩ５２に固着させるか、着脱可能手段ＳｔＩ５３を着脱可能部ＳｔＩ５２に着脱可能に係着させるか、した後に、着脱可能手段ＳｔＩ５４を着脱可能手段ＳｔＩ４３から挿通し、
着脱可能手段ＳｔＩ４５から貫通させ、次に着脱可能手段ＳｔＩ５４を着脱可能手段ＳｔＩ２３に挿通し、着脱可能手段ＳｔＩ２５から貫通させ、次に着脱可能手段ＳｔＩ５４を着脱可能手段ＳｔＩ３３に挿通し、着脱可能手段ＳｔＩ３５から貫通させ、次に着脱可能手段ＳｔＩ５４を着脱可能手段ＳｔＩ１３に挿通した後に着脱可能手段ＳｔＩ５４の雄ネジ部と着脱可能手段ＳｔＩ１３の雌ネジ部とで螺着又は締着又は締結させることで得られる形状の印章体であり、したがって「キングの形状」として表現可能な印章体ＳｔＩ［Ｋ］は、図３に示すとおり、図１で分割されていた印章体ＳｔＩを組立てた状態の印章体ということであり、本発明の分割及び組合せ可能な印章体として提供できる。また「キングの形状」として表現可能な印章体ＳｔＩ［Ｋ］の形状は、本明細書で記載した「チェス駒」の形状の中から選択した「キングの形状」として表現することも可能であり、また、前記チェス駒形状を用いなくとも、例えば、印章体押印部ＳｔＩ１０の形状、分割体形状ＳｔＩ２１の形状、分割体形状ＳｔＩ３１の形状、分割体形状ＳｔＩ４１の形状、分割体形状ＳｔＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「キングの形状」に見えるように表現することも可能である。ちなみに、図３の「キングの形状」として表現可能な印章体ＳｔＩ［Ｋ］の形状は、チェスゲームの経験者５人に対してアンケートを実施したところ全員が「キングの形状」に見えると判断した。
【実施例５】
【００５９】  次に、図５と図８を用いて、請求項１（課題を解決するための第一の手段）と請求項３（課題を解決するための第三の手段）と請求項５（課題を解決するための第五の手段）の一実施例を説明する。まず図５より、ＳｔＡは押印部と本体から成る一般的に印章として用いられる印章体であり、印章体ＳｔＡの形状は本明細書で記載した「チェス駒」の形状の中から選択した形状を用いてもよいし、また、前記チェス駒形状を用いなくとも、例えば、印章体押印部の形状、印章体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｔＡ１０は印章体ＳｔＡの押印部であり、印章体押印部ＳｔＡ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印章体押印部ＳｔＡ１０の一端には印面部ＳｔＡ１１を設け任意の文字や記号や図形やこれらの組合せが印影になるように形成され、印章体押印部ＳｔＡ１０の他端には着脱可能部ＳｔＡ１２を設け、着脱可能部ＳｔＡ１２の近傍には着脱可能手段ＳｔＡ１３が少なくとも一つ形成される。
またＳｔＡ２０は印章体ＳｔＡの本体の分割体であり、印章体分割体ＳｔＡ２０の機能は印章体ＳｔＡの押印作業のために利用者が把持できるように把持機能を持たせるようにし、ＳｔＡ２１は印章体分割体ＳｔＡ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＡ２２は印章体分割体ＳｔＡ２０の一端に設けた着脱可能部であり、着脱可能部ＳｔＡ２２の近傍には着脱可能手段ＳｔＡ２３が少なくとも一つ形成され、ＳｔＡ２４は印章体分割体ＳｔＡ２０の他端に設けた着脱可能部であり、着脱可能部ＳｔＡ２４の近傍には着脱可能手段ＳｔＡ２５が少なくとも一つ形成されることで、図５の実施例に示すように、着脱可能手段ＳｔＡ１３は着脱可能手段ＳｔＡ２３と一対になるように形成された凸状部であり、着脱可能手段ＳｔＡ２３は着脱可能手段ＳｔＡ１３と一対になるように形成された凹状部であり、嵌入作業と嵌脱作業を繰り返すことができ、印章体押印部ＳｔＡ１０と印章体分割体ＳｔＡ２０が着脱可能になる。
またＳｔＡ３０は印章体ＳｔＡの本体の分割体であり、印章体分割体ＳｔＡ３０の機能は印章体ＳｔＡの押印作業や利用者の生活に変化を与え創造性を刺激するような創造性刺激作用を持たせたものであり、ＳｔＡ３１は印章体分割体ＳｔＡ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＡ３２は印章体分割体ＳｔＡ３０の一端に設けた着脱可能部であり、着脱可能部ＳｔＡ３２の近傍には着脱可能手段ＳｔＡ３３が少なくとも一つ形成されることで、図５の実施例に示すように、着脱可能手段ＳｔＡ２５は着脱可能手段ＳｔＡ３３と一対になるように形成された凹状部であり、着脱可能手段ＳｔＡ３３は着脱可能手段ＳｔＡ２５と一対になるように形成された凸状部であり、嵌入作業と嵌脱作業を繰り返すことができ、印章体分割体ＳｔＡ２０と印章体分割体ＳｔＡ３０が着脱可能になる。
したがって、印章体押印部ＳｔＡ１０と印章体分割体ＳｔＡ２０と印章体分割体ＳｔＡ３０は、着脱可能手段ＳｔＡ１３と着脱可能手段ＳｔＡ２３、着脱可能手段ＳｔＡ２５と着脱可能手段ＳｔＡ３３、を介して着脱が可能になることで、図５で３分割されていた印章体ＳｔＡは、図８に示すとおり組立てた状態の印章体ＳｔＡになり、本発明の分割及び組合せ可能な印章体として提供できる。
また、印章体押印部ＳｔＡ１０と印章体分割体ＳｔＡ２０と印章体分割体ＳｔＡ３０の材質は、本明細書で記載した「木質」、「金属」、「セラミックス」、「動物体」、「鉱物」、「宝石」、「模造石」、「高分子化合物」、などの中から選択して用いるものとする。    また、印章体押印部ＳｔＡ１０と印章体分割体ＳｔＡ２０と印章体分割体ＳｔＡ３０の形成手段は、夫々前記材質が決定した後に夫々の材質の特性に合わせて企画すればよく一般的に知られた技術的手段で構わない。
【実施例６】
【００６０】  次に、図６と図８を用いて、請求項１（課題を解決するための第一の手段）と請求項３（課題を解決するための第三の手段）と請求項５（課題を解決するための第五の手段）の一実施例を説明する。まず図６より、ＳｔＫは押印部と本体から成る一般的に印章として用いられる印章体であり、印章体ＳｔＫの形状は本明細書で記載した「チェス駒」の形状の中から選択した形状を用いてもよいし、また、前記チェス駒形状を用いなくとも、例えば、印章体押印部の形状、印章体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｔＫ１０は印章体ＳｔＫの押印部であり、印章体押印部ＳｔＫ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印章体押印部ＳｔＫ１０の一端には印面部ＳｔＫ１１を設け任意の文字や記号や図形やこれらの組合せが印影になるように形成され、印章体押印部ＳｔＫ１０の他端には着脱可能部ＳｔＫ１２を設け、着脱可能部ＳｔＫ１２の近傍には着脱可能手段ＳｔＫ１３が少なくとも一つ形成される。
またＳｔＫ２０は印章体ＳｔＫの本体の分割体であり、印章体分割体ＳｔＫ２０の機能は印章体ＳｔＫの押印作業のために利用者が把持できるように把持機能を持たせるようにし、ＳｔＫ２１は印章体分割体ＳｔＫ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＫ２２は印章体分割体ＳｔＫ２０の一端に設けた着脱可能部であり、着脱可能部ＳｔＫ２２の近傍には着脱可能手段ＳｔＫ２３が少なくとも一つ形成され、ＳｔＫ２４は印章体分割体ＳｔＫ２０の他端に設けた着脱可能部であり、着脱可能部ＳｔＫ２４の近傍には着脱可能手段ＳｔＫ２５が少なくとも一つ形成されることで、図６の実施例に示すように、着脱可能手段ＳｔＫ１３は着脱可能手段ＳｔＫ２３と一対になるように形成された凸状部であり、着脱可能手段ＳｔＫ２３は着脱可能手段ＳｔＫ１３と一対になるように形成された凹状部であり、嵌入作業と嵌脱作業を繰り返すことができ、印章体押印部ＳｔＫ１０と印章体分割体ＳｔＫ２０が着脱可能になる。
またＳｔＫ３０は印章体ＳｔＫの本体の分割体であり、印章体分割体ＳｔＫ３０の機能は印章体ＳｔＫの押印作業や利用者の生活に変化を与え創造性を刺激するような創造性刺激作用を持たせたものであり、ＳｔＫ３１は印章体分割体ＳｔＫ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＫ３２は印章体分割体ＳｔＫ３０の一端に設けた着脱可能部であり、着脱可能部ＳｔＫ３２の近傍には着脱可能手段ＳｔＫ３３が少なくとも一つ形成され、ＳｔＫ３４は印章体分割体ＳｔＫ３０の他端に設けた着脱可能部であり、着脱可能部ＳｔＫ３４の近傍には着脱可能手段ＳｔＫ３５が少なくとも一つ形成されることで、図６の実施例に示すように、着脱可能手段ＳｔＫ２５は着脱可能手段ＳｔＫ３３と一対になるように形成された凹状部であり、着脱可能手段ＳｔＫ３３は着脱可能手段ＳｔＫ２５と一対になるように形成された凸状部であり、嵌入作業と嵌脱作業を繰り返すことができ、印章体分割体ＳｔＫ２０と印章体分割体ＳｔＫ３０が着脱可能になる。
またＳｔＫ４０は印章体ＳｔＫの本体の分割体であり、印章体分割体ＳｔＫ４０の機能は印章体ＳｔＫの押印作業や利用者の生活に変化を与え創造性を刺激するような創造性刺激作用を持たせたものであり、ＳｔＫ４１は印章体分割体ＳｔＫ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＫ４２は印章体分割体ＳｔＫ４０の一端に設けた着脱可能部であり、着脱可能部ＳｔＫ４２の近傍には着脱可能手段ＳｔＫ４３が少なくとも一つ形成されることで、図６の実施例に示すように、着脱可能手段ＳｔＫ３５は着脱可能手段ＳｔＫ４３と一対になるように形成された凹状部であり、着脱可能手段ＳｔＫ４３は着脱可能手段ＳｔＫ３５と一対になるように形成された凸状部であり、嵌入作業と嵌脱作業を繰り返すことができ、印章体分割体ＳｔＫ３０と印章体分割体ＳｔＫ４０が着脱可能になる。
したがって、印章体押印部ＳｔＫ１０と印章体分割体ＳｔＫ２０と印章体分割体ＳｔＫ３０と印章体分割体ＳｔＫ４０は、着脱可能手段ＳｔＫ１３と着脱可能手段ＳｔＫ２３、着脱可能手段ＳｔＫ２５と着脱可能手段ＳｔＫ３３、着脱可能手段ＳｔＫ３５と着脱可能手段ＳｔＫ４３、を介して着脱が可能になることで、図６で４分割されていた印章体ＳｔＫは、図８に示すとおり組立てた状態の印章体ＳｔＫになり、本発明の分割及び組合せ可能な印章体として提供できる。
また、印章体押印部ＳｔＫ１０と印章体分割体ＳｔＫ２０と印章体分割体ＳｔＫ３０と印章体分割体ＳｔＫ４０の材質は、本明細書で記載した「木質」、「金属」、「セラミックス」、「動物体」、「鉱物」、「宝石」、「模造石」、「高分子化合物」、などの中から選択して用いるものとする。また、印章体押印部ＳｔＫ１０と印章体分割体ＳｔＫ２０と印章体分割体ＳｔＫ３０と印章体分割体ＳｔＫ４０の形成手段は、夫々前記材質が決定した後に夫々の材質の特性に合わせて企画すればよく一般的に知られた技術的手段で構わない。
【実施例７】
【００６１】  次に、図７と図８を用いて、請求項１（課題を解決するための第一の手段）と請求項３（課題を解決するための第三の手段）と請求項５（課題を解決するための第五の手段）の一実施例を説明する。まず図７より、ＳｔＥは押印部と本体から成る一般的に印章として用いられる印章体であり、印章体ＳｔＥの形状は本明細書で記載した「チェス駒」の形状の中から選択した形状を用いてもよいし、また、前記チェス駒形状を用いなくとも、例えば、印章体押印部の形状、印章体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｔＥ１０は印章体ＳｔＥの押印部であり、印章体押印部ＳｔＥ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印章体押印部ＳｔＥ１０の一端には印面部ＳｔＥ１１を設け任意の文字や記号や図形やこれらの組合せが印影になるように形成され、印章体押印部ＳｔＥ１０の他端には着脱可能部ＳｔＥ１２を設け、着脱可能部ＳｔＥ１２の近傍には着脱可能手段ＳｔＥ１３が少なくとも一つ形成される。
またＳｔＥ２０は印章体ＳｔＥの本体の分割体であり、印章体分割体ＳｔＥ２０の機能は印章体ＳｔＥの押印作業のために利用者が把持できるように把持機能を持たせるようにし、ＳｔＥ２１は印章体分割体ＳｔＥ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＥ２２は印章体分割体ＳｔＥ２０の一端に設けた着脱可能部であり、着脱可能部ＳｔＥ２２の近傍には着脱可能手段ＳｔＥ２３が少なくとも一つ形成され、ＳｔＥ２４は印章体分割体ＳｔＥ２０の他端に設けた着脱可能部であり、着脱可能部ＳｔＥ２４の近傍には着脱可能手段ＳｔＥ２５が少なくとも一つ形成されることで、図７の実施例に示すように、着脱可能手段ＳｔＥ１３は着脱可能手段ＳｔＥ２３と一対になるように形成された凸状部であり、着脱可能手段ＳｔＥ２３は着脱可能手段ＳｔＥ１３と一対になるように形成された凹状部であり、嵌入作業と嵌脱作業を繰り返すことができ、印章体押印部ＳｔＥ１０と印章体分割体ＳｔＥ２０が着脱可能になる。
またＳｔＥ３０は印章体ＳｔＥの本体の分割体であり、印章体分割体ＳｔＥ３０の機能は印章体ＳｔＥの押印作業や利用者の生活に変化を与え創造性を刺激するような創造性刺激作用を持たせたものであり、ＳｔＥ３１は印章体分割体ＳｔＥ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＥ３２は印章体分割体ＳｔＥ３０の一端に設けた着脱可能部であり、着脱可能部ＳｔＥ３２の近傍には着脱可能手段ＳｔＥ３３が少なくとも一つ形成され、ＳｔＥ３４は印章体分割体ＳｔＥ３０の他端に設けた着脱可能部であり、着脱可能部ＳｔＥ３４の近傍には着脱可能手段ＳｔＥ３５が少なくとも一つ形成されることで、図７の実施例に示すように、着脱可能手段ＳｔＥ２５が着脱可能手段ＳｔＥ３３と着脱可能手段ＳｔＥ３５を貫通するように形成された棒状部であり、着脱可能手段ＳｔＥ３３と着脱可能手段ＳｔＥ３５は着脱可能手段ＳｔＥ２５に貫通されるように形成した孔部であり、挿入作業と挿脱作業を繰り返すことができ、印章体分割体ＳｔＥ２０と印章体分割体ＳｔＥ３０が着脱可能になる。
またＳｔＥ４０は印章体ＳｔＥの本体の分割体であり、印章体分割体ＳｔＥ４０の機能は印章体ＳｔＥの押印作業や利用者の生活に変化を与え創造性を刺激するような創造性刺激作用を持たせたものであり、ＳｔＥ４１は印章体分割体ＳｔＥ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＥ４２は印章体分割体ＳｔＥ４０の一端に設けた着脱可能部であり、着脱可能部ＳｔＥ４２の近傍には着脱可能手段ＳｔＥ４３が少なくとも一つ形成され、ＳｔＥ４４は印章体分割体ＳｔＥ４０の他端に設けた着脱可能部であり、着脱可能部ＳｔＥ４４の近傍には着脱可能手段ＳｔＥ４５が少なくとも一つ形成されることで、図７の実施例に示すように、着脱可能手段ＳｔＥ４３は着脱可能手段ＳｔＥ３５から貫通してきた着脱可能手段ＳｔＥ２５と一対になるように形成された凹状部であり、嵌入作業と嵌脱作業を繰り返すことができ、印章体分割体ＳｔＥ２０と印章体分割体ＳｔＥ３０と印章体分割体ＳｔＥ４０が着脱可能になる。
またＳｔＥ５０は印章体ＳｔＥの本体の分割体であり、印章体分割体ＳｔＥ５０の機能は印章体ＳｔＥの押印作業利用者の生活に変化を与え創造性を刺激するような創造性刺激作用を持たせたものであり、ＳｔＥ５１は印章体分割体ＳｔＥ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＥ５２は印章体分割体ＳｔＥ５０の一端に設けた着脱可能部であり、着脱可能部ＳｔＥ５２の近傍には着脱可能手段ＳｔＥ５３が少なくとも一つ形成されることで、図７の実施例に示すように、着脱可能手段ＳｔＥ４５は着脱可能手段ＳｔＥ５３と一対になるように形成された凹状部であり、着脱可能手段ＳｔＥ５３は着脱可能手段ＳｔＥ４５と一対になるように形成された凸状部であり、嵌入作業と嵌脱作業を繰り返すことができ、印章体分割体ＳｔＥ４０と印章体分割体ＳｔＥ５０が着脱可能になる。
したがって、印章体押印部ＳｔＥ１０と印章体分割体ＳｔＥ２０と印章体分割体ＳｔＥ３０と印章体分割体ＳｔＥ４０と印章体分割体ＳｔＥ５０は、着脱可能手段ＳｔＥ１３と着脱可能手段ＳｔＥ２３、着脱可能手段ＳｔＥ２５と着脱可能手段ＳｔＥ３３、着脱可能手段ＳｔＥ３５と着脱可能手段ＳｔＥ４３、着脱可能手段ＳｔＥ４５と着脱可能手段ＳｔＥ５３、を介して着脱が可能になることで、図７で５分割されていた印章体ＳｔＥは、図８に示すとおり組立てた状態の印章体ＳｔＥになり、本発明の分割及び組合せ可能な印章体として提供できる。
また、印章体押印部ＳｔＫ１０と印章体分割体ＳｔＫ２０と印章体分割体ＳｔＫ３０と印章体分割体ＳｔＫ４０と印章体分割体ＳｔＫ５０の材質は、本明細書で記載した「木質」、「金属」、「セラミックス」、「動物体」、「鉱物」、「宝石」、「模造石」、「高分子化合物」、などの中から選択して用いるものとする。また、印章体押印部ＳｔＫ１０と印章体分割体ＳｔＫ２０と印章体分割体ＳｔＫ３０と印章体分割体ＳｔＫ４０と印章体分割体ＳｔＫ５０の形成手段は、夫々前記材質が決定した後に夫々の材質の特性に合わせて企画すればよく一般的に知られた技術的手段で構わない。
【実施例８】
【００６２】  次に、図９と図１０を用いて、請求項１（課題を解決するための第一の手段）と請求項３（課題を解決するための第三の手段）と請求項５（課題を解決するための第五の手段）の一実施例を説明する。まず図９より、ＳｔＨは押印部と本体から成る一般的に印章として用いられる印章体であり、印章体ＳｔＨの形状は本明細書で記載した「チェス駒」の形状の中から選択した形状を用いてもよいし、また、前記チェス駒形状を用いなくとも、例えば、印章体押印部の形状、印章体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｔＨ１０は印章体ＳｔＨの押印部であり、印章体押印部ＳｔＨ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印章体押印部ＳｔＨ１０の一端には印面部ＳｔＨ１１を設け任意の文字や記号や図形やこれらの組合せが印影になるように形成され、印章体押印部ＳｔＨ１０の他端には着脱可能部ＳｔＨ１２を設け、着脱可能部ＳｔＨ１２の近傍には着脱可能手段ＳｔＨ１３が少なくとも一つ形成される。
またＳｔＨ２０は印章体ＳｔＨの本体の分割体であり、印章体分割体ＳｔＨ２０の機能は印章体ＳｔＨの押印作業のために利用者が把持できるように把持機能を持たせるようにし、ＳｔＨ２１は印章体分割体ＳｔＨ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＨ２２は印章体分割体ＳｔＨ２０の一端に設けた着脱可能部であり、着脱可能部ＳｔＨ２２の近傍には着脱可能手段ＳｔＨ２３が少なくとも一つ形成され、ＳｔＨ２４は印章体分割体ＳｔＨ２０の他端に設けた着脱可能部であり、着脱可能部ＳｔＨ２４の近傍には着脱可能手段ＳｔＨ２５が少なくとも一つ形成されることで、図９の実施例に示すように、着脱可能手段ＳｔＨ１３は着脱可能手段ＳｔＨ２３と一対になるように形成された凸状部であり、着脱可能手段ＳｔＨ２３は着脱可能手段ＳｔＨ１３と一対になるように形成された凹状部であり、嵌入作業と嵌脱作業を繰り返すことができ、印章体押印部ＳｔＨ１０と印章体分割体ＳｔＨ２０が着脱可能になる。
またＳｔＨ３０は印章体ＳｔＨの本体の分割体であり、印章体分割体ＳｔＨ３０の機能は印章体ＳｔＨの押印作業や利用者の生活に変化を与え創造性を刺激するような創造性刺激作用を持たせたものであり、ＳｔＨ３１は印章体分割体ＳｔＨ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＨ３２は印章体分割体ＳｔＨ３０の一端に設けた着脱可能部であり、着脱可能部ＳｔＨ３２の近傍には着脱可能手段ＳｔＨ３３が少なくとも一つ形成され、ＳｔＨ３４は印章体分割体ＳｔＨ３０の他端に設けた着脱可能部であり、着脱可能部ＳｔＨ３４の近傍には着脱可能手段ＳｔＨ３５が少なくとも一つ形成されることで、図９の実施例に示すように、着脱可能手段ＳｔＨ２５が着脱可能手段ＳｔＨ３３と着脱可能手段ＳｔＨ３５を貫通するように形成された棒状部であり、着脱可能手段ＳｔＨ３３と着脱可能手段ＳｔＨ３５は着脱可能手段ＳｔＨ２５に貫通されるように形成した孔部であり、挿入作業と挿脱作業を繰り返すことができ、印章体分割体ＳｔＨ２０と印章体分割体ＳｔＨ３０が着脱可能になる。
またＳｔＨ４０は印章体ＳｔＨの本体の分割体であり、印章体分割体ＳｔＨ４０の機能は印章体ＳｔＨの押印作業や利用者の生活に変化を与え創造性を刺激するような創造性刺激作用を持たせたものであり、ＳｔＨ４１は印章体分割体ＳｔＨ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＨ４２は印章体分割体ＳｔＨ４０の一端に設けた着脱可能部であり、着脱可能部ＳｔＨ４２の近傍には着脱可能手段ＳｔＨ４３が少なくとも一つ形成され、ＳｔＨ４４は印章体分割体ＳｔＨ４０の他端に設けた着脱可能部であり、着脱可能部ＳｔＨ４４の近傍には着脱可能手段ＳｔＨ４５が少なくとも一つ形成されることで、図９の実施例に示すように、着脱可能手段ＳｔＨ４３は着脱可能手段ＳｔＨ３５から貫通してきた着脱可能手段ＳｔＨ２５と一対になるように形成された凹状部であり、嵌入作業と嵌脱作業を繰り返すことができ、印章体分割体ＳｔＨ２０と印章体分割体ＳｔＨ３０と印章体分割体ＳｔＨ４０が着脱可能になる。
またＳｔＨ５０は印章体ＳｔＨの本体の分割体であり、印章体分割体ＳｔＨ５０の機能は印章体ＳｔＨの押印作業や利用者の生活に変化を与え創造性を刺激するような創造性刺激作用を持たせたものであり、ＳｔＨ５１は印章体分割体ＳｔＨ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｔＨ５２は印章体分割体ＳｔＨ５０の一端に設けた着脱可能部であり、着脱可能部ＳｔＨ５２の近傍には着脱可能手段ＳｔＨ５３が少なくとも一つ形成されることで、図９の実施例に示すように、着脱可能手段ＳｔＨ４５は着脱可能手段ＳｔＨ５３と一対になるように形成された凹状部であり、着脱可能手段ＳｔＨ５３は着脱可能手段ＳｔＨ４５と一対になるように形成された凸状部であり、嵌入作業と嵌脱作業を繰り返すことができ、印章体分割体ＳｔＨ４０と印章体分割体ＳｔＨ５０が着脱可能になる。
したがって、印章体押印部ＳｔＨ１０と印章体分割体ＳｔＨ２０と印章体分割体ＳｔＨ３０と印章体分割体ＳｔＨ４０と印章体分割体ＳｔＨ５０は、着脱可能手段ＳｔＨ１３と着脱可能手段ＳｔＨ２３、着脱可能手段ＳｔＨ２５と着脱可能手段ＳｔＨ３３、着脱可能手段ＳｔＨ３５と着脱可能手段ＳｔＨ４３、着脱可能手段ＳｔＨ４５と着脱可能手段ＳｔＨ５３、を介して着脱が可能になることで、図９で５分割されていた印章体ＳｔＨは、図１０に示すとおり組立てた状態の印章体ＳｔＨになり、本発明の分割及び組合せ可能な印章体として提供できる。
また、印章体押印部ＳｔＨ１０と印章体分割体ＳｔＨ２０と印章体分割体ＳｔＨ３０と印章体分割体ＳｔＨ４０と印章体分割体ＳｔＨ５０の材質は、本明細書で記載した「木質」、「金属」、「セラミックス」、「動物体」、「鉱物」、「宝石」、「模造石」、「高分子化合物」、などの中から選択して用いるものとする。また、印章体押印部ＳｔＨ１０と印章体分割体ＳｔＨ２０と印章体分割体ＳｔＨ３０と印章体分割体ＳｔＨ４０と印章体分割体ＳｔＨ５０の形成手段は、夫々前記材質が決定した後に夫々の材質の特性に合わせて企画すればよく一般的に知られた技術的手段で構わない。
【実施例９】
【００６３】  まず、図４と図８を用いて、請求項２（課題を解決するための第二の手段）と請求項４（課題を解決するための第四の手段）と請求項６（課題を解決するための第六の手段）の一実施例を説明すると、ＳｅＭは押型部と本体から成る一般的に印璽として用いられる印璽体であり、印璽体ＳｅＭの形状は本明細書で記載した「チェス駒」の形状の中から選択した形状を用いてもよいし、また、前記チェス駒形状を用いなくとも、例えば、印璽体押型部の形状、印璽体本体の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｅＭ１０は印璽体ＳｅＭの押型部であり、印璽体押型部ＳｅＭ１０の形状は前記チェス駒形状を任意に分割したような形状に形成させ、印璽体押型部ＳｅＭ１０の一端には型部ＳｅＭ１１を形成させ、印璽体押型部ＳｅＭ１０の他端には着脱可能部ＳｅＭ１２を設け、着脱可能部ＳｅＭ１２の近傍には着脱可能手段ＳｅＭ１３が少なくとも一つ形成される。ＳｅＭ２０は印璽体ＳｅＭの本体であり、印璽体本体ＳｅＭ２０の形状は前記チェス駒形状を任意に分割したような形状に形成させ、印璽体本体ＳｅＭ２０は把持部ＳｅＭ２１と着脱可能部ＳｅＭ２２で形成され、把持部ＳｅＭ２１の一端には着脱可能部ＳｅＭ２２が形成され、把持部ＳｅＭ２１の他端には前記チェス駒形状を任意に分割したような形状に形成させ、着脱可能部ＳｅＭ２２の近傍には着脱可能手段ＳｅＭ２３が少なくとも一つ形成される。したがって、印璽体押型部ＳｅＭ１０と印璽体本体ＳｅＭ２０は、着脱可能部ＳｅＭ１２と着脱可能手段ＳｅＭ１３、着脱可能部ＳｅＭ２２と着脱可能手段ＳｅＭ２３、を介して着脱が可能になることで、図４で２分割されていた印璽体ＳｅＭは、図８に示すとおり組立てた状態の印章体ＳｅＭになり、本発明の分割及び組合せ可能な印璽体として提供できる。
また、印璽体押型部ＳｅＭ１０と印璽体本体ＳｅＭ２０の材質は、本明細書で記載した「木質」、「金属」、「セラミックス」、「動物体」、「鉱物」、「宝石」、「模造石」、「高分子化合物」、などの中から選択して用いるものとする。また、印璽体押型部ＳｅＭ１０と印璽体本体ＳｅＭ２０の形成手段は、夫々前記材質が決定した後に夫々の材質の特性に合わせて企画すればよく一般的に知られた技術的手段で構わない。また、着脱可能手段ＳｅＭ１３と着脱可能手段ＳｅＭ２３は、印璽体押型部ＳｅＭ１０の材質や印璽体本体ＳｅＭ２０の材質が決定した後に夫々の材質の特性に合わせて企画すればよく、本明細書の中で記載された着脱可能手段の中から選択して、単独でまたは組合わせて用いればよい。
【実施例１０】
【００６４】  次に、図１と図２と図３を用いて、請求項２（課題を解決するための第二の手段）と請求項４（課題を解決するための第四の手段）と請求項６（課題を解決するための第六の手段）の一実施例を説明する。まず図１より、ＳｅＩは押型部と本体から成る一般的に印璽として用いられる印璽体であり、印璽体ＳｅＩの形状は本明細書で記載した「チェス駒」の形状の中から選択した形状を用いてもよいし、また、前記チェス駒形状を用いなくとも、例えば、印璽体押型部の形状、印璽体本体の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。
ＳｅＩ１０は印璽体ＳｔＩの押型部であり、印璽体押型部ＳｅＩ１０の形状は、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印璽体押型部ＳｅＩ１０の一端には型部ＳｅＩ１１を設け任意の文字や記号や図形やこれらの組合せが押型になるように形成され、印璽体押型部ＳｅＩ１０の他端には着脱可能部ＳｅＩ１２を設け、着脱可能部ＳｅＩ１２の近傍には着脱可能手段ＳｅＩ１３が少なくとも一つ形成される。
ＳｅＩ２０は印璽体ＳｅＩの本体の分割体であり、印璽体分割体ＳｅＩ２０の機能は印璽体ＳｅＩの押型作業のために利用者が把持できるように把持機能を持たせるようにし、ＳｅＩ２１は印璽体分割体ＳｅＩ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＩ２２は印璽体分割体ＳｅＩ２０の一端に設けた着脱可能部であり、着脱可能部ＳｅＩ２２の近傍には着脱可能手段ＳｅＩ２３が少なくとも一つ形成され、ＳｅＩ２４は印璽体分割体ＳｅＩ２０の他端に設けた着脱可能部であり、着脱可能部ＳｅＩ２４の近傍には着脱可能手段ＳｅＩ２５が少なくとも一つ形成される。
ＳｅＩ３０は印璽体ＳｅＩの本体の分割体であり、印璽体分割体ＳｅＩ３０の機能は印璽体ＳｅＩの押型作業や利用者の生活に変化を与え創造性を刺激するような創造性刺激作用を持たせたものであり、ＳｅＩ３１は印璽体分割体ＳｅＩ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＩ３２は印璽体分割体ＳｅＩ３０の一端に設けた着脱可能部であり、着脱可能部ＳｅＩ３２の近傍には着脱可能手段ＳｅＩ３３が少なくとも一つ形成され、ＳｅＩ３４は印璽体分割体ＳｅＩ３０の他端に設けた着脱可能部であり、着脱可能部ＳｅＩ３４の近傍には着脱可能手段ＳｅＩ３５が少なくとも一つ形成される。
ＳｅＩ４０は印璽体ＳｅＩの本体の分割体であり、印璽体分割体ＳｅＩ４０の機能は印璽体ＳｅＩの押型作業や利用者の生活に変化を与え創造性を刺激するような創造性刺激作用を持たせたものであり、ＳｅＩ４１は印璽体分割体ＳｅＩ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＩ４２は印璽体分割体ＳｅＩ４０の一端に設けた着脱可能部であり、着脱可能部ＳｅＩ４２の近傍には着脱可能手段ＳｅＩ４３が少なくとも一つ形成され、ＳｅＩ４４は印璽体分割体ＳｅＩ４０の他端に設けた着脱可能部であり、着脱可能部ＳｅＩ４４の近傍には着脱可能手段ＳｅＩ４５が少なくとも一つ形成される。
ＳｅＩ５０は印璽体ＳｅＩの本体の分割体であり、印璽体分割体ＳｅＩ５０の機能は印璽体ＳｅＩの押型作業や利用者の生活に変化を与え創造性を刺激するような作用を持たせたものであり、ＳｅＩ５１は印璽体分割体ＳｅＩ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＩ５２は印璽体分割体ＳｅＩ５０の一端に設けた着脱可能部であり、着脱可能部ＳｅＩ５２の近傍には着脱可能手段ＳｅＩ５３が少なくとも一つ形成され、着脱可能手段ＳｅＩ５３は印璽体押型部ＳｅＩ１０や印章体分割体ＳｅＩ２０や印璽体分割体ＳｅＩ３０や印璽体分割体ＳｅＩ４０などが着脱可能になるように形成される。
例えば、着脱可能手段ＳｅＩ５３が棒状体であれば、着脱可能部ＳｅＩ１２、着脱可能部ＳｅＩ２２、着脱可能部ＳｅＩ２４、着脱可能部ＳｅＩ３２、着脱可能部ＳｅＩ３４、着脱可能部ＳｅＩ４２、着脱可能部ＳｅＩ４４、に連通する孔部を設け、前記棒状体の先端部には雄ネジ状に形成させた着脱可能手段ＳｅＩ５４を設けることで、着脱可能手段ＳｅＩ４５と着脱可能手段ＳｅＩ４３は印璽体分割体ＳｅＩ４０の貫通孔として、着脱可能手段ＳｅＩ３５と着脱可能手段ＳｅＩ３３は印璽体分割体ＳｅＩ３０の貫通孔として、着脱可能手段ＳｅＩ２５と着脱可能手段ＳｅＩ２３は印璽体分割体ＳｅＩ２０の貫通孔として、着脱可能手段ＳｅＩ５３を着脱可能にし、着脱可能部ＳｅＩ１２には印璽体押型部ＳｅＩ１０を貫通しない穴部を設け、この穴部に着脱可能手段ＳｅＩ５４と一対になるように形成した雌ネジを設けることで形成した着脱可能手段ＳｅＩ１３によって、印璽体押型部ＳｅＩ１０と印璽体分割体ＳｅＩ２０と印璽体分割体ＳｅＩ３０と印璽体分割体ＳｅＩ４０と印璽体分割体ＳｅＩ５０が着脱可能な関係になるものである。
【実施例１１】
【００６５】  したがって、図１と図２より、まず、印璽体分割体ＳｅＩ５０に、着脱可能手段ＳｅＩ５３を着脱可能部ＳｅＩ５２に形成させるか、着脱可能手段ＳｅＩ５３を着脱可能部ＳｅＩ５２に固着させるか、着脱可能手段ＳｅＩ５３を着脱可能部ＳｅＩ５２に着脱可能に係着させるか、した後に、着脱可能手段ＳｅＩ５４を着脱可能手段ＳｅＩ４５に挿通し、着脱可能手段ＳｅＩ４３から貫通させ、次に着脱可能手段ＳｅＩ５４を着脱可能手段ＳｅＩ３５に挿通し、着脱可能手段ＳｅＩ３３から貫通させ、次に着脱可能手段ＳｅＩ５４を着脱可能手段ＳｅＩ２５に挿通し、着脱可能手段ＳｅＩ２３から貫通させ、次に着脱可能手段ＳｅＩ５４を着脱可能手段ＳｅＩ１３に挿通した後に着脱可能手段ＳｅＩ５４の雄ネジ部と着脱可能手段ＳｅＩ１３の雌ネジ部とで螺着又は締着又は締結させることで、図２に示すとおり、図１で分割されていた印璽体ＳｅＩは組立てた状態の印璽体ＳｅＩになり、本発明の分割及び組合せ可能な印璽体として提供できる。
また、図２の印璽体ＳｅＩの形状は本明細書で記載した「チェス駒」の形状の中から選択した「クイーンの形状」として表現することも可能であり、また、前記チェス駒形状を用いなくとも、例えば、印璽体押型部ＳｅＩ１０の形状、分割体形状ＳｅＩ２１の形状、分割体形状ＳｅＩ３１の形状、分割体形状ＳｅＩ４１の形状、分割体形状ＳｅＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「クイーンの形状」に見えるように表現することも可能である。ちなみに、図２の印璽体ＳｅＩの形状は、チェスゲームの経験者５人に対してアンケートを実施したところ全員が「クイーンの形状」に見えると判断した。
また、印璽体押型部ＳｅＩ１０の材質、印璽体分割体ＳｅＩ２０の材質、印璽体分割体ＳｅＩ３０の材質、印璽体分割体ＳｅＩ４０の材質、印璽体分割体ＳｅＩ５０の材質、に関しては本明細書で記載した、「木質」、「金属」、「セラミックス」、「動物体」、「鉱物」、「宝石」、「模造石」、「高分子化合物」、などの中から選択して用いるものとする。
また、印璽体押型部ＳｅＩ１０の形成手段、印璽体分割体ＳｅＩ２０の形成手段、印璽体分割体ＳｅＩ３０の形成手段、印璽体分割体ＳｅＩ４０の形成手段、印璽体分割体ＳｅＩ５０の形成手段、に関しては、夫々前記材質が決定した後に夫々の材質の特性に合わせて企画すればよく、これらの形成手段は一般的に知られた技術的手段を用いればよい。
【実施例１２】
【００６６】  また、図３は、図１と図２で説明した印璽体ＳｅＩの形状の色々な組合わせ方法を示したものであり、例えば、印璽体分割体ＳｅＩ２０と、印璽体分割体ＳｅＩ３０と、印璽体分割体ＳｅＩ４０を、色々と組合わせることで、図２の印璽体ＳｅＩの形状は、図１と図２の印璽体ＳｅＩの形状で説明した以外の形状に形成させることが可能であり、例えば、図３に示すとおり、ＳｅＩ［Ｎ］は、まず、印璽体分割体ＳｅＩ５０に、着脱可能手段ＳｅＩ５３を着脱可能部ＳｅＩ５２に形成させるか、着脱可能手段ＳｅＩ５３を着脱可能部ＳｅＩ５２に固着させるか、着脱可能手段ＳｅＩ５３を着脱可能部ＳｅＩ５２に着脱可能に係着させるか、した後に、着脱可能手段ＳｅＩ５４を着脱可能手段ＳｅＩ２３から挿通し、着脱可能手段ＳｅＩ２５から貫通させ、次に着脱可能手段ＳｅＩ５４を着脱可能手段ＳｅＩ３５に挿通し、着脱可能手段ＳｅＩ３３から貫通させ、次に着脱可能手段ＳｅＩ５４を着脱可能手段ＳｅＩ５に挿通し、着脱可能手段ＳｅＩ４３から貫通させ、次に着脱可能手段ＳｅＩ５４を着脱可能手段ＳｅＩ１３に挿通した後に着脱可能手段ＳｅＩ５４の雄ネジ部と着脱可能手段ＳｅＩ１３の雌ネジ部とで螺着又は締着又は締結させることで得られる形状の印璽体であり、したがって「ナイトの形状」として表現可能な印璽体ＳｅＩ［Ｎ］は、図３に示すとおり、図１で分割されていた印璽体ＳｅＩを組立てた状態の印璽体ということであり、本発明の分割及び組合せ可能な印璽体として提供できる。また「ナイトの形状」として表現可能な印璽体ＳｅＩ［Ｎ］の形状は、本明細書で記載した「チェス駒」の形状の中から選択した「ナイトの形状」として表現することも可能であり、また、前記チェス駒形状を用いなくとも、例えば、印璽体押型部ＳｅＩ１０の形状、分割体形状ＳｅＩ２１の形状、分割体形状ＳｅＩ３１の形状、分割体形状ＳｅＩ４１の形状、分割体形状ＳｅＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「ナイトの形状」に見えるように表現することも可能である。ちなみに、図３の「ナイトの形状」として表現可能な印璽体ＳｅＩ［Ｎ］の形状は、チェスゲームの経験者５人に対してアンケートを実施したところ全員が「ナイトの形状」に見えると判断した。
また例えば、図３に示すとおり、ＳｅＩ［Ｂ］は、まず、印璽体分割体ＳｅＩ５０に、着脱可能手段ＳｅＩ５３を着脱可能部ＳｅＩ５２に形成させるか、着脱可能手段ＳｅＩ５３を着脱可能部ＳｅＩ５２に固着させるか、着脱可能手段ＳｅＩ５３を着脱可能部ＳｅＩ５２に着脱可能に係着させるか、した後に、着脱可能手段ＳｅＩ５４を着脱可能手段ＳｅＩ３３から挿通し、着脱可能手段ＳｅＩ３５から貫通させ、次に着脱可能手段ＳｅＩ５４を着脱可能手段ＳｅＩ２５に挿通し、着脱可能手段ＳｅＩ２３から貫通させ、次に着脱可能手段ＳｅＩ５４を着脱可能手段ＳｅＩ４５に挿通し、着脱可能手段ＳｅＩ４３から貫通させ、次に着脱可能手段ＳｅＩ５４を着脱可能手段ＳｅＩ１３に挿通した後に着脱可能手段ＳｅＩ５４の雄ネジ部と着脱可能手段ＳｅＩ１３の雌ネジ部とで螺着又は締着又は締結させることで得られる形状の印璽体であり、したがって「ビショップの形状」として表現可能な印璽体ＳｅＩ［Ｂ］は、図３に示すとおり、図１で分割されていた印璽体ＳｅＩを組立てた状態の印璽体ということであり、本発明の分割及び組合せ可能な印璽体として提供できる。また「ビショップの形状」として表現可能な印璽体ＳｅＩ［Ｂ］の形状は、本明細書で記載した「チェス駒」の形状の中から選択した「ビショップの形状」として表現することも可能であり、また、前記チェス駒形状を用いなくとも、例えば、印璽体押型部ＳｅＩ１０の形状、分割体形状ＳｅＩ２１の形状、分割体形状ＳｅＩ３１の形状、分割体形状ＳｅＩ４１の形状、分割体形状ＳｅＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「ビショップの形状」に見えるように表現することも可能である。ちなみに、図３の「ビショップの形状」として表現可能な印璽体ＳｅＩ［Ｂ］の形状は、チェスゲームの経験者５人に対してアンケートを実施したところ全員が「ビショップの形状」に見えると判断した。
また例えば、図３に示すとおり、ＳｅＩ［Ｋ］は、まず、印璽体分割体ＳｅＩ５０に、着脱可能手段ＳｅＩ５３を着脱可能部ＳｅＩ５２に形成させるか、着脱可能手段ＳｅＩ５３を着脱可能部ＳｅＩ５２に固着させるか、着脱可能手段ＳｅＩ５３を着脱可能部ＳｅＩ５２に着脱可能に係着させるか、した後に、着脱可能手段ＳｅＩ５４を着脱可能手段ＳｅＩ４３から挿通し、着脱可能手段ＳｅＩ４５から貫通させ、次に着脱可能手段ＳｅＩ５４を着脱可能手段ＳｅＩ２３に挿通し、着脱可能手段ＳｅＩ２５から貫通させ、次に着脱可能手段ＳｅＩ５４を着脱可能手段ＳｅＩ３３に挿通し、着脱可能手段ＳｅＩ３５から貫通させ、次に着脱可能手段ＳｅＩ５４を着脱可能手段ＳｅＩ１３に挿通した後に着脱可能手段ＳｅＩ５４の雄ネジ部と着脱可能手段ＳｅＩ１３の雌ネジ部とで螺着又は締着又は締結させることで得られる形状の印璽体であり、したがって「キングの形状」として表現可能な印璽体ＳｅＩ［Ｋ］は、図３に示すとおり、図１で分割されていた印璽体ＳｅＩを組立てた状態の印璽体ということであり、本発明の分割及び組合せ可能な印璽体として提供できる。また「キングの形状」として表現可能な印璽体ＳｅＩ［Ｋ］の形状は、本明細書で記載した「チェス駒」の形状の中から選択した「キングの形状」として表現することも可能であり、また、前記チェス駒形状を用いなくとも、例えば、印璽体押型部ＳｅＩ１０の形状、分割体形状ＳｅＩ２１の形状、分割体形状ＳｅＩ３１の形状、分割体形状ＳｅＩ４１の形状、分割体形状ＳｅＩ５１の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「キングの形状」に見えるように表現することも可能である。ちなみに、図３の「キングの形状」として表現可能な印璽体ＳｅＩ［Ｋ］の形状は、チェスゲームの経験者５人に対してアンケートを実施したところ全員が「キングの形状」に見えると判断した。
【実施例１３】
【００６７】  次に、図５と図８を用いて、請求項２（課題を解決するための第二の手段）と請求項４（課題を解決するための第四の手段）と請求項６（課題を解決するための第六の手段）の一実施例を説明する。まず図５より、ＳｅＡは押型部と本体から成る一般的に印章として用いられる印璽体であり、印璽体ＳｅＡの形状は本明細書で記載した「チェス駒」の形状の中から選択した形状を用いてもよいし、また、前記チェス駒形状を用いなくとも、例えば、印璽体押型部の形状、印璽体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｅＡ１０は印璽体ＳｅＡの押型部であり、印璽体押型部ＳｅＡ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印璽体押型部ＳｅＡ１０の一端には型部ＳｅＡ１１を設け任意の文字や記号や図形やこれらの組合せが印影になるように形成され、印璽体押型部ＳｅＡ１０の他端には着脱可能部ＳｅＡ１２を設け、着脱可能部ＳｅＡ１２の近傍には着脱可能手段ＳｅＡ１３が少なくとも一つ形成される。
またＳｅＡ２０は印璽体ＳｅＡの本体の分割体であり、印璽体分割体ＳｅＡ２０の機能は印璽体ＳｅＡの押型作業のために利用者が把持できるように把持機能を持たせるようにし、ＳｅＡ２１は印璽体分割体ＳｅＡ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＡ２２は印璽体分割体ＳｅＡ２０の一端に設けた着脱可能部であり、着脱可能部ＳｅＡ２２の近傍には着脱可能手段ＳｅＡ２３が少なくとも一つ形成され、ＳｅＡ２４は印璽体分割体ＳｅＡ２０の他端に設けた着脱可能部であり、着脱可能部ＳｅＡ２４の近傍には着脱可能手段ＳｅＡ２５が少なくとも一つ形成されることで、図５の実施例に示すように、着脱可能手段ＳｅＡ１３は着脱可能手段ＳｅＡ２３と一対になるように形成された凸状部であり、着脱可能手段ＳｅＡ２３は着脱可能手段ＳｅＡ１３と一対になるように形成された凹状部であり、嵌入作業と嵌脱作業を繰り返すことができ、印璽体押型部ＳｅＡ１０と印璽体分割体ＳｅＡ２０が着脱可能になる。
またＳｅＡ３０は印璽体ＳｅＡの本体の分割体であり、印璽体分割体ＳｅＡ３０の機能は印璽体ＳｅＡの押型作業や利用者の生活に変化を与え創造性を刺激するような創造性刺激作用を持たせたものであり、ＳｅＡ３１は印璽体分割体ＳｅＡ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＡ３２は印璽体分割体ＳｅＡ３０の一端に設けた着脱可能部であり、着脱可能部ＳｅＡ３２の近傍には着脱可能手段ＳｅＡ３３が少なくとも一つ形成されることで、図５の実施例に示すように、着脱可能手段ＳｅＡ２５は着脱可能手段ＳｅＡ３３と一対になるように形成された凹状部であり、着脱可能手段ＳｅＡ３３は着脱可能手段ＳｅＡ２５と一対になるように形成された凸状部であり、嵌入作業と嵌脱作業を繰り返すことができ、印璽体分割体ＳｅＡ２０と印璽体分割体ＳｅＡ３０が着脱可能になる。
したがって、印璽体押型部ＳｅＡ１０と印璽体分割体ＳｅＡ２０と印璽体分割体ＳｅＡ３０は、着脱可能手段ＳｅＡ１３と着脱可能手段ＳｅＡ２３、着脱可能手段ＳｅＡ２５と着脱可能手段ＳｅＡ３３、を介して着脱が可能になることで、図５で３分割されていた印璽体ＳｅＡは、図８に示すとおり組立てた状態の印璽体ＳｅＡになり、本発明の分割及び組合せ可能な印璽体として提供できる。
また、印璽体押型部ＳｅＡ１０と印璽体分割体ＳｅＡ２０と印璽体分割体ＳｅＡ３０の材質は、本明細書で記載した「木質」、「金属」、「セラミックス」、「動物体」、「鉱物」、「宝石」、「模造石」、「高分子化合物」、などの中から選択して用いるものとする。    また、印璽体押型部ＳｅＡ１０と印璽体分割体ＳｅＡ２０と印璽体分割体ＳｅＡ３０の形成手段は、夫々前記材質が決定した後に夫々の材質の特性に合わせて企画すればよく一般的に知られた技術的手段で構わない。
【実施例１４】
【００６８】  次に、図６と図８を用いて、請求項２（課題を解決するための第二の手段）と請求項４（課題を解決するための第四の手段）と請求項６（課題を解決するための第六の手段）の一実施例を説明する。まず図６より、ＳｅＫは押型部と本体から成る一般的に印璽として用いられる印璽体であり、印璽体ＳｅＫの形状は本明細書で記載した「チェス駒」の形状の中から選択した形状を用いてもよいし、また、前記チェス駒形状を用いなくとも、例えば、印璽体押型部の形状、印璽体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｅＫ１０は印璽体ＳｅＫの押型部であり、印璽体押型部ＳｅＫ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印璽体押型部ＳｅＫ１０の一端には型部ＳｅＫ１１を設け任意の文字や記号や図形やこれらの組合せが押型になるように形成され、印璽体押型部ＳｅＫ１０の他端には着脱可能部ＳｅＫ１２を設け、着脱可能部ＳｅＫ１２の近傍には着脱可能手段ＳｅＫ１３が少なくとも一つ形成される。
またＳｅＫ２０は印璽体ＳｅＫの本体の分割体であり、印璽体分割体ＳｅＫ２０の機能は印璽体ＳｅＫの押型作業のために利用者が把持できるように把持機能を持たせるようにし、ＳｅＫ２１は印璽体分割体ＳｅＫ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＫ２２は印璽体分割体ＳｅＫ２０の一端に設けた着脱可能部であり、着脱可能部ＳｅＫ２２の近傍には着脱可能手段ＳｅＫ２３が少なくとも一つ形成され、ＳｅＫ２４は印璽体分割体ＳｅＫ２０の他端に設けた着脱可能部であり、着脱可能部ＳｅＫ２４の近傍には着脱可能手段ＳｅＫ２５が少なくとも一つ形成されることで、図６の実施例に示すように、着脱可能手段ＳｅＫ１３は着脱可能手段ＳｅＫ２３と一対になるように形成された凸状部であり、着脱可能手段ＳｅＫ２３は着脱可能手段ＳｅＫ１３と一対になるように形成された凹状部であり、嵌入作業と嵌脱作業を繰り返すことができ、印璽体押型部ＳｅＫ１０と印璽体分割体ＳｅＫ２０が着脱可能になる。
またＳｅＫ３０は印璽体ＳｅＫの本体の分割体であり、印璽体分割体ＳｅＫ３０の機能は印璽体ＳｅＫの押型作業や利用者の生活に変化を与え創造性を刺激するような創造性刺激作用を持たせたものであり、ＳｅＫ３１は印璽体分割体ＳｅＫ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＫ３２は印璽体分割体ＳｅＫ３０の一端に設けた着脱可能部であり、着脱可能部ＳｅＫ３２の近傍には着脱可能手段ＳｅＫ３３が少なくとも一つ形成され、ＳｅＫ３４は印璽体分割体ＳｅＫ３０の他端に設けた着脱可能部であり、着脱可能部ＳｅＫ３４の近傍には着脱可能手段ＳｅＫ３５が少なくとも一つ形成されることで、図６の実施例に示すように、着脱可能手段ＳｅＫ２５は着脱可能手段ＳｅＫ３３と一対になるように形成された凹状部であり、着脱可能手段ＳｅＫ３３は着脱可能手段ＳｅＫ２５と一対になるように形成された凸状部であり、嵌入作業と嵌脱作業を繰り返すことができ、印璽体分割体ＳｅＫ２０と印璽体分割体ＳｅＫ３０が着脱可能になる。
またＳｅＫ４０は印璽体ＳｅＫの本体の分割体であり、印璽体分割体ＳｅＫ４０の機能は印璽体ＳｅＫの押型作業や利用者の生活に変化を与え創造性を刺激するような創造性刺激作用を持たせたものであり、ＳｅＫ４１は印璽体分割体ＳｅＫ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＫ４２は印璽体分割体ＳｅＫ４０の一端に設けた着脱可能部であり、着脱可能部ＳｅＫ４２の近傍には着脱可能手段ＳｅＫ４３が少なくとも一つ形成されることで、図６の実施例に示すように、着脱可能手段ＳｅＫ３５は着脱可能手段ＳｅＫ４３と一対になるように形成された凹状部であり、着脱可能手段ＳｅＫ４３は着脱可能手段ＳｅＫ３５と一対になるように形成された凸状部であり、嵌入作業と嵌脱作業を繰り返すことができ、印璽体分割体ＳｅＫ３０と印璽体分割体ＳｅＫ４０が着脱可能になる。
したがって、印璽体押型部ＳｅＫ１０と印璽体分割体ＳｅＫ２０と印璽体分割体ＳｅＫ３０と印璽体分割体ＳｅＫ４０は、着脱可能手段ＳｅＫ１３と着脱可能手段ＳｅＫ２３、着脱可能手段ＳｅＫ２５と着脱可能手段ＳｅＫ３３、着脱可能手段ＳｅＫ３５と着脱可能手段ＳｅＫ４３、を介して着脱が可能になることで、図６で４分割されていた印璽体ＳｅＫは、図８に示すとおり組立てた状態の印璽体ＳｅＫになり、本発明の分割及び組合せ可能な印璽体として提供できる。
また、印璽体押型部ＳｅＫ１０と印璽体分割体ＳｅＫ２０と印璽体分割体ＳｅＫ３０と印璽体分割体ＳｅＫ４０の材質は、本明細書で記載した「木質」、「金属」、「セラミックス」、「動物体」、「鉱物」、「宝石」、「模造石」、「高分子化合物」、などの中から選択して用いるものとする。また、印璽体押型部ＳｅＫ１０と印璽体分割体ＳｅＫ２０と印璽体分割体ＳｅＫ３０と印璽体分割体ＳｅＫ４０の形成手段は、夫々前記材質が決定した後に夫々の材質の特性に合わせて企画すればよく一般的に知られた技術的手段で構わない。
【実施例１５】
【００６９】  次に、図７と図８を用いて、請求項２（課題を解決するための第二の手段）と請求項４（課題を解決するための第四の手段）と請求項６（課題を解決するための第六の手段）の一実施例を説明する。まず図７より、ＳｅＥは押型部と本体から成る一般的に印章として用いられる印璽体であり、印璽体ＳｅＥの形状は本明細書で記載した「チェス駒」の形状の中から選択した形状を用いてもよいし、また、前記チェス駒形状を用いなくとも、例えば、印章体押印部の形状、印章体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｅＥ１０は印璽体ＳｅＥの押型部であり、印璽体押型部ＳｅＥ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印璽体押型部ＳｅＥ１０の一端には押型部ＳｅＥ１１を設け任意の文字や記号や図形やこれらの組合せが押型になるように形成され、印璽体押型部ＳｅＥ１０の他端には着脱可能部ＳｅＥ１２を設け、着脱可能部ＳｅＥ１２の近傍には着脱可能手段ＳｅＥ１３が少なくとも一つ形成される。
またＳｅＥ２０は印璽体ＳｅＥの本体の分割体であり、印璽体分割体ＳｅＥ２０の機能は印璽体ＳｅＥの押型作業のために利用者が把持できるように把持機能を持たせるようにし、ＳｅＥ２１は印璽体分割体ＳｅＥ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＥ２２は印璽体分割体ＳｅＥ２０の一端に設けた着脱可能部であり、着脱可能部ＳｅＥ２２の近傍には着脱可能手段ＳｅＥ２３が少なくとも一つ形成され、ＳｅＥ２４は印璽体分割体ＳｅＥ２０の他端に設けた着脱可能部であり、着脱可能部ＳｅＥ２４の近傍には着脱可能手段ＳｅＥ２５が少なくとも一つ形成されることで、図７の実施例に示すように、着脱可能手段ＳｅＥ１３は着脱可能手段ＳｅＥ２３と一対になるように形成された凸状部であり、着脱可能手段ＳｅＥ２３は着脱可能手段ＳｅＥ１３と一対になるように形成された凹状部であり、嵌入作業と嵌脱作業を繰り返すことができ、印璽体押型部ＳｅＥ１０と印璽体分割体ＳｅＥ２０が着脱可能になる。
またＳｅＥ３０は印璽体ＳｅＥの本体の分割体であり、印璽体分割体ＳｅＥ３０の機能は印璽体ＳｅＥの押型作業や利用者の生活に変化を与え創造性を刺激するような創造性刺激作用を持たせたものであり、ＳｅＥ３１は印璽体分割体ＳｅＥ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＥ３２は印璽体分割体ＳｅＥ３０の一端に設けた着脱可能部であり、着脱可能部ＳｅＥ３２の近傍には着脱可能手段ＳｅＥ３３が少なくとも一つ形成され、ＳｅＥ３４は印璽体分割体ＳｅＥ３０の他端に設けた着脱可能部であり、着脱可能部ＳｅＥ３４の近傍には着脱可能手段ＳｅＥ３５が少なくとも一つ形成されることで、図７の実施例に示すように、着脱可能手段ＳｅＥ２５が着脱可能手段ＳｅＥ３３と着脱可能手段ＳｅＥ３５を貫通するように形成された棒状部であり、着脱可能手段ＳｅＥ３３と着脱可能手段ＳｅＥ３５は着脱可能手段ＳｅＥ２５に貫通されるように形成した孔部であり、挿入作業と挿脱作業を繰り返すことができ、印璽体分割体ＳｅＥ２０と印璽体分割体ＳｅＥ３０が着脱可能になる。
またＳｅＥ４０は印璽体ＳｅＥの本体の分割体であり、印璽体分割体ＳｅＥ４０の機能は印璽体ＳｅＥの押型作業や利用者の生活に変化を与え創造性を刺激するような創造性刺激作用を持たせたものであり、ＳｅＥ４１は印璽体分割体ＳｅＥ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＥ４２は印璽体分割体ＳｅＥ４０の一端に設けた着脱可能部であり、着脱可能部ＳｅＥ４２の近傍には着脱可能手段ＳｅＥ４３が少なくとも一つ形成され、ＳｅＥ４４は印璽体分割体ＳｅＥ４０の他端に設けた着脱可能部であり、着脱可能部ＳｅＥ４４の近傍には着脱可能手段ＳｅＥ４５が少なくとも一つ形成されることで、図７の実施例に示すように、着脱可能手段ＳｅＥ４３は着脱可能手段ＳｅＥ３５から貫通してきた着脱可能手段ＳｅＥ２５と一対になるように形成された凹状部であり、嵌入作業と嵌脱作業を繰り返すことができ、印璽体分割体ＳｅＥ２０と印璽体分割体ＳｅＥ３０と印璽体分割体ＳｅＥ４０が着脱可能になる。
またＳｅＥ５０は印璽体ＳｅＥの本体の分割体であり、印璽体分割体ＳｅＥ５０の機能は印璽体ＳｅＥの押型作業や利用者の生活に変化を与え創造性を刺激するような創造性刺激作用を持たせたものであり、ＳｅＥ５１は印璽体分割体ＳｅＥ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＥ５２は印璽体分割体ＳｅＥ５０の一端に設けた着脱可能部であり、着脱可能部ＳｅＥ５２の近傍には着脱可能手段ＳｅＥ５３が少なくとも一つ形成されることで、図７の実施例に示すように、着脱可能手段ＳｅＥ４５は着脱可能手段ＳｅＥ５３と一対になるように形成された凹状部であり、着脱可能手段ＳｅＥ５３は着脱可能手段ＳｅＥ４５と一対になるように形成された凸状部であり、嵌入作業と嵌脱作業を繰り返すことができ、印璽体分割体ＳｅＥ４０と印璽体分割体ＳｅＥ５０が着脱可能になる。
したがって、印璽体押型部ＳｅＥ１０と印璽体分割体ＳｅＥ２０と印璽体分割体ＳｅＥ３０と印璽体分割体ＳｅＥ４０と印璽体分割体ＳｅＥ５０は、着脱可能手段ＳｅＥ１３と着脱可能手段ＳｅＥ２３、着脱可能手段ＳｅＥ２５と着脱可能手段ＳｅＥ３３、着脱可能手段ＳｅＥ３５と着脱可能手段ＳｅＥ４３、着脱可能手段ＳｅＥ４５と着脱可能手段ＳｅＥ５３、を介して着脱が可能になることで、図７で５分割されていた印璽体ＳｅＥは、図８に示すとおり組立てた状態の印璽体ＳｅＥになり、本発明の分割及び組合せ可能な印璽体として提供できる。
また、印璽体押型部ＳｅＫ１０と印璽体分割体ＳｅＫ２０と印璽体分割体ＳｅＫ３０と印璽体分割体ＳｅＫ４０と印璽体分割体ＳｅＫ５０の材質は、本明細書で記載した「木質」、「金属」、「セラミックス」、「動物体」、「鉱物」、「宝石」、「模造石」、「高分子化合物」、などの中から選択して用いるものとする。また、印璽体押型部ＳｅＫ１０と印璽体分割体ＳｅＫ２０と印璽体分割体ＳｅＫ３０と印璽体分割体ＳｅＫ４０と印璽体分割体ＳｅＫ５０の形成手段は、夫々前記材質が決定した後に夫々の材質の特性に合わせて企画すればよく一般的に知られた技術的手段で構わない。
【実施例１６】
【００７０】  次に、図９と図１０を用いて、請求項２（課題を解決するための第二の手段）と請求項４（課題を解決するための第四の手段）と請求項６（課題を解決するための第六の手段）の一実施例を説明する。まず図９より、ＳｅＨは押型部と本体から成る一般的に印章として用いられる印璽体であり、印璽体ＳｅＨの形状は本明細書で記載した「チェス駒」の形状の中から選択した形状を用いてもよいし、また、前記チェス駒形状を用いなくとも、例えば、印璽体押型部の形状、印璽体本体の形状、把持部の形状、などを、本明細書で記した、人、人形、動物、植物、幾何形状、勝利記念品、飛翔体、建築物、家具部位、脚付飲用容器形状、などから選択される少なくとも一つの形状を単独で又は組合わせて又は分割して形成させた形状を「チェス駒」に見えるように表現することも可能である。ＳｅＨ１０は印璽体ＳｅＨの押型部であり、印璽体押型部ＳｅＨ１０の形状は本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させ、印璽体押型部ＳｅＨ１０の一端には型部ＳｅＨ１１を設け任意の文字や記号や図形やこれらの組合せが押型になるように形成され、印璽体押型部ＳｅＨ１０の他端には着脱可能部ＳｅＨ１２を設け、着脱可能部ＳｅＨ１２の近傍には着脱可能手段ＳｅＨ１３が少なくとも一つ形成される。
またＳｅＨ２０は印璽体ＳｅＨの本体の分割体であり、印璽体分割体ＳｅＨ２０の機能は印璽体ＳｅＨの押型作業のために利用者が把持できるように把持機能を持たせるようにし、ＳｅＨ２１は印璽体分割体ＳｅＨ２０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＨ２２は印璽体分割体ＳｅＨ２０の一端に設けた着脱可能部であり、着脱可能部ＳｅＨ２２の近傍には着脱可能手段ＳｅＨ２３が少なくとも一つ形成され、ＳｅＨ２４は印璽体分割体ＳｅＨ２０の他端に設けた着脱可能部であり、着脱可能部ＳｅＨ２４の近傍には着脱可能手段ＳｅＨ２５が少なくとも一つ形成されることで、図９の実施例に示すように、着脱可能手段ＳｅＨ１３は着脱可能手段ＳｅＨ２３と一対になるように形成された凸状部であり、着脱可能手段ＳｅＨ２３は着脱可能手段ＳｅＨ１３と一対になるように形成された凹状部であり、嵌入作業と嵌脱作業を繰り返すことができ、印璽体押型部ＳｅＨ１０と印璽体分割体ＳｅＨ２０が着脱可能になる。
またＳｅＨ３０は印璽体ＳｅＨの本体の分割体であり、印璽体分割体ＳｅＨ３０の機能は印璽体ＳｅＨの押型作業や利用者の生活に変化を与え創造性を刺激するような創造性刺激作用を持たせたものであり、ＳｅＨ３１は印璽体分割体ＳｅＨ３０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＨ３２は印璽体分割体ＳｅＨ３０の一端に設けた着脱可能部であり、着脱可能部ＳｅＨ３２の近傍には着脱可能手段ＳｅＨ３３が少なくとも一つ形成され、ＳｅＨ３４は印璽体分割体ＳｅＨ３０の他端に設けた着脱可能部であり、着脱可能部ＳｅＨ３４の近傍には着脱可能手段ＳｅＨ３５が少なくとも一つ形成されることで、図９の実施例に示すように、着脱可能手段ＳｅＨ２５が着脱可能手段ＳｅＨ３３と着脱可能手段ＳｅＨ３５を貫通するように形成された棒状部であり、着脱可能手段ＳｅＨ３３と着脱可能手段ＳｅＨ３５は着脱可能手段ＳｅＨ２５に貫通されるように形成した孔部であり、挿入作業と挿脱作業を繰り返すことができ、印璽体分割体ＳｅＨ２０と印璽体分割体ＳｅＨ３０が着脱可能になる。
またＳｅＨ４０は印璽体ＳｅＨの本体の分割体であり、印璽体分割体ＳｅＨ４０の機能は印璽体ＳｅＨの押型作業や利用者の生活に変化を与え創造性を刺激するような創造性刺激作用を持たせたものであり、ＳｅＨ４１は印璽体分割体ＳｅＨ４０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＨ４２は印璽体分割体ＳｅＨ４０の一端に設けた着脱可能部であり、着脱可能部ＳｅＨ４２の近傍には着脱可能手段ＳｅＨ４３が少なくとも一つ形成され、ＳｅＨ４４は印璽体分割体ＳｅＨ４０の他端に設けた着脱可能部であり、着脱可能部ＳｅＨ４４の近傍には着脱可能手段ＳｅＨ４５が少なくとも一つ形成されることで、図９の実施例に示すように、着脱可能手段ＳｅＨ４３は着脱可能手段ＳｅＨ３５から貫通してきた着脱可能手段ＳｅＨ２５と一対になるように形成された凹状部であり、嵌入作業と嵌脱作業を繰り返すことができ、印璽体分割体ＳｅＨ２０と印璽体分割体ＳｅＨ３０と印璽体分割体ＳｅＨ４０が着脱可能になる。
またＳｅＨ５０は印璽体ＳｅＨの本体の分割体であり、印璽体分割体ＳｅＨ５０の機能は印璽体ＳｅＨの押型作業や利用者の生活に変化を与え創造性を刺激するような創造性刺激作用を持たせたものであり、ＳｅＨ５１は印璽体分割体ＳｅＨ５０の形状を、本明細書で記した、チェス駒、人、人形、動物、植物、幾何形状、勝利記念品、飛翔体、建築物、家具部位、脚付飲用容器形状、などから選択される少なくとも一つの形状を単独で又は組合わせて又は分割して形成させた形状を示しており、ＳｅＨ５２は印璽体分割体ＳｅＨ５０の一端に設けた着脱可能部であり、着脱可能部ＳｅＨ５２の近傍には着脱可能手段ＳｅＨ５３が少なくとも一つ形成されることで、図９の実施例に示すように、着脱可能手段ＳｅＨ４５は着脱可能手段ＳｅＨ５３と一対になるように形成された凹状部であり、着脱可能手段ＳｅＨ５３は着脱可能手段ＳｅＨ４５と一対になるように形成された凸状部であり、嵌入作業と嵌脱作業を繰り返すことができ、印璽体分割体ＳｅＨ４０と印璽体分割体ＳｅＨ５０が着脱可能になる。
したがって、印璽体押型部ＳｅＨ１０と印璽体分割体ＳｅＨ２０と印璽体分割体ＳｅＨ３０と印璽体分割体ＳｅＨ４０と印璽体分割体ＳｅＨ５０は、着脱可能手段ＳｅＨ１３と着脱可能手段ＳｅＨ２３、着脱可能手段ＳｅＨ２５と着脱可能手段ＳｅＨ３３、着脱可能手段ＳｅＨ３５と着脱可能手段ＳｅＨ４３、着脱可能手段ＳｅＨ４５と着脱可能手段ＳｅＨ５３、を介して着脱が可能になることで、図９で５分割されていた印璽体ＳｅＨは、図１０に示すとおり組立てた状態の印璽体ＳｅＨになり、本発明の分割及び組合せ可能な印璽体として提供できる。
また、印璽体押型部ＳｅＨ１０と印璽体分割体ＳｅＨ２０と印璽体分割体ＳｅＨ３０と印璽体分割体ＳｅＨ４０と印璽体分割体ＳｅＨ５０の材質は、本明細書で記載した「木質」、「金属」、「セラミックス」、「動物体」、「鉱物」、「宝石」、「模造石」、「高分子化合物」、などの中から選択して用いるものとする。また、印璽体押型部ＳｅＨ１０と印璽体分割体ＳｅＨ２０と印璽体分割体ＳｅＨ３０と印璽体分割体ＳｅＨ４０と印璽体分割体ＳｅＨ５０の形成手段は、夫々前記材質が決定した後に夫々の材質の特性に合わせて企画すればよく一般的に知られた技術的手段で構わない。【００７１】  上記実施の形態の説明は、本発明を説明するためのものであって、特許請求の範囲に記載の発明を限定し、或は範囲を減縮するものではない。また、本発明の各部構成は上記実施の形態に限らず、特許請求の範囲に記載の技術的範囲内で種々の変形が可能である。
【産業上の利用可能性】
【００７２】  本発明の分割及び組合せ可能な印章体は、従来の「印章」のイメージを超えて、例えば、玩具、遊具、教材、リハビリ具、美術品、工芸品、装身具、などとして、製造業者、販売業者、消費者、に提供できることで、産業上の利用可能性も大であり、我が国の産業の発展に寄与する。また、本発明の分割及び組合せ可能な印璽体は、従来の「印璽」のイメージを超えて、例えば、玩具、遊具、教材、リハビリ具、美術品、工芸品、装身具、などとして、製造業者、販売業者、消費者、に提供できることで、産業上の利用可能性も大であり、我が国の産業の発展に寄与する。
【図面の簡単な説明】
【００７３】
【図１】本発明の実施の形態例を示す分解斜視図である。
【図２】図１の組立て状態を説明する正面図である。
【図３】図１の組合せ状態を説明する正面図である。
【図４】本発明の実施の形態例を示す分解斜視図である。
【図５】本発明の実施の形態例を示す分解斜視図である。
【図６】本発明の実施の形態例を示す分解斜視図である。
【図７】本発明の実施の形態例を示す分解斜視図である。
【図８】図７の組立て状態を説明する正面図である。
【図９】本発明の実施の形態例を示す分解斜視図である。
【図１０】図９の組立て状態を説明する正面図である。
【符号の説明】
【００７４】ＳｔＭ：印章体，ＳｔＭ１０：印章体押印部，ＳｔＭ１１：印面部
ＳｔＭ１２：着脱可能部，ＳｔＭ１３：着脱可能手段
ＳｔＭ２０：印章体本体，ＳｔＭ２１：把持部
ＳｔＭ２２：着脱可能部，ＳｔＭ２３：着脱可能手段
ＳｔＩ：印章体，ＳｔＩ１０：印章体押印部，ＳｔＩ１１：印面部
ＳｔＩ１２：着脱可能部，ＳｔＩ１３：着脱可能手段
ＳｔＩ２０：印章体分割体，ＳｔＩ２１：分割体形状
ＳｔＩ２２：着脱可能部，ＳｔＩ２３：着脱可能手段
ＳｔＩ２４：着脱可能部，ＳｔＩ２５：着脱可能手段
ＳｔＩ３０：印章体分割体，ＳｔＩ３１：分割体形状
ＳｔＩ３２：着脱可能部，ＳｔＩ３３：着脱可能手段
ＳｔＩ３４：着脱可能部，ＳｔＩ３５：着脱可能手段
ＳｔＩ４０：印章体分割体，ＳｔＩ４１：分割体形状
ＳｔＩ４２：着脱可能部，ＳｔＩ４３：着脱可能手段
ＳｔＩ４４：着脱可能部，ＳｔＩ４５：着脱可能手段
ＳｔＩ５０：印章体分割体，ＳｔＩ５１：分割体形状
ＳｔＩ５２：着脱可能部，ＳｔＩ５３：着脱可能手段，ＳｔＩ５４：着脱可能手段
ＳｔＩ［Ｎ］：「ナイトの形状」として表現可能な印章体
ＳｔＩ［Ｂ］：「ビショップの形状」として表現可能な印章体
ＳｔＩ［Ｋ］：「キングの形状」として表現可能な印章体
ＳｔＡ：印章体，ＳｔＡ１０：印章体押印部，ＳｔＡ１１：印面部
ＳｔＡ１２：着脱可能部，ＳｔＡ１３：着脱可能手段
ＳｔＡ２０：印章体分割体，ＳｔＡ２１：分割体形状
ＳｔＡ２２：着脱可能部，ＳｔＡ２３：着脱可能手段
ＳｔＡ２４：着脱可能部，ＳｔＡ２５：着脱可能手段
ＳｔＡ３０：印章体分割体，ＳｔＡ３１：分割体形状
ＳｔＡ３２：着脱可能部，ＳｔＡ３３：着脱可能手段
ＳｔＫ：印章体，ＳｔＫ１０：印章体押印部，ＳｔＫ１１：印面部
ＳｔＫ１２：着脱可能部，ＳｔＫ１３：着脱可能手段
ＳｔＫ２０：印章体分割体，ＳｔＫ２１：分割体形状
ＳｔＫ２２：着脱可能部，ＳｔＫ２３：着脱可能手段
ＳｔＫ２４：着脱可能部，ＳｔＫ２５：着脱可能手段
ＳｔＫ３０：印章体分割体，ＳｔＫ３１：分割体形状
ＳｔＫ３２：着脱可能部，ＳｔＫ３３：着脱可能手段
ＳｔＫ３４：着脱可能部，ＳｔＫ３５：着脱可能手段
ＳｔＫ４０：印章体分割体，ＳｔＫ４１：分割体形状
ＳｔＫ４２：着脱可能部，ＳｔＫ４３：着脱可能手段
ＳｔＥ：印章体，ＳｔＥ１０：印章体押印部，ＳｔＥ１１：印面部
ＳｔＥ１２：着脱可能部，ＳｔＥ１３：着脱可能手段
ＳｔＥ２０：印章体分割体，ＳｔＥ２１：分割体形状
ＳｔＥ２２：着脱可能部，ＳｔＥ２３：着脱可能手段
ＳｔＥ２４：着脱可能部，ＳｔＥ２５：着脱可能手段
ＳｔＥ３０：印章体分割体，ＳｔＥ３１：分割体形状
ＳｔＥ３２：着脱可能部，ＳｔＥ３３：着脱可能手段
ＳｔＥ３４：着脱可能部，ＳｔＥ３５：着脱可能手段
ＳｔＥ４０：印章体分割体，ＳｔＥ４１：分割体形状
ＳｔＥ４２：着脱可能部，ＳｔＥ４３：着脱可能手段
ＳｔＥ４４：着脱可能部，ＳｔＥ４５：着脱可能手段
ＳｔＥ５０：印章体分割体，ＳｔＥ５１：分割体形状
ＳｔＥ５２：着脱可能部，ＳｔＥ５３：着脱可能手段
ＳｔＨ：印章体，ＳｔＨ１０：印章体押印部，ＳｔＨ１１：印面部，
ＳｔＨ１２：着脱可能部，ＳｔＨ１３：着脱可能手段，
ＳｔＨ２０：印章体分割体，ＳｔＨ２１：分割体形状，
ＳｔＨ２２：着脱可能部，ＳｔＨ２３：着脱可能手段，
ＳｔＨ２４：着脱可能部，ＳｔＨ２５：着脱可能手段，
ＳｔＨ３０：印章体分割体，ＳｔＨ３１：分割体形状，
ＳｔＨ３２：着脱可能部，ＳｔＨ３３：着脱可能手段，
ＳｔＨ３４：着脱可能部，ＳｔＨ３５：着脱可能手段，
ＳｔＨ４０：印章体分割体，ＳｔＨ４１：分割体形状，
ＳｔＨ４２：着脱可能部，ＳｔＨ４３：着脱可能手段，
ＳｔＨ４４：着脱可能部，ＳｔＨ４５：着脱可能手段，
ＳｔＨ５０：印章体分割体，ＳｔＨ５１：分割体形状，
ＳｔＨ５２：着脱可能部，ＳｔＨ５３：着脱可能手段，
ＳｅＭ：印璽体，ＳｅＭ１０：印璽体押型部，ＳｅＭ１１：型部
ＳｅＭ１２：着脱可能部，ＳｅＭ１３：着脱可能手段
ＳｅＭ２０：印璽体本体，ＳｅＭ２１：把持部
ＳｅＭ２２：着脱可能部，ＳｅＭ２３：着脱可能手段
ＳｅＩ：印璽体，ＳｅＩ１０：印璽体押型部，ＳｅＩ１１：型部
ＳｅＩ１２：着脱可能部，ＳｅＩ１３：着脱可能手段
ＳｅＩ２０：印璽体分割体，ＳｅＩ２１：分割体形状
ＳｅＩ２２：着脱可能部，ＳｅＩ２３：着脱可能手段
ＳｅＩ２４：着脱可能部，ＳｅＩ２５：着脱可能手段
ＳｅＩ３０：印璽体分割体，ＳｅＩ３１：分割体形状
ＳｅＩ３２：着脱可能部，ＳｅＩ３３：着脱可能手段
ＳｅＩ３４：着脱可能部，ＳｅＩ３５：着脱可能手段
ＳｅＩ４０：印璽体分割体，ＳｅＩ４１：分割体形状
ＳｅＩ４２：着脱可能部，ＳｅＩ４３：着脱可能手段
ＳｅＩ４４：着脱可能部，ＳｅＩ４５：着脱可能手段
ＳｅＩ５０：印璽体分割体，ＳｅＩ５１：分割体形状
ＳｅＩ５２：着脱可能部，ＳｅＩ５３：着脱可能手段，ＳｅＩ５４：着脱可能手段
ＳｅＩ［Ｎ］：「ナイトの形状」として表現可能な印璽体
ＳｅＩ［Ｂ］：「ビショップの形状」として表現可能な印璽体
ＳｅＩ［Ｋ］：「キングの形状」として表現可能な印璽体
ＳｅＡ：印璽体，ＳｅＡ１０：印璽体押型部
ＳｅＡ１１：型部，ＳｅＡ１２：着脱可能部，ＳｅＡ１３：着脱可能手段
ＳｅＡ２０：印璽体分割体，ＳｅＡ２１：分割体形状
ＳｅＡ２２：着脱可能部，ＳｅＡ２３：着脱可能手段
ＳｅＡ２４：着脱可能部，ＳｅＡ２５：着脱可能手段
ＳｅＡ３０：印璽体分割体，ＳｅＡ３１：分割体形状
ＳｅＡ３２：着脱可能部，ＳｅＡ３３：着脱可能手段
ＳｅＫ：印璽体，ＳｅＫ１０：印璽体押型部，ＳｅＫ１１：型部
ＳｅＫ１２：着脱可能部，ＳｅＫ１３：着脱可能手段
ＳｅＫ２０：印璽体分割体，ＳｅＫ２１：分割体形状
ＳｅＫ２２：着脱可能部，ＳｅＫ２３：着脱可能手段
ＳｅＫ２４：着脱可能部，ＳｅＫ２５：着脱可能手段
ＳｅＫ３０：印璽体分割体，ＳｅＫ３１：分割体形状
ＳｅＫ３２：着脱可能部，ＳｅＫ３３：着脱可能手段
ＳｅＫ３４：着脱可能部，ＳｅＫ３５：着脱可能手段
ＳｅＫ４０：印璽体分割体，ＳｅＫ４１：分割体形状
ＳｅＫ４２：着脱可能部，ＳｅＫ４３：着脱可能手段
ＳｅＥ：印璽体，ＳｅＥ１０：印璽体押型部，ＳｅＥ１１：型部
ＳｅＥ１２：着脱可能部，ＳｅＥ１３：着脱可能手段
ＳｅＥ２０：印璽体分割体，ＳｅＥ２１：分割体形状
ＳｅＥ２２：着脱可能部，ＳｅＥ２３：着脱可能手段
ＳｅＥ２４：着脱可能部，ＳｅＥ２５：着脱可能手段
ＳｅＥ３０：印璽体分割体，ＳｅＥ３１：分割体形状
ＳｅＥ３２：着脱可能部，ＳｅＥ３３：着脱可能手段
ＳｅＥ３４：着脱可能部，ＳｅＥ３５：着脱可能手段
ＳｅＥ４０：印璽体分割体，ＳｅＥ４１：分割体形状
ＳｅＥ４２：着脱可能部，ＳｅＥ４３：着脱可能手段
ＳｅＥ４４：着脱可能部，ＳｅＥ４５：着脱可能手段
ＳｅＥ５０：印璽体分割体，ＳｅＥ５１：分割体形状
ＳｅＥ５２：着脱可能部，ＳｅＥ５３：着脱可能手段
ＳｅＨ：印璽体，ＳｅＨ１０：印璽体押型部，ＳｅＨ１１：型部
ＳｅＨ１２：着脱可能部，ＳｅＨ１３：着脱可能手段
ＳｅＨ２０：印璽体分割体，ＳｅＨ２１：分割体形状
ＳｅＨ２２：着脱可能部，ＳｅＨ２３：着脱可能手段
ＳｅＨ２４：着脱可能部，ＳｅＨ２５：着脱可能手段
ＳｅＨ３０：印璽体分割体，ＳｅＨ３１：分割体形状
ＳｅＨ３２：着脱可能部，ＳｅＨ３３：着脱可能手段
ＳｅＨ３４：着脱可能部，ＳｅＨ３５：着脱可能手段
ＳｅＨ４０：印璽体分割体，ＳｅＨ４１：分割体形状
ＳｅＨ４２：着脱可能部，ＳｅＨ４３：着脱可能手段
ＳｅＨ４４：着脱可能部，ＳｅＨ４５：着脱可能手段
ＳｅＨ５０：印璽体分割体，ＳｅＨ５１：分割体形状
ＳｅＨ５２：着脱可能部，ＳｅＨ５３：着脱可能手段
【図１】
2014094551.tif 000003
【図２】
2014094551.tif 000004
【図３】
2014094551.tif 000005
【図４】
2014094551.tif 000006
【図５】
2014094551.tif 000007
【図６】
2014094551.tif 000008
【図７】
2014094551.tif 000009
【図８】
2014094551.tif 000010
【図９】
2014094551.tif 000011
【図１０】
2014094551.tif 000012